(57)【要約】  医療廃棄物収集アセンブリにより組織サンプルを収集するマニホールドである。ハウジングの基部がマニホールド受容体と取り外し可能に係合されて、吸引ラインを受容する入口継手からの吸引経路を設ける。トレーが補助スリーブ内で取り外し可能に位置決めされていてもよい。トレーの基部と補助スリーブの下側障壁との間の隙間の規定を位置付け機構が容易化する。トレーは、封止構成と、第２の吸引経路が隙間を通ってトレーの下側に設けられる流出構成との間でマニホールドを移動させる制御面を備えていてもよい。トレーとフィルタ要素との間の吸引経路内には、逆流防止弁が配設されていてもよい。また、組織サンプルを収集する方法が開示される。
2021524289.tif 000002
【特許請求の範囲】
【請求項１】
吸引ラインを通じて組織サンプルを収集するマニホールドであって、
マニホールド容積と、前記マニホールド容積と流体連通し、前記吸引ラインと流体連通するように構成された入口穿孔と、前記マニホールド容積と流体連通した補助スリーブに通じる補助開口と、吸引源と流体連通して、前記吸引ラインから前記補助スリーブおよび前記マニホールド容積を通って達する第１の吸引経路を設けるように構成された出口開口と、を規定するハウジングであり、前記補助スリーブ内に配設された位置付け機構を備えた、ハウジングと、
制御面と、前記制御面に結合された封止面と、基部と、前記基部とともに前記封止面から延びて組織収集キャビティを規定した状態で前記基部に結合された側部と、前記基部内の多孔質機構と、を備えたトレーであり、（ｉ）前記封止面が前記補助開口を封止し、（ｉｉ）前記組織収集キャビティが前記補助スリーブ内に位置決めされるとともに前記入口穿孔側に通じ、（ｉｉｉ）前記基部および／または前記側部が前記補助スリーブ内の前記位置付け機構に係合して、当該トレーの前記基部と前記補助スリーブを規定する前記ハウジングの下側障壁との間に隙間を設けるように、前記ハウジングと取り外し可能に結合されるように構成された、トレーと、
を備え、
前記トレーの前記制御面が、ユーザからの入力を受けて、前記下側障壁に近い前記補助開口の部分から前記封止面を遠ざけることにより、前記トレーの前記基部と前記補助スリーブを規定する前記ハウジングの前記下側障壁との間の前記隙間を通って前記補助開口から前記出口開口に達する第２の吸引経路を設けて位置付けるように構成された、マニホールド。
【請求項２】
前記ハウジングが、前記下側障壁内の第１の端部および前記マニホールド容積に通じる第２の端部を有する穿孔をさらに規定する、請求項１に記載のマニホールド。
【請求項３】
前記位置付け機構が、前記トレーの前記基部との間で前記隙間がさらに規定されるトラフを規定するプラトーを備えた、請求項１または２に記載のマニホールド。
【請求項４】
前記トレーが、前記基部から前記組織収集キャビティの反対方向に延びた足部をさらに備え、前記足部が、前記トレーが前記ハウジングと結合された場合に前記プラトーに隣接して位置決めされる、請求項３に記載のマニホールド。
【請求項５】
前記ハウジングが、前記補助スリーブ内の配向機構をさらに備え、前記トレーが、前記配向機構に取り外し可能に係合して、唯一の相対配向における前記トレーの前記ハウジングとの結合を可能にするように構成された相補配向機構をさらに備えた、請求項１から４のいずれか１項に記載のマニホールド。
【請求項６】
前記ハウジングの前記配向機構が、溝であり、前記トレーの前記相補配向機構が、前記側部から延びたレールである、請求項５に記載のマニホールド。
【請求項７】
前記封止面が固く結合された状態で前記制御面を規定する把持部をさらに備え、前記把持部が、前記補助開口の前記部分から前記封止面を離隔枢動させるように構成された、請求項１から６のいずれか１項に記載のマニホールド。
【請求項８】
前記把持部が、前記封止面から延びた第１の部分および第２の部分を備え、前記第１の部分および前記第２の部分が、前記ユーザが摘まむことによって当該第１の部分を当該第２の部分側へと移動させるとともに、前記補助開口の前記部分から前記封止面を離隔枢動させるように構成された、請求項７に記載のマニホールド。
【請求項９】
前記封止面が、弾性的に可撓性の材料を含み、前記補助開口の前記部分から枢動可能に屈曲離隔するように構成された、請求項７に記載のマニホールド。
【請求項１０】
前記トラフが、前記補助開口の一部まで延びて規定する、請求項３に記載のマニホールド。
【請求項１１】
前記第１の吸引経路および前記第２の吸引経路において前記ハウジング内に配設されたフィルタ要素をさらに備えた、請求項１から１０のいずれか１項に記載のマニホールド。
【請求項１２】
前記ハウジングが、前記入口穿孔が結合されて遠位方向に延びた状態で前記補助スリーブを少なくとも部分的に規定する上側障壁をさらに備えた、請求項１から１０のいずれか１項に記載のマニホールド。
【請求項１３】
前記上側障壁に結合され、前記補助スリーブ内で拡大をもたらすように成形されたレンズをさらに備えた、請求項１２に記載のマニホールド。
【請求項１４】
吸引ラインを通じて組織サンプルを収集するマニホールドであって、
マニホールド容積と、前記マニホールド容積と流体連通し、前記吸引ラインと流体連通するように構成された入口穿孔と、前記マニホールド容積と流体連通した補助スリーブに通じる補助開口と、前記補助開口まで延びた前記補助スリーブ内のトラフと、吸引源と流体連通して、前記吸引ラインから前記補助スリーブおよび前記マニホールド容積を通って達する吸引経路を設けるように構成された出口開口と、を規定するハウジングと、
制御面と、前記制御面に結合された封止面と、基部と、前記基部とともに前記封止面から延びて組織収集キャビティを規定した状態で前記基部に結合された側部と、前記基部内の多孔質機構と、を備えたトレーであり、（ｉ）前記封止面が前記補助開口を封止し、（ｉｉ）前記組織収集キャビティが前記補助スリーブ内に位置決めされるとともに前記入口穿孔側に通じ、（ｉｉｉ）当該トレーの前記基部と前記補助スリーブ内の前記トラフとの間に隙間が規定される封止構成にて、前記ハウジングと取り外し可能に結合されるように構成された、トレーと、
を備え、
前記トレーの前記制御面が、ユーザからの入力を受けて、前記封止構成から、前記封止面の一部が前記補助開口の一部から遠ざかることにより、前記トラフおよび前記マニホールド容積を通って前記補助開口から前記出口開口に達する第２の吸引経路を設けて位置付ける流出構成へと当該マニホールドを作動させるように構成された、マニホールド。
【請求項１５】
前記ハウジングが、前記トラフに通じる第１の端部および前記マニホールド容積に通じる第２の端部を有する穿孔をさらに規定する、請求項１４に記載のマニホールド。
【請求項１６】
前記ハウジングが、前記補助スリーブを少なくとも部分的に規定し、前記トラフを間に規定するプラトーを備えた下側障壁を備えた、請求項１４または１５に記載のマニホールド。
【請求項１７】
前記トレーが、前記基部から前記組織収集キャビティの反対方向に延びた足部をさらに備え、前記足部が、前記トレーが前記ハウジングと結合された場合に前記プラトーに隣接して位置決めされる、請求項１６に記載のマニホールド。
【請求項１８】
前記ハウジングが、前記補助スリーブ内の配向機構をさらに備え、前記トレーが、前記配向機構に取り外し可能に係合して、唯一の相対配向における前記トレーの前記ハウジングとの結合を可能にするように構成された相補配向機構をさらに備えた、請求項１４から１７のいずれか１項に記載のマニホールド。
【請求項１９】
前記ハウジングの前記配向機構が、溝であり、前記トレーの前記相補配向機構が、前記側部から延びたレールである、請求項１８に記載のマニホールド。
【請求項２０】
前記封止面が固く結合された状態で前記制御面を規定する把持部をさらに備え、前記把持部が、枢動によって、当該マニホールドを前記封止構成から前記流出構成へと作動させるように構成された、請求項１４から１９のいずれか１項に記載のマニホールド。
【請求項２１】
前記把持部が、前記封止面から延びた第１の部分および第２の部分を備え、前記第１の部分および前記第２の部分が、前記ユーザが摘まむことによって当該第１の部分を当該第２の部分側へと移動させるとともに、当該マニホールドを前記封止構成から前記流出構成へと作動させるように構成された、請求項２０に記載のマニホールド。
【請求項２２】
前記封止面が、弾性的に可撓性の材料を含み、前記補助開口の前記部分から枢動可能に屈曲離隔するように構成された、請求項２１に記載のマニホールド。
【請求項２３】
前記第１の吸引経路および前記第２の吸引経路において前記ハウジング内に配設されたフィルタ要素をさらに備えた、請求項１４から２２のいずれか１項に記載のマニホールド。
【請求項２４】
前記ハウジングが、前記入口穿孔が結合されて遠位方向に延びた状態で前記補助スリーブを少なくとも部分的に規定する上側障壁をさらに備えた、請求項１４から２３のいずれか１項に記載のマニホールド。
【請求項２５】
前記上側障壁に結合され、前記補助スリーブ内で拡大をもたらすように成形されたレンズをさらに備えた、請求項２４に記載のマニホールド。
【請求項２６】
マニホールド容積と、前記マニホールド容積と流体連通し、前記吸引ラインと流体連通した入口穿孔と、前記マニホールド容積と流体連通した補助スリーブに通じる補助開口と、前記補助スリーブ内に配設された位置付け機構と、吸引源と流体連通した出口開口と、を規定するハウジングと、制御面と、前記制御面に結合された封止面と、基部と、前記基部とともに前記封止面から延びて組織収集キャビティを規定した状態で前記基部に結合された側部と、前記基部内の多孔質機構と、を備えたトレーと、を備えたマニホールドに結合された吸引ラインを通じて組織サンプルを収集する方法であって、
組織収集キャビティが前記補助スリーブ内となって前記入口穿孔に通じ、前記封止面が前記補助開口を封止し、前記基部および／または前記側部が前記補助スリーブ内の前記位置付け機構に係合して、前記トレーの前記基部と前記補助スリーブを規定する前記ハウジングの下側障壁との間に隙間を設けるように、前記トレーを前記ハウジングと結合するステップと、
前記吸引源を動作させて、前記多孔質機構により前記トレーの前記組織収集キャビティ内の前記組織サンプルを収集するステップと、
前記トレーの前記制御面に入力を適用して、前記下側障壁に近い前記補助開口の部分から前記封止面の少なくとも一部を遠ざけることにより、前記トレーの前記基部と前記ハウジングの前記下側障壁との間の前記隙間を通って前記補助開口から前記出口開口に達する第２の吸引経路を設けて位置付けるステップと、
を含む、方法。
【請求項２７】
前記トレーが、前記制御面を規定し、前記封止面にそれぞれ結合された第１の部分および第２の部分を備えた把持部をさらに備え、前記入力を適用するステップが、前記第１の部分を前記第２の部分側へと移動させて、前記補助開口の前記部分から前記封止面の前記部分を枢動可能に屈曲離隔させることを含む、請求項２６に記載の方法。
【請求項２８】
前記第１の部分および前記第２の部分を摘まんで、前記第１の部分を前記第２の部分側へと移動させることをさらに含む、請求項２７に記載の方法。
【発明の詳細な説明】
【技術分野】
【０００１】
関連出願の相互参照
本特許出願は、２０１８年５月１８日に出願された米国仮特許出願第６２／６７３，４１８号、２０１８年６月１５日に出願された米国仮特許出願第６２／６８５，７９２号、および２０１８年１０月１７日に出願された米国仮特許出願第６２／７４６，８０２号の優先権および全利益を主張するものであり、それぞれのすべての内容を参照により本明細書に援用する。
【０００２】
本開示は、一般的には外科手術のための装置、システム、および方法を対象とし、より詳細には、医療廃棄物収集アセンブリによる吸引下での組織サンプルの収集を伴う外科手術を対象とするが、これらに限定されない。
【背景技術】
【０００３】
特定の外科手術では、組織サンプルを取り出して評価する。たとえば、ポリープ切除術には、結腸または子宮を覆う子宮内膜組織等、患者内の手術部位からのポリープの取り出しを伴う。ポリープは、医療廃棄物収集アセンブリを用いて手術部位で適用される吸引により吸い取られることが多い。吸引経路において収集されたポリープの回収が、特に関心のある発展中の分野である。多くの既知のシステムおよび方法には、複数の欠点を伴い、とりわけ、外科手術中の時間延長および不便さ、有害な医療廃棄物に曝される可能性、複数の組織サンプルを収集できない点が挙げられる。したがって、当技術分野においては、改良されたマニホールドと、当該マニホールドおよび医療廃棄物収集アセンブリにより組織サンプルを収集する方法とが求められている。
【発明の概要】
【０００４】
吸引ラインを通じて組織サンプルを収集するマニホールドである。ハウジングは、マニホールド容積と、マニホールド容積と流体連通し、吸引ラインと流体連通するように構成された入口穿孔と、マニホールド容積と流体連通した補助スリーブに通じる補助開口と、吸引源と流体連通して、吸引ラインから補助スリーブおよびマニホールド容積を通って達する第１の吸引経路を設けるように構成された出口開口と、を規定する。ハウジングは、補助スリーブ内に配設された位置付け機構を備える。マニホールドは、制御面と、制御面に結合された封止面と、基部と、基部とともに封止面から延びて組織収集キャビティを規定した状態で基部に結合された側部と、基部内の多孔質機構と、を具備するトレーを備える。トレーは、（ｉ）封止面が補助開口を封止し、（ｉｉ）組織収集キャビティが補助スリーブ内に位置決めされるとともに入口穿孔側に通じ、（ｉｉｉ）基部および／または側部が補助スリーブ内の位置付け機構に係合して、当該トレーの基部と補助スリーブを規定するハウジングの下側障壁との間に隙間を設けるように、ハウジングと取り外し可能に結合されるように構成されている。トレーは、ユーザからの入力を受けて、下側障壁に近い補助開口の部分から封止面を遠ざけることにより、当該トレーの基部と補助スリーブを規定するハウジングの下側障壁との間の隙間を通って補助開口から出口開口に達する第２の吸引経路を設けて位置付けるように構成されている。
【０００５】
吸引ラインを通じて組織サンプルを収集するマニホールドである。このマニホールドは、マニホールド容積と、マニホールド容積と流体連通し、吸引ラインと流体連通するように構成された入口穿孔と、マニホールド容積と流体連通した補助スリーブに通じる補助開口と、補助開口まで延びた補助スリーブ内のトラフと、吸引源と流体連通して、吸引ラインから補助スリーブおよびマニホールド容積を通って達する吸引経路を設けるように構成された出口開口と、を規定するハウジングを備える。マニホールドは、制御面と、制御面に結合された封止面と、基部と、基部とともに封止面から延びて組織収集キャビティを規定した状態で基部に結合された側部と、基部内の多孔質機構と、を具備するトレーを備える。トレーは、（ｉ）封止面が補助開口を封止し、（ｉｉ）組織収集キャビティが補助スリーブ内に位置決めされるとともに入口穿孔側に通じ、（ｉｉｉ）当該トレーの基部と補助スリーブ内のトラフとの間に隙間が規定される封止構成にて、ハウジングと取り外し可能に結合されるように構成されている。トレーの制御面は、ユーザからの入力を受けて、封止構成から、封止面の一部が補助開口の一部から遠ざかることにより、トラフおよびマニホールド容積を通って補助開口から出口開口に達する第２の吸引経路を設けて位置付ける流出構成へとマニホールドを作動させるように構成されている。
【０００６】
マニホールドに結合された吸引ラインを通じて組織サンプルを収集する方法である。マニホールドは、マニホールド容積と、マニホールド容積と流体連通し、吸引ラインと流体連通した入口穿孔と、マニホールド容積と流体連通した補助スリーブに通じる補助開口と、補助スリーブ内に配設された位置付け機構と、吸引源と流体連通した出口開口と、を規定するハウジングを備える。マニホールドは、制御面と、制御面に結合された封止面と、基部と、基部とともに封止面から延びて組織収集キャビティを規定した状態で基部に結合された側部と、基部内の多孔質機構と、を具備するトレーを備える。トレーは、組織収集キャビティが補助スリーブ内にあるとともに入口穿孔に通じ、封止面が補助開口を封止し、基部および／または側部が補助スリーブ内の位置付け機構に係合して、当該トレーの基部と補助スリーブを規定するハウジングの下側障壁との間に隙間を設けるように、ハウジングと結合される。補助スリーブおよびマニホールド容積を通って吸引ラインから出口開口に達する第１の吸引経路が設けられる。吸引源は、多孔質機構を備えるトレーの組織収集キャビティ内に組織サンプルを収集するように動作する。トレーの制御面への入力の適用によって、下側障壁に近い補助開口の部分から封止面の少なくとも一部を遠ざけることにより、トレーの基部とハウジングの下側障壁との間の隙間を通って補助開口から出口開口に達する第２の吸引経路を設けて位置付ける。
【０００７】
添付の図面に関連して考慮する場合に、以下の詳細な説明を参照することによって、より深く理解されるほどに、本開示の利点が容易に認識されるであろう。
【図面の簡単な説明】
【０００８】
【図１】マニホールドがマニホールド受容体内に位置決めされた医療廃棄物収集アセンブリの一部の模式図である。
【図２】吸引入口を含むマニホールド受容体に係合したマニホールドの部分断面図である。
【図３】マニホールドの斜視図である。
【図４】トレーが補助スリーブから取り外された状態の図３のマニホールドの斜視図である。
【図５】図３のマニホールドの分解図である。
【図６】切断線５−５に沿った図３のマニホールドの断面図である。
【図７】制御面が流出構成に移動した状態の図６の断面図である。
【図８】トレーの上面斜視図である。
【図９】トレーの底面斜視図である。
【図１０】マニホールドのキャップ部の後面図である。
【図１１】マニホールドの本体部の前面図である。
【図１２】マニホールドの斜視図である。
【図１３】図１２のマニホールドの分解図である。
【図１４】切断線５−５に沿った図１２のマニホールドの断面図である。
【図１５】図１２のマニホールドのキャップ部の分解図である。
【図１６】キャップ部のキャップヘッドの後面斜視図である。
【図１７】図１８のキャップ部のキャップ面板の後面斜視図である。
【図１８】マニホールドの別のキャップ面板であり、拡大レンズを具備する、別のキャップ面板およびマニホールドのトレーの斜視図である。
【図１９】図１２のマニホールドのトレーであり、組織収集キャビティおよびバイパスチャネルを規定する、トレーの斜視図である。
【図２０】図１２のマニホールドと併用する別のトレーであり、拡大レンズ具備する、別のトレーの斜視図である。
【図２１】図１２のマニホールドと併用する別のトレーの斜視図である。
【図２２】図１２のマニホールドと併用する別のトレーの斜視図である。
【図２３】マニホールドの斜視図である。
【図２４】図２３のマニホールドの分解図である。
【図２５】切断線２５−２５に沿った図２３のマニホールドの断面図である。
【図２６】図２３のマニホールドのトレーであり、組織収集キャビティおよびバイパスチャネルを規定する、トレーの前面図である。
【図２７】マニホールドの斜視図である。
【図２８】図２７のマニホールドの分解図である。
【図２９】マニホールドの斜視図である。
【図３０】図２９のマニホールドの分解図である。
【図３１】切断線３１−３１に沿った図２９のマニホールドの断面図である。
【図３２】図２９のマニホールドのキャップ部の後面斜視図である。
【図３３】図２９のマニホールドのトレーであり、組織収集キャビティを規定する、トレーの斜視図である。
【図３４】マニホールドの斜視図である。
【図３５】図３４のマニホールドの分解図である。
【図３６】切断線３６−３６に沿った図３４のマニホールドの断面図である。
【図３７】図３４のマニホールドのキャップ部の前面斜視図である。
【図３８】図３７のキャップ部の後面斜視図である。
【図３９】図３４のマニホールドの摺動部材の斜視図である。
【図４０】図４０のマニホールドのトレーであり、組織収集キャビティを規定する、トレーの斜視図である。
【図４１】マニホールドの斜視図である。
【図４２】図４１のマニホールドの分解図である。
【図４３】ロータが組織収集位置にある状態の図４１のマニホールドの断面図である。
【図４４】ロータがバイパス位置にある状態の図４１のマニホールドの断面図である。
【図４５】ロータが組織収集位置にある状態の吸引経路を模式的に表した図４１のマニホールドの部分断面図である。
【図４６】ロータがバイパス位置にある状態の吸引経路を模式的に表した図４１のマニホールドの部分断面図である。
【図４７】ウィンドウを規定するステータを含む、図４１のマニホールドのキャップ部の前面斜視図である。
【図４８】図４１のマニホールドのロータであり、組織収集キャビティを規定する、ロータの第１の斜視図である。
【図４９】図４４のロータの第２の斜視図である。
【図５０】マニホールドの斜視図である。
【図５１】図５０のマニホールドの分解図である。
【図５２】切断線５２−５２に沿った図５０のマニホールドの断面図である。
【図５３】切断線５３−５３に沿った図５０のマニホールドの断面図である。
【図５４】図５０のマニホールドのキャップ面板の後面斜視図である。
【図５５】マニホールドの斜視図である。
【図５６】図５５のマニホールドの分解図である。
【図５７】図５５のマニホールドのキャップ面板の後面斜視図である。
【図５８】図５５のマニホールドのキャップヘッドの後面斜視図である。
【図５９】組織収集位置にあるマニホールドを模式的に表した図５５のマニホールドの前面図である。
【図６０】バイパス位置にあるマニホールドを模式的に表した図５５のマニホールドの前面図である。
【図６１】組織収集位置にあるマニホールドを通る流路を模式的に表した図５５のマニホールドの断面図である。
【図６２】図５５のマニホールドの変形の斜視図である。
【図６３】配向および／または位置付け機構を含む、図５５のマニホールドのキャップヘッドの側面図である。
【図６４】図６２のマニホールドのトレーであり、相補配向および／または位置付け機構を具備する、トレーの図である。
【図６５】マニホールドのキャップ部の斜視図である。
【図６６】トレーが取り外された状態の図６５のキャップ部の側面図である。
【図６７】マニホールドのキャップ部の斜視図である。
【図６８】トレーが取り外された状態の図６６のキャップ部の側面図である。
【図６９】内部のフィルタ要素へのアクセスを提供するように永久に切断されるアクセス機構を具備するマニホールドの後面斜視図である。
【図７０】内部のフィルタ要素へのアクセスを提供するように永久に切断されるアクセス機構を具備するマニホールドの後面斜視図である。
【図７１】内部のフィルタ要素へのアクセスを提供するように永久に切断されるアクセス機構を具備するマニホールドの後面斜視図である。
【図７２】図６９の本体部の後面斜視図である。
【図７３】アクセス機構を通じた組織サンプルの回収を可能にするウィンドウを含むフィルタ要素の後面斜視図である。
【発明を実施するための形態】
【０００９】
患者内部からの組織サンプルの吸い取りは、図１において模式的に表す医療廃棄物収集アセンブリ５０によって容易化され得る。吸い取りに適する例示的な医療廃棄物収集アセンブリは、Ｓｔｒｙｋｅｒ  Ｃｏｒｐｏｒａｔｉｏｎ（Ｋａｌａｍａｚｏｏ、Ｍｉｃｈ．）が製造するＮｅｐｔｕｎｅ  ２（登録商標）およびＮｅｐｔｕｎｅ  ３（登録商標）廃棄物管理システムであって、共同所有の米国特許第７，６２１，８９８号、第８，２１６，１９９号、第８，７４０，８６６号、第８，９１５，８９７号、第９，５７９，４２８号、および第９，７８２，５２４に開示されており、それぞれのすべての内容を本明細書に援用する。医療廃棄物収集アセンブリ５０は、最も広い意味において、吸引ライン５２の近位端と流体連通して配置されるように構成された真空ポンプを具備する。吸引ライン５２の遠位端は、手術部位の近くに位置決めされた器具に結合される。たとえば、スネア技術によって所望の組織サンプルが切除され、この切除された組織サンプルは、吸引ライン５２に吸い取られて医療廃棄物収集アセンブリ５０に向かう。
【００１０】
組織サンプル等の半固形および固形物の吸い取りでは、捕獲または好適にはフィルタリングによって、医療廃棄物収集アセンブリ５０の構成要素の潜在的な目詰まりを回避する必要がある。図２を同時に参照して、医療廃棄物収集アセンブリ５０は、マニホールド１００、２００、３００、４００、５００、６００、７００、８００、９００、１０００、１１００（以下、１００〜１１００）に係合する。医療廃棄物収集アセンブリ５０は、マニホールド１００〜１１００と取り外し可能に係合されるように構成されたマニホールド受容体５４を具備する。マニホールド受容体５４は、マニホールド１００〜１１００の近位部を受容するようにサイズ規定された空隙５６を規定していてもよい。医療廃棄物収集アセンブリ５０は、マニホールド１００〜１１００がマニホールド受容体５４と係合された場合にマニホールド１００〜１１００の出口開口と流体連通するように構成された吸引入口５８をさらに具備する。マニホールド受容体５４は、穿孔６２を規定するボス６４に出口開口が係合して回転させる場合に、穿孔６２を吸引入口５８と位置合わせするように回転可能な弁ディスク６０を具備していてもよい。マニホールド１００〜１１００とマニホールド受容体５４との間のインターフェースの仕様は、共同所有の米国特許第７，６１５，０３７号、第８，５１８，００２号、第８，９１５，８９７号、および第９，５７９，４２８に開示されており、それぞれのすべての内容を本明細書に援用する。
【００１１】
図１に示すように、マニホールド１００〜１１００は、吸引ライン５２を受容するように構成されている。マニホールド１００〜１１００がマニホールド受容体５４に係合した状態で、吸引ライン５２からマニホールド１００〜１１００を通って医療廃棄物収集アセンブリ５０まで、吸引経路が確立される。マニホールド１００〜１１００は、後述する機能の中でもとりわけ、手術部位から吸い取られる流れに取り込まれた半固形および固形物を捕獲する。
【００１２】
図３〜図７は、組織サンプルを収集するマニホールド１００の一実施態様を示している。マニホールド１００は、マニホールド受容体５４と取り外し可能に係合されるように構成されたハウジング１０２を具備する。ハウジング１０２は、本体部１０４およびキャップ部１０６を具備していてもよい。キャップ部１０６は、取り外し可能または永久的な連結手段によって本体部１０４に結合されているが、本体部およびキャップ部１０４、１０６を単一の一体構造として形成することも可能と考えられる。図６および図７に最も良く示すように、マニホールド１００は、マニホールド容積１０８および当該マニホールド容積１０８と流体連通した出口開口１１０を規定する。本体部１０４は、近位基部１２６と、当該近位基部１２６から遠位方向に延びてマニホールド容積１０８の一部を含むキャビティ１３０を規定する少なくとも１つの側部１２８とを含んでいてもよい。図３は、円筒状かつキャビティ１３０を規定するものとして本体部１０４を示しているが、非対称形状等、他の形状も考えられることが了解される。本明細書において、近位（Ｐ）は、マニホールド１００および当該マニホールド１００と係合される場合の医療廃棄物収集アセンブリ５０の後側の方向を表し、遠位（Ｄ）は、マニホールド１００および手術部位の前側の方向を表す（図４参照）。出口開口１１０は、近位基部１２６内に配設されていてもよい。あるいは、出口開口１１０は、ハウジング１０２の任意好適な場所に位置決めされていてもよく、本体部１０４の側部１２８、後述するキャップ部１０６のキャップ面板１４０が挙げられるが、これらに限定されない。ハウジング１０２は、吸引ライン５２を受容するように構成された少なくとも１つの入口継手１１２ａ、１１２ｂを具備する。入口継手１１２ａ、１１２ｂは、マニホールド容積１０８と流体連通した各入口穿孔１１４ａ、１１４ｂを規定する。出口開口１１０は、吸引経路が入口穿孔１１４ａ、１１４ｂから吸引入口５８まで設けられるように、ハウジング１０２がマニホールド受容体５４と係合された場合に、医療廃棄物収集アセンブリ５０の吸引入口５８と流体連通するように構成されている。
【００１３】
マニホールド１００は、出口開口１１０内に配設され、たとえば外科手術の後にハウジング１０２がマニホールド受容体５４から係合解除された場合に、出口開口１１０からの流体の流出を防止するドリップ弁１３２を具備していてもよい。ドリップ弁１３２は、スリット１３６を間に規定する一対の可撓性ウィング１３４を具備していてもよい。上記援用の米国特許第７，６１５，０３７号、第８，５１８，００２号、第８，９１５，８９７号、および第９，５７９，４２８において詳述されるように、マニホールド受容体５４（図２参照）のボス６４は、ウィング１３４を撓ませるとともにドリップ弁１３２のスリット１３６を通って延びることにより、マニホールド容積１０８と医療廃棄物収集アセンブリ５０の吸引入口５８との間に流体連通をもたらす。
【００１４】
図５を再び参照して、マニホールド１００は、マニホールド容積１０８からの逆流を防止するように構成された少なくとも１つの弁１３３を具備していてもよい。図５〜図７をさらに参照して、弁１３３は、キャップ部１０６に結合されるとともに、マニホールド容積１０８の少なくとも一部を規定するキャップ部１０６のキャビティ内に配設されていてもよい。特に、キャップ部１０６の内面または近位面が、近位方向に延びた突起等の結合器１０７（図１０参照）を含んでいてもよい。弁１３３は、キャップ部１０６の結合器１０７に対して相補的な結合器１３７を含む。結合器１３７は、弁１３３の中央ハブ１３８内に配設され、干渉配置により突起に係合するようにサイズ規定されたスロットであってもよい。この追加または代替として、弁１３３のキャップ部１０６との結合には、接着、機械的締結等の好適な連結プロセスが用いられるようになっていてもよい。
【００１５】
弁１３３は、可撓性ウィング１３９により中央ハブ１３８に結合された一対のフラッパ１３５を具備していてもよい。可撓性ウィング１３９は、キャップ部１０６の結合器１０７と（ｉ）補助スリーブ１１３とマニホールド容積１０８との間の連通を確立する移行穿孔１２５（図６および図７参照）および（ｉｉ）第２の入口穿孔１１４ｂとの間の距離に等しい距離だけ、一対のフラッパ１３５それぞれを中央ハブ１３８から離隔させるのに十分な長さを有する。フラッパ１３５は、図５に示すように円形状で入口穿孔１１４を覆うようにサイズ規定されている。弁１３３は、好適な粘弾性を有するゴムまたは他のポリマー等の弾性材料により形成されていてもよい。弁１３３の寸法および材料は、弁１３３の長さに直交する軸周りの弾性変形を容易化するように設定されている。言い換えると、弁１３３の寸法および材料は、フラッパ１３５が近位−遠位方向に移動し得るように、ウィング１３９の弾性変形を容易化するように設定されている。図６および図７は、自然または非応力状態にある弁１３３を示している。ウィング１３９の屈曲特性は、真空ポンプが与える予想レベルの真空下でのフラッパ１３５の移動の所望の大きさに基づいて調節されるようになっていてもよい。弁１３３の特定の特徴は、２００９年１１月１０日に発行された米国特許第７，７１５，０３７号に開示のものと同様であってもよく、そのすべての内容を本明細書に援用する。
【００１６】
マニホールド１００の組み立て時、弁１３３は、ハウジング１０２、より詳細には、キャップ部１０６に結合されるようになっていてもよい。相補結合器１０７、１３７が係合され、キャップ部１０６の内面または近位面に直接隣接または接触して、弁１３３が位置決めされる。特に、弁１３３が自然または非応力状態では、フラッパ１３５がキャップ部１０６の内面または近位面に接触するとともに、移行穿孔１２５および第２の入口穿孔１１４ｂを覆っている。マニホールド１００がマニホールド受容体５４に挿入され、医療廃棄物収集システム５０が動作する状態では、吸引入口５８と流体連通したマニホールド１００の真空またはマニホールド１００を通じた真空が引かれる。キャップ１５１ａ、１５１ｂが周囲との流体連通から各入口穿孔１１４ａ、１１４ｂを封止していない場合は、フラッパ１３５のウィング１３９の弾性変形によってウィング１３９を近位方向に屈曲可能とするのに、マニホールド１００の真空引きまたはマニホールド１００を通じた真空引きで十分である。入口穿孔１１４および移行穿孔１２５の一方または両方の近位端からフラッパ１３５を遠ざけることにより、入口穿孔１１４ａ、１１４ｂからマニホールド容積１０８ひいては吸引入口５８に達する吸引経路が確立される。マニホールド１００の真空引きまたはマニホールド１００を通じた真空引きの中断に際しては、弁１３３が自然または非応力状態に戻り、ウィング１３９がフラッパ１３５を弾性移動させてキャップ部１０６の内面または近位面に接触させることにより、入口穿孔１１４および移行穿孔１２５の近位端を覆って封止する。入口穿孔１１４および移行穿孔１２５の近位端の封止により、マニホールド容積１０８から補助スリーブ１１３および入口穿孔１１４ｂそれぞれへの逆流ひいては廃棄物の考え得る流出が防止される。
【００１７】
マニホールド１００は、ハウジング１０２内および吸引経路中に配設されたフィルタ要素１１６を具備していてもよい。フィルタ要素１１６は、吸引経路に沿って吸い取られる流れに取り込まれた半固形および固形物を捕獲あるいはフィルタリングするように構成された多孔質機構または開口部１１８を具備する。言い換えると、吸引経路は、マニホールド容積１０８、フィルタ要素１１６、および出口開口１１０のそれぞれを通って、入口穿孔１１４ａ、１１４ｂから吸引入口５８まで設けられる。フィルタ要素１１６は、基壁１２０および当該基壁１２０から遠位方向に延びた少なくとも１つの側壁１２１を含むことにより、口部を規定するバスケット状構造１１９を構成していてもよい。多孔質機構は、基壁１２０、側壁１２１、および／または後述する鍔部１１７内に規定されていてもよい。本体部１０４に対するフィルタ要素１１６の回転配向を維持するため、フィルタ要素１１６および本体部１０４は、本体部１０４内でフィルタ要素１１６を半径方向に位置合わせするように構成されたリブ１１５を含む複数の機構を具備していてもよい。さらに、フィルタ要素１１６は、マニホールド１００の出口開口１１０と流体連通したマニホールド容積１０８とは別個の場所に配設されていてもよい。マニホールド１００の特定の実施態様に適するフィルタ要素１１６の形状および構成は、２０１８年３月１５日に出願された共同所有の国際公開第ＷＯ２０１８／１７０２３３号に開示されており、そのすべての内容を本明細書に援用する。さらに、フィルタ要素１１６は任意選択と考えられ、フィルタ要素を含まないマニホールド設計も考えられる。
【００１８】
フィルタ要素１１６は、バスケット１１９に結合された鍔部１１７を具備していてもよい。鍔部１１７は、バスケット１１９から遠位方向かつ半径方向外方に延びていてもよい。鍔部１１７は、バスケット１１９の外径または外形寸法よりも大きな外径または外形寸法を有ししていてもよい。図６および図７をさらに参照して、バスケット１１９の長さは、本体部１０４内に配設されるようなものであってもよく、鍔部１１７の長さは、本体部１０４の首部１０５内に配設されるようなものであってもよい。首部１０５の内面からは、段差１０９が半径方向内方に延びている。本体部１０４の段差１０９に隣接または接触して、鍔部１１７の一部を規定するフィルタ要素１１６の張り出し壁が位置決めされていてもよい。その結果の構成として、本体部１０４がキャップ部１０６と結合された場合には、干渉係合によって、バスケット１１９がマニホールド容積１０８内に固定される。言い換えると、マニホールド１００の組み立て時は、フィルタ要素１１６の鍔部１１７がキャップ部１０６の内面に接触して位置決めされ、本体部１０４がフィルタ要素１１６のバスケット１１９上を前進するようになっていてもよい。本体部１０４は、後述のようにキャップ部１０６に結合され、本体部１０４の段差１０９は、鍔部１１７の近位側を規定する張り出し壁に係合して、マニホールド容積１０８内でフィルタバスケット１１６を軸方向に固定する。前述の通り、本体部１０４内でスロット（図示せず）に係合するリブ１１５は、本体部１０４内でフィルタ要素１１６を半径方向に位置合わせする。
【００１９】
フィルタ要素１１６は、最も広い意味において、医療廃棄物収集システム５０が与える真空の影響下でマニホールド１００を通じて引っ張られる液体廃棄物に取り込まれた半固形または固形廃棄物を捕獲または収集するように構成された構造を含む。フィルタ要素１１６の開口部は、特に孔、細孔、および／またはスロットとして成形されていてもよい。孔、細孔、および／またはスロットは、基壁１２０、側壁１２１、および鍔部１１７のうちの任意の１つまたは複数において規定されていてもよい。開口部は、その種類および位置において、フィルタ要素１１６の目詰まりを最小限に抑えるように配置されている。たとえば、側壁１２１内に規定されたスロットは、フィルタ要素１１６の下側側面よりも上側側面に近く位置決めされている。半固形または固形廃棄物は、収集されると、重力の影響下でバスケット１１９の底部に蓄積し、その後の廃棄物は、蓄積物の上方を通って流れる。十分な量の半固形または固形廃棄物が蓄積したら、廃棄物は、スロットに遭遇するのが望ましいと考えられる。スロットは、より大きな体積流を可能にするための面積を有しつつ、（細孔と同じサイズの半固形または固形廃棄物を捕獲するために）細孔と略等しい最小の寸法を有する。さらに、スロットの垂直配置は、吸引経路に直交するとともに重力に平行である。このため、半固形または固形廃棄物がさらに蓄積しても、実質的にバスケット１１９全体が廃棄物で使い果たされるまでは、スロットの少なくとも一部が遮られずに残るため、マニホールド１００の運用ライフサイクルが最大化される。
【００２０】
フィルタ要素１１６は、その上側側面に位置決めされた少なくとも１つの過充填開口（図示せず）を含んでいてもよい。過充填開口は、マニホールド１００の運用サイクルを最大化するように構成されている。上記説明の通り、半固形または固形廃棄物は、収集されると、重力の影響下でバスケット１１９の底部に蓄積する。吸引経路の方向（すなわち、近位方向）のため、半固形または固形廃棄物は、バスケット１１９の基壁１２０に蓄積することになる。外科手術の間に十分な量の半固形または固形廃棄物が生成された場合は、蓄積した半固形または固形廃棄物でバスケット１１９全体が使い果たされている可能性がある。言い換えると、フィルタ要素１１６の孔、細孔、および／またはスロットのほとんどまたはすべてが半固形または固形廃棄物で目詰まりしている可能性がある。過充填開口は、吸引経路が当該過充填開口を通ってバスケット１１９の外部へとルーティングされ得るようにサイズ規定および位置決めされている。言い換えると、流体が最小抵抗の経路をとる流体力学に関する了解済みの原理により、前述のシナリオの吸引経路は、入口穿孔１１４ａ、１１４ｂからキャップ部１０６を通り、バスケット１１９と本体部１０４の内面との間の本体部１０４内の過充填開口を通って、後述する出口開口１１０まで延びている。
【００２１】
ここで図５を参照して、キャップ部１０６は、キャップヘッド１４２および支持フレーム１４３を具備する。支持フレーム１４３は、キャップヘッド１４２と一体的に形成されていてもよい。支持フレーム１４３は、キャップヘッド１４２より遠位に位置決めされ、マニホールド１００の前部を大略規定する。キャップ部１０６は、上側障壁１０３、第１の入口継手１１２ａ、および第２の入口継手１１２ｂを具備する。より詳細には、支持フレーム１４３に結合された補助スリーブ１１３が第１の入口継手１１２ａを含み、キャップヘッド１４２が第２の入口継手１１２ｂを含む。第１の入口継手１１２ａは、第１の入口穿孔１１４ａが遠位障壁１０３を通って延びた状態で、遠位障壁１０３から上方に延びている。第２の入口継手１１２ｂは、第２の入口穿孔１１４ｂ（本明細書においては、バイパス穿孔とも称する）がキャップヘッド１４２を通って延びた状態で、キャップヘッド１４２から遠位方向に延びている。
【００２２】
マニホールド１００のハウジングは、補助スリーブ１１３に通じる補助開口１１１をさらに規定する。補助スリーブ１１３は、上側障壁１０３、下側障壁１２２、および上側障壁１０３と下側障壁１２２との間に延びた両側障壁１２３によって少なくとも部分的に規定されていてもよい。補助スリーブ１１３は、補助開口１１１の反対の端部障壁１２４によってさらに規定されていてもよい。補助スリーブ１１３は、穿孔１２５（本明細書においては、移行穿孔とも称する）およびキャップ面板１４０を通って延びた開口部１５８を通じて、マニホールド容積１０８と流体連通している。より詳細に、穿孔１２５は、下側障壁１２２および両側障壁１２３のうちの少なくとも１つにおける第１の端部とマニホールド容積に通じる第２の端部（たとえば、開口部１５８）との間に規定されている。
【００２３】
マニホールド１００は、補助スリーブ１１３内に取り外し可能に位置決めされるように構成されたトレー１７６を具備する。トレー１７６は、組織収集キャビティ１８２および当該組織収集キャビティ１８２内の多孔質機構１８６を規定する。トレー１７６が補助スリーブ１１３内に位置決めされた状態では、多孔質機構１８６が吸引経路中に存在して、組織サンプルを収集する。トレー１７６は、補助スリーブ１１３内に収まった場合に補助開口１１１と封止係合するように構成された封止面１５５をさらに含む。特に、トレー１７６は、補助開口１１１の外周に接触するように構成された状態の封止面１５５を規定するフランジを具備していてもよい。さらに詳細には、上側障壁、下側障壁、および両側障壁１０３、１２２、１２３によって一体的に補助開口１１１が規定された状態で、上側障壁、下側障壁、および両側障壁１０３、１２２、１２３それぞれの端部に封止面１５５が接触するように構成されている。トレー１７６が補助スリーブ１１３内にあり、封止面１５５が補助開口１１１を覆った状態では、医療廃棄物収集アセンブリ５０の動作中に、吸引経路を通る吸引が維持される。
【００２４】
収集された組織サンプルの回収が望ましくなったら、組織サンプルが組織収集キャビティ１８２内に配設された状態で、補助スリーブ１１３からトレー１７６を摺動可能に取り出すことができる。ただし、補助開口１１１との封止係合から封止面１５５を動かすと、流体力学の原理に従って、第２の吸引経路が生成され得る。吸引ラインから補助スリーブ１１３およびマニホールド容積を通って出口開口に達する第１の吸引経路は縮小または省略となる可能性があり、補助開口１１１から補助スリーブ１１３およびマニホールド容積を通って出口開口まで、第２の吸引経路が生成される。言い換えると、穿孔１２５は第１および第２の両吸引経路に共通であり、流体自体（たとえば、空気対液体廃棄物）ならびに第１および第２の吸引経路において流体にかかる相対抵抗に応じて、第２の吸引経路は、トレー１７６が補助スリーブ１１３から摺動可能に取り出されている場合に、補助開口１１１および補助スリーブ１１３を通る流体（通常、空気）の相当な体積流を含んでいてもよい。既知のシステムにおいて、組織試料は、流体の体積流および関連する力を受ける可能性があり、組織サンプルは、流体の流れに沿って一掃され、トレーから排出される可能性があるため望ましくない。他の例では、医療廃棄物収集アセンブリからのマニホールドの取り外しおよび／または医療廃棄物収集アセンブリの動作の中断の必要なく、おそらくは一時的に、第１の吸引経路を通る吸引を「流出」または低減させるのが望ましいと考えられる。既知のシステムは、この要件に適切に対処していない。
【００２５】
マニホールド１００は、組織サンプルが不用意に失われる可能性が最小限に抑えられるように、第２の吸引経路を位置付けられるため都合が良い。さらに、マニホールド１００は、第１の吸引経路が一時的に制限または省略され得るように、第２の吸引経路に十分な体積流を確保できるため都合が良い。
【００２６】
ここで図６および図７を参照して、マニホールド１００のハウジングは、補助スリーブ１１３内に配設された位置付け機構１４５を備える。最も広い意味において、位置付け機構１４５は、トレー１７６の基部１８４（本明細書においては、スクリーン面とも称する）と補助スリーブ１１３を少なくとも部分的に規定する下側障壁１２２の少なくとも一部との間に隙間（Ｇ）が規定されるように、トレー１７６を適当に位置付けるように構成されている。以下に詳しく説明する通り、隙間（Ｇ）は、第２の吸引経路（ＳＳＰ）が流体力学により、トレー１７６の組織収集キャビティ１８２に遭遇することなく隙間（Ｇ）を通って案内されることにより、組織サンプルの消失の可能性が最小限に抑えられるようにサイズ規定されている。図示の位置付け機構１４５は、トラフ１２７を間に規定するプラトー１４７である。当然のことながら、トラフ１２７は、補助スリーブ１１３の少なくとも一部を規定するとともに、補助開口１１１まで延びている。
【００２７】
図８および図９は、基部１８４を具備するトレー１７６を示している。図示のように、基部１８４は、わずかにアーチ状であってもよいが、その代替として、平面状であってもよいし、任意好適なプロファイルであってもよい。トレー１７６は、基部１８４に結合された側部１８５（本明細書においては、側面とも称する）をさらに具備する。基部および側部１８４、１８５は、封止面１５５から延び、組織収集キャビティ１８２を規定するように構成されていてもよい。慣例として、組織収集キャビティ１８２は、側部１８５と平行な方向に基部１８４から遠ざかるように開口していると考えられる。多孔質機構１８６は、基部１８４内に規定されている。
【００２８】
トレー１７６は、ユーザからの入力を受けるように構成された１つまたは複数の制御面１８８ａ、１８８ｂを備える。図８および図９は、フランジから封止面１５５の反対方向に延びた２つの制御面１８８ａ、１８８ｂを示している。制御面１８８ａ、１８８ｂは、ユーザの指で摘まむ把持部として形成されていてもよい。より具体的に、把持部は、一体的に配置された第１の部分１８８ａおよび第２の部分１８８ｂを具備しており、ユーザが摘まむことによって、後述する機能のために第１の部分１８８ａを第２の部分１８８ｂ側に移動させるようになっていてもよい。
【００２９】
トレー１７６がハウジングと取り外し可能に結合された状態で、図５に示すように、（ｉ）封止部材１５５が補助開口１１１を封止し、（ｉｉ）組織収集キャビティ１８２が補助スリーブ１１３内に位置決めされるとともに入口穿孔１１２ａ側に通じ、（ｉｉｉ）基部１８４および／または側部１８５が補助スリーブ１１３内の位置付け機構１４５に係合して、トレー１７６の基部１８４と下側障壁１２２との間に前述の隙間（Ｇ）を設ける。より具体的には、トレー１７６の基部１８４の下面とトラフ１２７の上面との間に隙間（Ｇ）が規定されるように、トレー１７６の基部１８４がプラトー１４７に載置あるいは支持されるように構成されていてもよい。隙間（Ｇ）は、トレー１７６の直下にある（すなわち、前述の慣例において、組織収集キャビティ１８２の反対側にある）と考えられる。トレー１７６が補助スリーブ１１３内に位置決めされた状態では、マニホールド容積１０８まで延びた穿孔１２５と隙間（Ｇ）が連通する。さらに、トレー１７６の上側側面は、ほとんど距離を空けずに、上側障壁１０３に隣り合って位置決めされている
【００３０】
封止面１５５の少なくとも一部が弾性的に可撓性の材料で形成されていてもよい。特に、封止面１５５の下側側面（すなわち、補助開口１１１を少なくとも部分的に規定する下側障壁１２２の端部に接触する封止面１５５の側面）が弾性的に可撓性の材料で形成されていてもよい。弾性的に可撓性の材料は、たとえばガセット１２９によって、制御面１８８に堅く結合されている。図９を同時に参照して、ガセット１２９は、封止面１５５を規定するフランジと制御面１８８を規定する把持部の第２の部分１８８ｂとを堅く結合する三角形状の構造である。
【００３１】
運用において、ユーザは、第１の入口穿孔１１４ａ、補助スリーブ１１３、および穿孔１２５を通る第１の吸引経路を縮小または省略したい場合、入力を制御面１８８に与える。特に、ユーザは、制御面１８８を規定する把持部の第１および第２の部分１８８ａ、１８８ｂを摘まむようにしてもよい。特に図６および図７を参照して、第１の部分１８８ａが第２の部分１８８ｂ側に移動または枢動（Ｐ）することにより、マニホールド１００を封止構成から流出構成へと移動させる。封止面１５５を規定するフランジの弾性的に可撓性の材料およびガセット１２９からの剛性接続により、下側障壁１２２に近い補助開口１１１の部分から、封止面１５５の少なくとも一部が遠ざかる。補助開口１１１まで延びたトラフ１２７が大気に曝されて、第２の吸引経路（ＳＳＰ）が設けられる。図７に示すように、第２の吸引経路（ＳＳＰ）は、トレー１７６の基部１８４と補助スリーブ１１３を規定するハウジングの下側障壁１２２との間の隙間（Ｇ）を通って、補助開口１１１から穿孔１２５まで位置付けられている。手術部位で十分上流に配設された吸引ラインの端部に対して、第２の吸引経路（ＳＳＰ）に入る流体（たとえば、空気）の抵抗が小さいこと（および、空気に対する吸引ライン中の廃棄物の密度）により、流体力学によって、第２の吸引経路（ＳＳＰ）が流出構成における主要吸引経路となり、吸引ライン５２において無視可能な吸引が維持され得る。ユーザは、第１の吸引経路（ＦＳＰ）を主要（かつ、唯一の）吸引経路として迅速に再確立したい場合、制御面１８８に与えた入力を単に解除する。封止面１５５および当該封止面１５５に隣り合う第２の吸引経路（ＳＳＰ）の弾力性により、封止面１５５が補助開口１１１に再び係合するため、マニホールド１００が封止構成となる。マニホールド１００を封止構成と流出構成との間で移動させることは、過度の困難および医療廃棄物収集アセンブリ５０の動作の停止なく、必要に応じて何度でも可能である。
【００３２】
さらに、前述の通り、第２の吸引経路（ＳＳＰ）は、トレー１７６の下側（すなわち、前述の慣例において、組織収集キャビティ１８２の反対側）に位置付けられている。結果として、ユーザは、組織収集キャビティ１８２に収集された組織サンプルを回収したい場合、トレー１７６を補助スリーブ１１３から引き抜きつつ、制御面１８８への入力を維持する。上側障壁１０３に隣接して位置決めされたトレー１７６の上側側面との如何なる距離よりも隙間（Ｇ）が相対的に大きいことから、トレー１７６の取り出しに際しては、第２の吸引経路（ＳＳＰ）のほぼ全体がトレー１７６の下側に存在し続ける。当然のことながら、トレー１７６の上を移動して組織収集キャビティ１８２に引き込まれる第２の吸引経路（ＳＳＰ）の流体の如何なる流れも無視し得る。結果として、ユーザは、収集された組織サンプルの不用意な消失によって外科手術の重要な局面を妥協するリスクなく、トレー１７６を確実に取り出すことができる。
【００３３】
図８および図９を参照して、トレー１７６は、基部１８４から延びた足部１３１、より詳細には、基部１８４から組織収集キャビティ１８２の反対方向に延びた足部１３１を具備していてもよい。足部１３１は、大略Ｕ字状であり、底面視で基部１８４の多孔質機構１８６の境界を示していてもよい（図９参照）。あるいは、足部１３１は、たとえば側部１８５の近くで基部１８４から延びた一連の不連続突起であってもよい。また、当然のことながら、大略Ｕ字状の足部１３１は、トレー１７６全体が補助スリーブ１１３内に位置決めされた場合に、マニホールド容積１０８と連通した穿孔１２５の境界を示していてもよい。言い換えると、足部１３１の側部がそれぞれ、プラトー１４７のうちの１つに支持されていてもよく、また、補助開口１１１の反対の端部障壁１２４の近くで、足部１３１の遠位部が下側障壁１２２に支持されていてもよい。足部１３１と下側障壁１２２との間の相対的に最小限の間隙（特に、穿孔１２５の境界規定を伴う）により、（多孔質機構１８６を通じる場合を除いて）マニホールド１００が流出構成の場合は、第２の吸引経路（ＳＳＰ）が第１の吸引経路（ＦＳＰ）から実質的に隔離される。この構成により、マニホールド１００が流出構成の場合は、第２の吸引経路（ＳＳＰ）と第１の吸引経路（ＦＳＰ）との間の抵抗の差異がさらに大きくなるため、第２の吸引経路（ＳＳＰ）が流出構成における主要吸引経路となり、吸引ライン５２において無視可能な吸引が維持されるようになっていてもよい。
【００３４】
足部１３１は、さらにトレー１７６の基部１８４を補助スリーブ１１３内に位置付けるようにさらに構成されていてもよい。より詳細に、足部１３１は、前述の通り、プラトー１４７に支持されていてもよいし、プラトー１４７に隣接して位置決めされていてもよく、隙間（Ｇ）を規定する基部１８４と下側障壁１２２との間に別の間隙が設けられていてもよい。図７は、プラトー１４７のレベルより上方で隙間（Ｇ）がトレー１７６の基部１８４まで延びるように、下側障壁１２２に載置された足部１３１の遠位部を示している。隙間（Ｇ）のサイズ（すなわち、トラフ１２７を規定する基部１８４から下側障壁１２２までの距離）を最大化することによって、流出機能の効果が高くなるとともに、第２の吸引経路（ＳＳＰ）の流体がトレー１７６の上方を流れて、収集された組織サンプルを場合により排除または排出してしまう可能性がさらに低くなる。
【００３５】
図８および図９を引き続き参照して、トレー１７６は、補助スリーブ１１３の相補配向機構１８９（図４に示す）に係合して、特に組織収集キャビティ１８２が上側障壁１０３に通じた状態で、上側障壁１０３に対する単一の相対配向にて当該トレー１７６を補助スリーブ１１３内に位置決めするように構成された配向機構１８７を具備していてもよい。補助スリーブ１１３の配向機構１８９としては、各両側障壁１２３内に規定された溝が考えられる。言い換えると、両側障壁１２３はそれぞれ、上側障壁１０３の近くで外方に張り出して、溝を規定する。トレー１７６の配向機構１８７としては、特にトレー１７６の上側側面の近くで側部１８５から延びたレールが考えられる。相補配向機構１８７、１８９は、溝内でのレールの摺動によって、移動可能に係合されるように構成されていてもよい。トレー１７６の配向機構１８７は、下側障壁１２２に対する基部１８４の垂直方向位置を規定することにより、少なくとも部分的に隙間（Ｇ）のサイズに影響を及ぼす位置付け機構として、さらに機能するようになっていてもよいことが了解される。
【００３６】
特定の実施態様において、キャップ部１０６および本体部１０４は、取り外し可能に相互結合されている。図３〜図５を参照して、キャップ部１０６は、本体部１０４の少なくとも１つのキー溝１４８または胴体結合器と取り外し可能に結合されるように構成された少なくとも１つのキー１４６またはヘッド結合器を具備する。キー１４６は、直径方向に相互対向し、キャップ部１０６から近位方向に延びた２つのキー１４６であってもよい。キー溝１４８は、直径方向に相互対向し、本体部１０４の首部１０５から半径方向外方に延びた少なくとも１つのリップ１４９間に規定された２つのキー溝１４８であってもよい。別の実施態様において、キー１４６およびキー溝１４８はそれぞれ、約１２０°相互に離隔した３つのキー１４６および３つのキー溝１４８であってもよい。キー溝１４８は、挿入部１５２および当該挿入部１５２と連通した係止部１５３を具備していてもよい。図１１に最も良く示すように、挿入部１５２は、係止部１５３より広くてもよい。言い換えると、係止部１５３を規定するリップ１４９の部分が、挿入部１５２を規定するリップ１４９の部分より薄くてもよい。キー１４６は、脚部１６２および当該脚部１６２から延びた返し１６４を具備していてもよい。返し１６４は、脚部１６２より厚くてもよい。挿入部１５２の幅は、返し１６４の厚さよりも大きく、かつ、脚部１６２の厚さよりも大きく、係止部１５３の幅は、返し１６４の厚さよりも小さく、かつ、脚部１６２の厚さよりも大きい。さらに、脚部１６２の長さは、少なくともリップ１４９の長さに等しくてもよい。より詳細に、脚部１６２の長さは、挿入部１５２を規定するリップ１４９の部分の長さより大きくてもよく、また、脚部１６２の長さは、係止部１５３を規定するリップ１４９の部分の長さに略等しくてもよい。結果として、マニホールド１００の組み立て時またはキャップ部１０６を本体部１０４と結合するのが望ましい場合、キャップ部１０６は、返し１６４が挿入部１５２と回転方向に位置合わせされるように、本体部１０４に対して配向する。返し１６４が挿入部１５２を通って延び、リップ１４９を通過するとともに、脚部１６２が挿入部１５２内に位置決めされるように、キャップ部１０６が本体部１０４側に移動する。キャップ部１０６は、たとえば図１１に向かって時計回りに、本体部１０４に対して回転することにより、キー溝１４８内でキー１４６を移動させる。脚部１６２は、係止部１５３を規定するリップ１６６の部分と返し１６４が干渉配置にて位置決めされた状態で、挿入部１５２内から係止部１５３内へと移動する。干渉は、本体部１０４に対するキャップ部１０６の軸方向移動を防止し、キャップ部１０６は、本体部１０４に固定されて、マニホールド１００のハウジング１０２を構成するものと考えられる。
【００３７】
キャップ部１０６と本体部１０４との間の取り外し可能な結合によって、フィルタ要素１１６が配設されたマニホールド容積１０８にアクセス可能である。数ある利点の中でもとりわけ、フィルタ要素１１６へのアクセスによって、ユーザは、特定の外科手術中に、フィルタ要素１１６に収集された廃棄物（最も顕著なものとして、ポリープまたは組織サンプル）を回収して、さらに検査および処理することができる。２０１３年６月２０日に公開された共同所有の国際公開第ＷＯ２０１３／０９０５７９号は、ポリープまたは組織サンプルを収集する組織トラップを具備するマニホールドを開示しており、そのすべての内容を本明細書に援用する。特定の実施態様において、マニホールド１００（キャップ部１０６を含む）は、組織サンプルの収集を容易化する別の機構を具備していてもよい。
【００３８】
本体部１０４からキャップ部１０６を分離するのが望ましい場合は、前述の方法ステップが反転する。キャップ部１０６は、図１１に向かって反時計回りに、本体部１０４に対して回転することにより、キー溝１４８内でキー１４６を移動させる。脚部１６２は、係止部１５３を規定するリップ１４９の部分との干渉配置から返し１６４が取り外された状態で、係止部１５３内から挿入部１５２内へと移動する。キャップ部１０６は、返し１６４がリップ１４９を通過するように本体部１０４から遠ざかり、キー１４６がキー溝１４８から係合解除されたものと考えられる。図５に大略示すように、キャップ部１０６のキャビティ１３０へのアクセスおよび／または本体部１０４のマニホールド容積１０８へのアクセスが可能である。
【００３９】
特定の実施態様において、キャップ部１０６および本体部１０４は、好適な連結プロセス（たとえば、スピン溶接、溶剤結合、接着、機械的締結等）によって堅く接続されている。前述の通り、ハウジング１０２は、ヘッドおよび胴体が離散しないように、一体または単一構成であってもよい。ハウジング１０２を構成する好適な製造プロセスとしては、特に射出成型、３次元印刷、コンピュータ数値制御（ＣＮＣ）機械加工、ポリマー鋳造、真空成形、ブロー成形が挙げられる。ハウジング１０２を構成する好適な材料としては、ポリマー、複合材、金属、セラミック、およびこれらの組み合わせが挙げられる。これらの材料は、廃棄物に曝された場合の劣化を回避するのに十分な防食特性および医療廃棄物収集システムが与える真空レベルの下で完全性を維持するのに十分な機械的特性を有する。低コストおよび使い捨ての実施態様においては、ポリエチレン、ポリプロピレン、ポリ塩化ビニル、ポリエチレンテレフタレート（ＰＥＴ、ＰＥＴＥ）、ポリスチレン、ポリカーボネート、およびポリ（メチルメタクリレート）のポリマーがマニホールド１００に特に適すると考えられる。
【００４０】
ここで図１２〜図１４を参照して、これらの図は、少なくとも一部の点で上述のものに類似する別のマニホールド２００を示している（特定の同じ構成要素は、同じ番号に１００を足して示している）。マニホールド２００は、マニホールド受容体５４と取り外し可能に係合されるように構成されたハウジング２０２を具備する。ハウジング２０２は、本体部２０４および当該本体部２０４に結合されたキャップ部２０６を具備する。図１４に最も良く示すように、ハウジング２０２は、マニホールド容積２０８および当該マニホールド容積２０８と流体連通した出口開口２１０を規定する。本体部２０４は、近位基部２２６と、当該近位基部２２６から遠位方向に延びてマニホールド容積２０８の一部を含むキャビティ２３０を規定する側部２２８とを含んでいてもよい。出口開口２１０は、近位基部２２６内に位置決めされていてもよい。キャップ部２０６は、マニホールド容積２０８と流体連通した入口穿孔２１４を規定する入口継手２１２を具備する。ドリップ弁２３２は、上述のように出口開口２１０内に配設されていてもよい。
【００４１】
図１５〜図１７は、キャップ面板２４０およびキャップヘッド２４２を含むキャップ部２０６を示している。キャップヘッド２４２は、本体部２０４と結合されていてもよい。キャップヘッド２４２は、環状プラトー２４６で終端する環状傾斜面を含んでいてもよい。環状傾斜面２４４は、本体部およびキャップ部２０４、２０６が組み立てられる際の本体部２０４のフランジ２４８の弾性撓みを伝えるように成形されている。フランジ２４８は、返し機構２５０が環状プラトー２４６を通過し、外方への弾性撓みによって環状プラトー２４６と干渉係合するまで、キャップヘッド２４２内で案内される。このような構成において、本体部およびキャップ部２０４、２０６は一般的に、分離が防止される。さらに、キャップヘッド２４２は、１つまたは複数の配向機構２５２（たとえば、環状内面から半径方向内方に延びた１つまたは複数対のリブ）を具備する。リブは、フランジ２４８を間に受容して、本体部２０４に対するキャップヘッド２４２の回転を防止する。また、リブは、フィルタ要素２１６のタブ２２７を受容して、キャップ部２０６に対するフィルタ要素２１６の回転を防止するようにしてもよい。
【００４２】
キャップヘッド２４２は、遠位方向に延びて遠位面２５６で終端する少なくとも１つの側壁２５４を具備する。キャップヘッド２４２の遠位面２５６を通って、開口部２５８が延びる。キャップヘッド２４２は、遠位面２５６から遠位方向に延び、キャビティ２６２および結合機構２６４を規定するスピンドル２６０を具備する。結合機構２６４は、キャップ面板２４０の相補結合機構２６６とのバヨネットマウントをもたらすように構成された一対のスロットである。キャップ面板２４０の相補結合機構２６６は、スロット内に受容されるように円周方向に配置されたポストである。相補結合機構２６６は、スピンドル２６０のキャビティ２４２内に受容されるように構成された管状部２６８から半径方向に延びている。キャップ面板２４０は、近位面２７０および当該近位面２７０の反対の遠位面２７２を含むディスク状であってもよい。管状部２６８は、近位面２７０から近位方向に延びている。キャップヘッド２４２と取り外し可能に結合されたキャップ面板２４０の分離を容易化するため、キャップ面板２４０は、ユーザが操作する（たとえば、摘まむ）ように構成された把持部２７４を具備していてもよい。
【００４３】
キャップ部２０６のキャップ面板２４０は、入口継手２１２を具備する。図１５に示すように、入口継手２１２は、入口穿孔２１４がキャップ面板２４０を通って延びた状態で、キャップ面板２４０の遠位面２７２から遠位方向に延びている。結果として、マニホールド２００が組み立てられた状態では、本体部２０４に対して入口継手２１２が回転可能に固定される。
【００４４】
マニホールド２００を備えた医療廃棄物収集アセンブリ５０の動作中は、フィルタ要素２１６の多孔質機構２１８によって、組織サンプルが収集され得る。ただし、フィルタ要素２１６からの組織サンプルの回収は、煩雑になる可能性がある。結果として、マニホールドは、当該マニホールド２００からの組織サンプルの効率的な回収を可能とし、さらに、複数の組織サンプルの効率的な収集のほか、組織サンプルの収集のない（すなわち、構成要素の交換のない）システムの選択的動作を可能とするため、都合が良い。図１２および図１３を再び参照して、マニホールド２００は、ハウジング２０２に対して回転可能に結合されたトレー２７６を具備する。特に、図１９を同時に参照して、トレー２７６は、キャップヘッド２４２のスピンドル２６０を受容するようにサイズ規定された中央ルーメン２８０を規定する。トレー２７６は、スピンドル２６０の周りに回転可能に配設された状態で、キャップ面板２４０とキャップヘッド２４２との間、特に、キャップ面板２４０の近位面２７０とキャップヘッド２４２の遠位面２５６との間に位置決めされている。トレー２７６は、単一構成であってもよいし、複数の構成要素から構成されてトレーアセンブリを形成していてもよい。トレー２７６は、回転可能以外の方法にてハウジング２０２内で移動可能に配設されていてもよい。
【００４５】
トレー２７６は、複数の組織収集キャビティ２８２を規定する。組織収集キャビティ２８２はそれぞれ、少なくとも一部がトレー２７６を通って延びていてもよい。トレー２７６は、組織収集キャビティ２８２それぞれにおいて、多孔質機構２８６をさらに規定する。４つの組織収集キャビティ２８２を示すが、トレー２７６は、組織収集キャビティ２８２を１つ、２つ、３つ、５つ、または６つ以上具備していてもよいと考えられる。組織収集キャビティ２８２は、トレー２７６を通って同軸に延びた軸Ａの周りで角度的に等間隔であってもよい。トレー２７６の代替形態では、不等間隔であってもよいし、等間隔と不等間隔との組み合わせであってもよい。組織収集キャビティ２８２は、トレー２７６に一体化されたものとして示しているが、トレー２７６に対するモジュール式インサートとして構成されていてもよい。トレー２７６は、ユーザからの入力を受けるように構成された制御面２８８を備える。図１９は、中央ルーメン２８０と反対の環状外面２９０により実質的に規定され、大略円筒形状をトレー２７６に与える制御面２８８を示している。制御面２８８への入力によって、トレー２７６が軸Ａの周りに回転することにより、組織収集キャビティ２８２のうちの１つが入口穿孔２１４と選択的に流体連通するため、多孔質機構２８６が吸引経路に置かれて、医療廃棄物収集アセンブリ５０の動作中に組織サンプルを収集する。
【００４６】
キャップヘッド２４２の遠位面２５６は、前述の開口部２５８を規定していてもよい。キャップ面板２４０は、入口穿孔２１４が開口部２５８と位置合わせされた状態で、キャップヘッド２４２に対して回転可能に固定されている。トレー２７６は、入口穿孔２１４と開口部２５８との間で軸方向に位置決めされている。ユーザは、組織収集キャビティ２８２のうちの１つで組織サンプルを収集したい場合、入力を制御面２８８に与えて、トレー２７６を軸Ａの周りに移動（すなわち、回転）させることにより、組織収集キャビティ２８２のうちの１つを入口穿孔２１４（および、開口部２５８）と位置合わせする。組織収集キャビティ２８２は吸引経路中に存在し、吸引経路を通じて吸い取られている組織サンプルは、組織収集キャビティ２８２内の多孔質機構２８６に遭遇する。別の組織サンプルが望ましい場合、ユーザは単純に、別の入力を制御面２８８に与えて、トレー２７６を軸Ａの周りに回転させることにより、別の組織収集キャビティ２８２を入口穿孔２１４と位置合わせするようにしてもよい。この方法は、組織収集キャビティ２８２の数だけ繰り返されるようになっていてもよい。
【００４７】
さまざまな理由により、ユーザは、外科手術のある時点まで待った後、マニホールド２００を動作させて組織サンプルを収集する一方、他の理由（たとえば、視覚化）のために手術部位の吸い取りの能力を維持したい場合がある。さらに、組織サンプルが収集されたら、ユーザは、まずはマニホールド２００から組織サンプルを回収する必要なく、手術部位の吸い取りを継続したい場合がある。さらには、任意の期間にわたって、過去に収集された組織サンプル上で流れを案内することにより、組織サンプル自体が劣化する場合もある。マニホールド２００は、前述の検討事項に対処するため都合が良い。図１９を再び参照して、トレー２７６は、組織収集キャビティ２８２とは別個の少なくとも１つのバイパスチャネル２９２をさらに規定する。バイパスチャネル２９２はそれぞれ、トレー２７６を通って軸方向に延びた穿孔として成形されていてもよい。図示の実施態様は、４つのバイパスチャネル２９２を示すが、トレー２７６は、バイパスチャネル２９２を１つ、２つ、３つ、５つ、または６つ以上規定していてもよいと考えられる。組織収集キャビティ２８２およびバイパスチャネル２９２は、交互かつ軸Ａの周りで角度的に等間隔に配置されていてもよい。トレー２７６の代替形態では、組織収集キャビティ２８２および／またはバイパスチャネル２９２がグループ分けされていてもよく、また、不等間隔であってもよいし、等間隔と不等間隔との組み合わせであってもよい。さらに、トレー２７６は、当該トレー２７６の外面とハウジング２０２の内面との間にバイパスチャネル２９２が規定された状態で、組織収集キャビティ２８２のみを規定するように形成されていてもよいと考えられる。たとえば、トレー２７６は、三角形状で、組織収集キャビティ２８２を規定していてもよい。ハウジング２０２の内面がこの三角形に外接し、三角形状トレー２７６とハウジング２０２の内面との間のエリアがバイパスチャネル２９２を構成する。
【００４８】
医療廃棄物収集アセンブリ５０の動作中、トレー２７６は、軸Ａの周りに回転して、バイパスチャネル２９２を入口穿孔２１４および開口部２５８と選択的に位置合わせすることにより、組織サンプルの収集なく、流体がマニホールド２００を流れ得るように構成されている。特に、ユーザは、入力を制御面２８８に与えて、トレー２７６を軸Ａの周りに回転させることにより、バイパスチャネル２９２のうちの１つを入口穿孔２１４および開口部２５８の両者と位置合わせする。バイパスチャネル２９２が吸引経路にある状態では、組織収集キャビティが吸引経路になく、流れが多孔質機構２８６に遭遇しない。言い換えると、バイパスチャネル２９２が入口穿孔２１４と流体連通している場合は、組織収集キャビティ２８２が入口穿孔２１４と流体連通しないと考えられる。当然のことながら、組織サンプルがトレー２７６により収集されているか否かに関わらず、マニホールド２００のフィルタ要素２１６によって、流れのフィルタリングが行われる。
【００４９】
マニホールド２００のトレー２７６は、組織収集キャビティ２８２の角度位置に関する視覚的な印をユーザに与えるように構成された位置合わせ機構２９４を具備していてもよい。図１９および図２０は、トレー２７６の環状外面２９０から半径方向の延びたタブとして、位置合わせ機構２９４を示している。位置合わせ機構２９４は、軸Ａを通って延び、組織収集キャビティ２８２をそれぞれ二等分する平面と同一平面にあるものとして示している。また、位置合わせ機構２９４は、入力を制御面２８８に与える場合の制御面２８８の操作を改善するように機能し得るため都合が良い。ユーザは、位置合わせ機構２９４のうちの１つが入口穿孔２１４の半径方向中心と大略位置合わせされるまで、入力を制御面２８８（および／または、位置合わせ機構２９４）に与える。組織収集キャビティ２８２が入口穿孔２１４と位置合わせされた場合に、一対の対向する位置合わせ機構２９４が把持部２７４と同一平面になるように、把持部２７４は、キャップ面板２４０の遠位面２７２を二等分していてもよい。この付加的な位置合わせにより、ユーザには、視覚的確認が別途与えられ得る。マニホールド２００の好適な場所には、追加または代替の印が設けられ、トレー２７６の正確な配向を容易化するようになっていてもよいと考えられる。
【００５０】
マニホールド２００は、組織収集キャビティ２８２のうちの１つまたは複数において拡大をもたらすように位置決めされた１つまたは複数のレンズ２９６を具備していてもよい。図１８を参照して、レンズ２９６は、キャップ部２０６のキャップ面板２４０に配設されている。レンズ２９６は、入口継手２１２に隣接して位置決めされ、入口穿孔２１４と流体連通した組織収集キャビティ２８２内を視覚化する。別の実施態様（図２０参照）において、レンズ２９６は、トレー２７６に配設されている。組織サンプルのサイズが数ミリメートルのオーダであることが多く、レンズ２９６が組織収集キャビティ２８２のうちの１つまたは複数において拡大を行っている状態で、ユーザは、組織収集キャビティ２８２のうちの１つに十分な組織サンプルが収集されたかをより効率的かつ効果的に判定することができる。組織収集キャビティ２８２のうちの１つまたは複数を照らす照明が設けられていてもよいと考えられる。マニホールド受容体５４および／またはマニホールド２００に光源（図示せず）が好適に位置決めされ、組織収集キャビティ２８２内に光を案内するようになっていてもよい。
【００５１】
前述の通り、バイパスチャネル２９２によれば、ユーザは、まずはマニホールド２００から組織サンプルを回収する必要なく、また、最初に収集される組織サンプルの品質を妥協することなく、手術部位の吸い取りを継続可能である。結果として、マニホールド２００は、外科手術の終了まで、医療廃棄物収集アセンブリ５０との係合を維持可能である。その後、マニホールド２００は、組織サンプルの効率的な回収を容易化する。キャップ部２０６がトレー２７６に対して取り外し可能に結合されることにより、組織収集キャビティ２８２にアクセス可能となる。ユーザは、把持部２７４を一方の手で持ちつつ、マニホールド２００を他方の手で支えるようにしてもよい。ユーザは、キャップ面板２４０とキャップヘッド２４２との間の相補結合機構２６６、２６７（たとえば、バヨネットマウント）を係合解除するように把持部２７４を操作する。キャップ面板２４０がキャップヘッド２４２から分離されることにより、組織収集キャビティ２８２が露になる。さらに、キャップヘッド２４２のスピンドル２６０からトレー２７６が摺動可能に取り外されることにより、ユーザは、組織サンプルの回収中にトレー２７６を管理しさえすればよい。さらに、トレー２７６は、マニホールド２００のその他の部分から分離可能であるため、回収（たとえば、ホルマリン容器の中への組織サンプルを含むトレー２７６の配置）に先立って組織サンプルをさらに処理可能と考えられる。
【００５２】
図２０〜図２２は、マニホールド２００と併用する代替形態のトレー２７７、２７８、２７９を示している。多くの点において、トレー２７７、２７８、２７９は、上述のトレー２７６と同じであり、同じ番号が同じ構成要素を示す。図２０は、レンズ２９６が制御面２８８に配設され、制御面２８８の周りで円周方向に配置された様子を示している。レンズ２９６はそれぞれ、組織収集キャビティ２８２のうちの１つと角度的に位置合わせされている。なお、図２１においては、組織収集キャビティ２８２とは対照的に、位置合わせ機構２９４がバイパスチャネル２９２と角度的に位置合わせされ、レンズ２９６のための好適な空間を環状外面２９０に設けている。図２１は、制御面２８８に対するユーザの操作を改善するように異なる輪郭を含む環状外面２９０を示している。特に、環状外面２９０は、組織収集キャビティ２８２およびバイパスチャネル２９２の角度位置に対応する複数のピークを分離する複数の谷部を含む。位置合わせ機構２９４は、ピークの１つおきに配設され、組織収集キャビティ２８２の角度位置に対応する。なお、位置合わせ機構２９４は、上述のものよりも目立たない。図２２のトレー２７８は、特に、組織収集キャビティ２８２およびバイパスチャネル２９２の代替形状を示している。図２２の組織収集キャビティ２８２およびバイパスチャネル２９２は、大略パイ状の扇形により規定されている。さらに、トレー２７８は、中央ルーメン２８０から環状外面２９０まで半径方向に延びたチャネル２９５を含む。チャネル２９５は、対向面間に規定され、キャップ部２０６のスピンドル２６０の直径に略等しいか、またはそれ以上の幅を有する。チャネル２９５の幅は、トレー２７８と中央ルーメン２８０の一部との間に克服可能な締まり嵌めを与えるように、スピンドル２６０の直径よりわずかに小さくてもよい。チャネル２９５によれば、キャップ面板２４０をキャップヘッド２４２から分離する必要なく、マニホールド２００のその他の部分からトレー２７８を分離可能である。
【００５３】
ここで図２３〜図２５を参照して、これらの図は、少なくとも一部の点で上述のものに類似する別のマニホールド３００を示している（特定の同じ構成要素は、同じ番号に１００を足して示している）。マニホールド３００は、マニホールド受容体５４と取り外し可能に係合されるように構成されたハウジング３０２を具備する。ハウジング３０２は、本体部３０４および当該本体部３０４に結合されたキャップ部３０６を具備する。図２５に最も良く示すように、ハウジング３０２は、マニホールド容積３０８および当該マニホールド容積３０８と流体連通した出口開口３１０を規定する。本体部３０４は、近位基部３２６と、当該近位基部３２６から遠位方向に延びてマニホールド容積３０８の一部を含むキャビティ２３０を規定する側部３２８とを含んでいてもよい。出口開口３１０は、近位基部３２６内に位置決めされていてもよい。キャップ部３０６は、マニホールド容積３０８と流体連通した入口穿孔３１４を規定する入口継手３１２を具備する。ドリップ弁（図示せず）は、上述のように出口開口３１０内に配設されていてもよい。
【００５４】
キャップ部３０６は、本体部３０４に対して取り外し可能に結合されていてもよい。図２３および図２４を参照して、キャップ部３０６は、キャップ面板３４０のリムの近くで円周方向に位置決めされたフランジ３０７を具備する。フランジ３０７はそれぞれ、その近位端に傾斜面３０９を含む。フランジ３０７の傾斜面３０９は、本体部およびキャップ部３０４、３０６が組み立てられる際のフランジ３０７の弾性撓みを伝えるように成形されている。フランジ３０７は、返し機構３５０が本体部３０４の環状プラトー３４６を通過し、内方への弾性撓みによって環状プラトー３４６と干渉係合するまで、本体部３０４の側壁３２８上で案内される。さらに、本体部３０４は、１つまたは複数の配向機構３５２（たとえば、側壁３２８から半径方向に延びてフランジ３０７に係合し、本体部３０４に対するキャップ部３０６の回転を防止する１つまたは複数の表面）を具備する。言い換えると、キャップ部３０６は、本体部３０４に対して回転可能に固定されている。
【００５５】
マニホールド３００は、ハウジング３０２内および吸引経路中に配設されたフィルタ要素３１６を具備していてもよい。フィルタ要素３１６は、吸引経路に沿って吸い取られる流れに取り込まれた半固形および固形物を捕獲するように構成された多孔質機構３１８を規定する。フィルタ要素３１６は、ルーメン３２１を規定する内側環状リム３１９と反対の外側環状リム３１７を備えたディスク状として示している。図２４および図２５に示すように、トレー３７６は、その近位側から近位方向に延びた軸心３７７を具備する。フィルタ要素３１６のルーメン３２１は、トレー３７６の軸心３７７を受容するようにサイズ規定されている。さらに、トレー３７６およびフィルタ要素３１６はそれぞれ、トレー３７６に対するフィルタ要素３１６の回転を防止するように構成された相補配向機構３７９を具備する。言い換えると、後述のようにトレー３７６が軸Ａの周りを回転すると、これに対応してフィルタ要素３１６も回転する。配向機構３７９は、軸心３７７に配設されたキーと、フィルタ要素３１６に好適に配設された対応するキー孔（図示せず）とを具備していてもよい。
【００５６】
マニホールド３００は、ハウジング３０２に対して回転可能に結合されたトレー３７６を具備する。トレー３７６は、キャップ部３０６のキャップ面板３４０に近接して位置決めされている。図２６を同時に参照して、トレー３７６は、組織収集キャビティ３８２を規定する。組織収集キャビティ３８２はそれぞれ、扇形として形成されるとともに、内部に多孔質機構３８６を規定していてもよい。扇形は、大略パイ状であってもよい。また、図２６は、５つの組織収集キャビティ３８２を示すが、トレー３７６は、組織収集キャビティ３８２を１つ、２つ、３つ、４つ、または６つ以上具備していてもよいと考えられる。さらに、組織収集キャビティ３８２は、サイズが等しくてもよいが、代替形態では、不等サイズであってもよいし、等サイズと不等サイズとの組み合わせであってもよい。
【００５７】
マニホールド３００は、ユーザからの入力を受けるように構成された制御面３８８を備える。図２３〜図２５は、キャップ部３０６より遠位に位置決めされたノブ３８９に規定された制御面３８８を示している。特に、キャップ部３０６のキャップ面板３４０は、開口３０５を含み、それを通じて、制御面３８８が操作されるように構成されている。トレー３７６の場所に応じて、本体部３０４が代替的にこのような開口を含んでいてもよい。ノブ３８９は、相補配向機構３８１によってトレー３７６に結合されている。図２４は、中央ルーメン３８０の近くでトレー３７６内に規定されたキー溝を含む相補配向機構３８１を示しており、図２５は、ノブ３８９の近位領域から延びたキーを含む相補配向機構を示している。相補配向機構３８１は、ノブ３８９が軸Ａの周りに回転された場合に、これに対応してトレー３７６が回転するように、制御面３８８とトレー３７６との間の相対回転を保つように構成されている。
【００５８】
運用において、ユーザは、組織収集キャビティ３８２のうちの１つで組織サンプルを収集したい場合、入力を制御面３８８に与えて、ノブ３８９およびトレー３７６を軸Ａの周りに回転させることにより、組織収集キャビティ２８２のうちの１つを入口穿孔３１４と位置合わせする。位置合わせされた組織収集キャビティ３８２は吸引経路中に存在し、吸引経路を通じて吸い取られている組織サンプルは、組織収集キャビティ３８２内の多孔質機構３８６に遭遇する。別の組織サンプルが望ましい場合、ユーザは単純に、別の入力を制御面３８８に与えて、ノブ３８９およびトレー３７６を軸Ａの周りに回転させることにより、別の組織収集キャビティ３８２を入口穿孔３１４と位置合わせするようにしてもよい。この方法は、組織収集キャビティ３８２の数だけ繰り返されるようになっていてもよい。
【００５９】
上述の理由から、トレー３７６は、組織収集キャビティ３８２とは別個のバイパスチャネル３９２を規定する。図２６に示すバイパスチャネル３９２によれば、医療廃棄物収集アセンブリ５０の動作中、組織サンプルの収集なく、流体がマニホールド３００を流れ得る。トレー３７６は、軸Ａの周りの回転によって、バイパスチャネル３９２を入口穿孔３１４と選択的に位置合わせするように構成されている。特に、ユーザは、入力を制御面３８８に与えて、ノブ３８９およびトレー３７６を軸Ａの周りに回転させることにより、バイパスチャネル３９２を入口穿孔３１４と位置合わせする。前述の通り、バイパスチャネル３９２が入口穿孔３１４と流体連通している場合は、組織収集キャビティ３８２が入口穿孔３１４と流体連通しないと考えられる。マニホールド３００は、組織収集キャビティ３８２のうちの１つまたは複数における拡大の提供および視覚化の改善のため、上述のレンズ（図示せず）および／または照明を具備していてもよい。
【００６０】
マニホールド３００は、組織サンプルの効率的な回収を容易化する。マニホールド３００は、医療廃棄物収集アセンブリ５０から分離されるが、それは、外科手術の関連する局面が完了した後が最も多い。ユーザは、一方の手で本体部３０４を支え、キャップ部３０６のフランジ３０７の近位端における返し機構３５０と本体部３０４の環状プラトー３４６との間の干渉係合を克服する。キャップ部３０６が本体部３０４から分離されることにより、トレー３７６の組織収集キャビティ３８２に収集された組織サンプルが露になる。
【００６１】
ここで図２７および図２８を参照して、これらの図は、少なくとも一部の点で上述のものに類似する別のマニホールド４００を示している（特定の同じ構成要素は、同じ番号に１００を足して示している）が、簡略化のため、特定の特徴のみを明示的に説明する。マニホールド４００は、本体部４０４に対して回転可能に結合されたキャップ部４０６を具備しており、トレー４７６は、本体部４０４に対して回転可能に固定されている。図２８は、トレー４７６から近位方向に延びて、本体部４０４の相補配向機構（図示せず）に係合するように構成された配向機構４７９を規定する軸心４７７を示している。相補配向機構４７９の係合により、本体部４０４に対するトレー４７６の回転が防止される。
【００６２】
キャップ部４０６は、キャップ面板４４０のリムの近くで円周方向に位置決めされたフランジ４０７を具備する。フランジ４０７はそれぞれ、本体部およびキャップ部４０４、４０６が組み立てられる際のフランジ４０７の弾性撓みを伝えるように成形された傾斜面４０９を備える。フラン４０７は、返し機構４５０が本体部４０４の環状プラトー４４６を通過し、内方への弾性撓みによって環状プラトー４４６と干渉係合するまで、本体部４０４の側壁４２８上で案内される。本体部４０４は、本体部およびキャップ部４０４、４０６が上記のように結合された場合に、キャップ部４０６が本体部４０４に対して回転可能となるように、配向機構を具備していなくてもよい。特に、返し機構４５０は、本体部４０４に対するキャップ部４０６の軸方向位置を維持しつつ、環状プラトー４４６に沿って移動するようになっていてもよい。
【００６３】
キャップ部４０６が入口継手４１２を具備するため、キャップ部４０４の回転に対応して、特に本体部４０４に対して回転可能に固定されたトレー４７６に対して入口継手４１２の入口穿孔４１４が回転する。トレー４７６は、組織収集キャビティ４８２および当該組織収集キャビティ４８２内の多孔質機構４８６を規定し、バイパスチャネル４９２は、組織収集キャビティ４８２とは別個であってもよい。運用において、ユーザは、組織収集キャビティ４８２のうちの１つで組織サンプルを収集したい場合、入力を制御面４８８に与えて、キャップ部４０６および入口継手４１２を軸Ａの周りに回転させることにより、入口穿孔４１４を組織収集キャビティ４２８のうちの１つと位置合わせする。位置合わせされた組織収集キャビティ４８２は吸引経路中に存在し、吸引経路を通じて吸い取られている組織サンプルは、多孔質機構４８６に遭遇する。別の組織サンプルが望ましい場合、ユーザは単純に、別の入力を制御面４８８に与えて、キャップ部４０６および入口継手４１２を軸Ａの周りに回転させることにより、入口穿孔４１４を別の組織収集キャビティ４８２と位置合わせするようにしてもよい。この方法は、組織収集キャビティ４８２の数だけ繰り返されるようになっていてもよい。同様に、医療廃棄物収集アセンブリ５０の動作中、キャップ部４０６は、軸Ａの周りに回転して、入口穿孔４１４をバイパスチャネル４９２と選択的に位置合わせすることにより、組織サンプルの収集なく、流体がマニホールド４００を流れ得るようにしてもよい。マニホールド４００は、組織収集キャビティ４８２のうちの１つまたは複数における拡大の提供および視覚化のため、上述のレンズ（図示せず）および／または照明を具備していてもよい。
【００６４】
ここで図２９〜図３１を参照して、これらの図は、少なくとも一部の点で上述のものに類似する別のマニホールド５００を示している（特定の同じ構成要素は、同じ番号に１００を足して示している）。マニホールド５００は、マニホールド受容体５４と取り外し可能に係合されるように構成されたハウジング５０２を具備する。ハウジング５０２は、本体部５０４およびキャップ部５０６を具備する。上述の通り、キャップ部５０６が取り外し可能または永久的な連結手段によって本体部５０４に結合されていてもよいし、本体部およびキャップ部５０４、５０６が単一の一体構造として形成されていてもよい。一例において、本体部およびキャップ部５０４、５０６は、界面でのスピン溶接により、再利用を防止する。図３１に最も良く示すように、ハウジング５０２は、マニホールド容積５０８および当該マニホールド容積５０８と流体連通した出口開口５１０を規定する。本体部５０４は、近位基部５２６と、当該近位基部５２６から遠位方向に延びてマニホールド容積５０８の一部を含むキャビティ５３０を規定する側部５２８とを含んでいてもよい。ハウジング５０２は、マニホールド容積５０８と流体連通した入口穿孔５１４を規定する入口継手５１２を具備する。前述の通り、出口開口５１０は、吸引経路が入口穿孔５１４から吸引入口５８まで設けられるように、ハウジング５０２がマニホールド受容体５４と係合された場合に、医療廃棄物収集アセンブリ５０の吸引入口５８と流体連通するように構成されている。
【００６５】
マニホールド５００は、出口開口５１０内に位置決めされ、ハウジング５０２がマニホールド受容体５４から係合解除された場合に、出口開口５１０からの物質の流出を防止するドリップ弁５３２を具備していてもよい。ドリップ弁５３２は、スリット５３６を規定する一対の可撓性ウィング５３４を具備していてもよく、マニホールド受容体５４（図２参照）のボス６４がウィング５３４を撓ませるとともに、ドリップ弁５３２のスリット５３６を通って延びるように構成されている。この構成により、マニホールド容積５０８と医療廃棄物収集アセンブリ５０の吸引入口５８との間の流体連通がもたらされる。
【００６６】
マニホールド５００は、ハウジング５０２内および吸引経路中に配設されたフィルタ要素５１６を具備していてもよい。フィルタ要素５１６は、吸引経路に沿って吸い取られる流れに取り込まれた半固形および固形物を捕獲するように構成された多孔質機構５１８を規定する。吸引経路は、マニホールド容積５０８、フィルタ要素５１６、および出口開口５１０のそれぞれを通って、入口穿孔５１４から吸引入口５８まで設けられる。フィルタ要素５１６は、基壁５２０および当該基壁５２０から延びた側壁５２２を含むことにより、口部５２４を規定するバスケットを構成していてもよい。フィルタ要素５１６は、以下に詳述する特定の特徴（たとえば、ウィンドウ７１５）を含んでいてもよい。当然のことながら、上述の実施態様のフィルタ要素２１６、３１６が用いられるようになっていてもよい。
【００６７】
図３２を同時に参照して、キャップ部５０６は、キャップヘッド５４２および支持フレーム５４３を具備する。キャップヘッド５４２は、１つまたは複数の配向機構５５２（たとえば、環状内面から半径方向内方に延びた１つまたは複数対のレール）を具備していてもよい。レールは、フィルタ要素５１６の口部５２４近くに配設されたタブ５５２を受容して、キャップ部５０６に対するフィルタ要素５１６の回転を防止する。キャップヘッド５４２は、遠位方向に延びて遠位面５５６で終端する少なくとも１つの側壁を具備する。遠位面５５６を通って、開口部５５８が延びる。
【００６８】
支持フレーム５４３は、キャップヘッド５４２と一体的に形成されていてもよい。支持フレーム５４３は、キャップヘッド５４２より遠位に位置決めされ、マニホールド５００の前部を規定する。図２９および図３０に示すように、ハウジング５０２のキャップ部５０６は、マニホールド５００の前部近くに遠位障壁５０３を規定する。ハウジング５０２が入口継手５１２を具備するが、より詳細には、キャップ部５０６の支持フレーム５４３が入口継手５１２を具備する。入口継手５１２は、入口穿孔５１４が遠位障壁５０３を通って延びた状態で、遠位障壁５０３から遠位方向に延びている。
【００６９】
ハウジング５０２は、補助スリーブ５１３に通じる補助開口５１１をさらに規定する。補助スリーブ５１３は、遠位面５５６を通って延びた開口部５５８を通じて、マニホールド容積５０８と流体連通している。補助スリーブ５１３は、キャップ部５０６の支持フレーム５４３内に配設されている。図２９は、補助スリーブ５１３が支持フレーム５４３内で下方に開口した状態で支持フレーム５４３の上面に位置決めされた補助開口５１１を示している。補助スリーブ５１３は、ハウジング５０２の長手方向軸から離れる方向に角度が付いた軸Ａｓ、より具体的には、ハウジングの前部から近位方向に離れる方向に角度が付いた軸Ａｓ上で配向していてもよい。トレー５７６が後述のように補助スリーブ５１３内で取り外し可能に位置決めされた状態で、補助スリーブ５１３の配向により、トレー５７６を吸引経路から取り外した後の補助スリーブ５１３内からの医療廃棄物の不用意な「はね返り」が制限または防止される。一例において、ハウジング５０２の長手方向軸に対する補助スリーブ５１３の軸Ａｓは、約４５〜７５°の範囲内、より詳細には、５５〜６５°の範囲内である。
【００７０】
入口継手５１２の入口穿孔５１４は、水平に対して傾斜していてもよい。特に、入口穿孔５１４は、ハウジング５０２の長手方向軸に対して遠位方向上方に角度が付いた軸Ａｂ上で配向している。入口穿孔５１４の傾斜により、吸引ライン５２を取り外した後の入口穿孔５１４からの医療廃棄物の不用意な「滴り」が制限または防止される。入口穿孔５１４内のその他任意の流体は、重力の影響下で補助スリーブ５１３に向かって流れる。図３０に最も良く示すように、弁５４１がハウジング５０２に結合され、補助スリーブ５１３内に位置決めされていてもよい。弁５４１は、入口穿孔５１４の近位端の上方に固定されて、補助スリーブ５１３から入口穿孔５１４への流体の逆流を防止するように構成されたフラッパ弁であってもよい。たとえばダックビル弁等、他の好適な弁も考えられる。
【００７１】
前述の通り、マニホールド５００は、補助スリーブ５１３内に取り外し可能に位置決めされるように構成されたトレー５７６を具備する。トレー５７６は、組織収集キャビティ５８２および当該組織収集キャビティ５８２内の多孔質機構５８６を規定する。トレー５７６が補助スリーブ５１３内に位置決めされた状態では、多孔質機構５８２が吸引経路中に存在して、組織サンプルを収集する。収集された組織サンプルの回収が望ましくなったら、組織サンプルが組織収集キャビティ５８２内に配設された状態で、補助スリーブ５１３からトレー５７６を摺動可能に取り出すことができる。トレー５７６は任意選択であることが了解され、マニホールド５００は、補助スリーブ５１３内のトレー５７６なく動作可能である。マニホールド５００は、補助開口５１１と封止係合にて配設されるようにサイズ規定されたキャップ５４５を具備していてもよい。キャップ５４５は、テザー５４７によりハウジング５０２に結合されていてもよい。図２９は、入口継手５１２と封止係合にて結合されて入口穿孔５１４を覆うように構成された別のキャップ５４９を示している。また、キャップ５４９は、テザー５５１によりハウジング５０２に結合されていてもよい。
【００７２】
図３３を同時に参照して、トレー５７６は、単一または複数の構成要素により形成されていてもよい。トレー５７６は、ユーザからの入力を受けるように構成された制御面５８８を備える。制御面５８８は、ユーザの指で摘まむハンドルとして形成されていてもよい。図３３は、ハンドルが正方形状であり、当該正方形状ハンドルの面のうちの１つまたは複数に把持機構５５３が配設された様子を示している。トレー５７６は、補助スリーブ５１３内に収まった場合にハウジング５０２と封止係合するように構成された封止面５５５をさらに含む。特に、トレー５７６は、補助開口５１１の外周に接触するように構成された状態の封止面５５５を規定するフランジを具備していてもよい。トレー５７６が補助スリーブ５１３内にあり、封止面５５５が補助開口５１１を覆った状態では、医療廃棄物収集アセンブリ５０の動作中に、吸引経路を通る吸引が維持される。同様に、キャップ５４５は、補助開口５１１を覆って、吸引経路を通る吸引を維持するようにサイズ規定されている。
【００７３】
トレー５７６は、ハウジング５０２の相補保持機構に対して克服可能に係合するように構成された保持機構５５９を具備していてもよい。保持機構５５９は、補助開口５１１の外周に隣接して位置決めされている封止面５５５と同時に係合されるように構成されている。図３１は、組織収集キャビティ５８２の下面に位置決めされた戻り止めを含む保持機構５５９を示している。保持機構５５９は、ハウジング５０２内の凹部すなわちキャップヘッド５４２の開口部５５８の上面に係合する。保持機構５５９が相補保持機構に係合すると、トレー５７６が補助スリーブ５１３内に完全に配設または固定されたことをユーザが確信できるように、触覚および／または可聴フィードバックがユーザに与えられるようになっていてもよい。さらに、保持機構５５９が係合された状態では、医療廃棄物収集アセンブリ５０の作動に際して吸引経路の確立に成功するように、封止面５５５が補助開口５１１の外周に隣り合う。組織サンプルが組織収集キャビティ５８２に収集され、ユーザがトレー５７６を取り出したい場合は、十分な力の入力がトレー５７６の制御面５８８に与えられ、保持機構５５９および相補保持機構が係合解除される（たとえば、戻り止めとハウジング５０２との間の干渉係合が克服される）。
【００７４】
トレー５７６は、ハウジング５０２の第２の相補保持機構（図示せず）に係合する第２の保持機構（図示せず）を具備していてもよい。第２の相補保持機構は、トレー５７６の一部のみが補助スリーブ５１３内に配設または固定され得るように、トレー５７６およびハウジング５０２上の好適な位置にある。トレー５７６の一部のみが補助スリーブ５１３内に配設された状態で吸引を維持するために補助開口５１１を覆う別の封止面が設けられていてもよい。このため、トレー５７６は、バイパス位置において「段階的」であり、遠位側の側部５８５と補助スリーブ５１３の底部との間のバイパスチャネル５９２を規定していてもよい。医療廃棄物収集アセンブリ５０は、トレー５７６が組織サンプルを収集することなく、流体が吸引経路を流通し得るように、トレー５７６がバイパス位置にある状態で動作するようになっていてもよい。ユーザは、組織サンプルを収集したい場合、別の入力を制御面５８８に与えて（すなわち、トレー５７６を下方に付勢して）、第２の相補保持機構を係合解除するとともに、トレー５７６をバイパス位置から、多孔質機構５８６が吸引経路に置かれて組織サンプルを収集するように組織収集キャビティ５８２が補助スリーブ５１３内に完全に配設される組織収集位置まで移動させる。
【００７５】
前述の通り、組織サンプルの収集時には、組織収集キャビティ５８２を視覚化するのが望ましい。ユーザは、組織サンプルが組織収集キャビティ５８２内となった際に迅速な視覚的確認を行えると、外科手術のその他任意の局面に移ることができる。トレー５７６の組織収集キャビティ５８２は、トレー５７６が補助スリーブ５１３内となった場合に、マニホールド５００の前部に向かって開口し、遠位障壁５０３は、トレーが補助スリーブ５１３内となった場合に、組織収集キャビティ内で拡大をもたらすレンズ５９６を具備する。
【００７６】
図３３を参照して、トレー５７６は、多孔質機構５８６を規定するスクリーン面５８４から延びた複数対の対向側部５８５を具備していてもよい。側部５８５およびスクリーン面５８４は、トレー５７６の組織収集キャビティ５８２を一体的に規定する。慣例として、図３３の組織収集キャビティ５８２は、側部５８５と平行な方向にスクリーン面５８４から遠ざかるように開口していると考えられる。トレー５７６は、補助スリーブ５１３の相補配向機構５８９に係合して、特に組織収集キャビティ５８２が遠位障壁５０３側に開口した状態で、遠位障壁５０３に対する所定の配向にて当該トレー５７６を補助スリーブ５１３内に位置決めするように構成された配向機構５８７をさらに具備する。図３３は、トレー５７６の側部５８５のテーパ部を含む配向機構５８７を示している。配向機構５８７は結果として、トレー５７６の側部５８５が設計厚さのテーパ状となる。相補配向機構５８９は、遠位障壁５０３に対する唯一の配向にてトレー５７６が補助スリーブ５１３内に完全に固定されるように、補助スリーブ５１３内に位置決めされた突起を具備する。図３１に最も良く示すように、突起のうちの１つは、トレー５７６の側部５８５の設計厚さよりもわずかに大きな距離だけ、補助スリーブ５１３の近位面から離隔している。結果として、トレー５７６が所定の配向にて補助スリーブ５１３内で下方にわずかに移動すると、突起と補助スリーブ５１３を規定する近位面との間の補助スリーブ５１３の部分おいて、トレー５７６の遠位部が載置されることになる。図３１は、補助スリーブ５１３の遠位部を遮ることにより、上記所定の配向以外の如何なる配向においても、トレー５７６が補助スリーブ５１３内に配設されないようにする別の突起を示している。トレー５７６が上記所定の配向にて補助スリーブ５１３内に配設された状態で、組織収集キャビティ５８２は、マニホールド５００の前部側（たとえば、補助スリーブ５１３の遠位面を規定する遠位障壁５０３側に）に開口する。
【００７７】
図２９〜図３１は、レンズ５９６を含む遠位障壁５０３を示している。レンズ５９６は、長円形状として示すが、他の好適な形状も考えられる。レンズ５９６は、組織収集キャビティ５８２の視覚化を最大化するとともに、その拡大を与えるように成形されている。補助スリーブ５１３に角度が付いたこと、トレー５７６の前方開口組織収集キャビティ５８２、および遠位障壁５０３のレンズ５９６の組み合わせ効果により、ユーザは、マニホールド５００の過度な操作なく、妥当な距離からマニホールド５００を見て、好適な組織サンプルが捕獲されたかを迅速に確認することができる。また、入口穿孔５１４とは異なるマニホールド５００の面でトレー５７６がマニホールド５００に挿入されることにより、視覚化がさらに容易となる。組織収集キャビティ５８２を照らす照明が設けられていてもよいと考えられる。
【００７８】
ここで図３４〜図３６を参照して、これらの図は、少なくとも一部の点で上述のものに類似する別のマニホールド６００を示している（特定の同じ構成要素は、同じ番号に１００を足して示している）。マニホールド６００は、マニホールド受容体５４と取り外し可能に係合されるように構成されたハウジング６０２を具備する。ハウジング６０２は、本体部６０４およびキャップ部６０６を具備する。上述の通り、キャップ部６０６が取り外し可能または永久的な連結手段によって本体部６０４に結合されていてもよいし、本体部およびキャップ部６０４、６０６が単一の一体構造として形成されていてもよい。一例において、本体部およびキャップ部６０４、６０６は、界面でのスピン溶接により、再利用を防止する。図３６に最も良く示すように、ハウジング６０２は、マニホールド容積６０８および当該マニホールド容積６０８と流体連通した出口開口６１０を規定する。本体部６０４は、近位基部６２６と、当該近位基部６２６から遠位方向に延びてマニホールド容積６０８の一部を含むキャビティ６３０を規定する側部６２８とを含んでいてもよい。ドリップ弁６３２は、出口開口６１０内に位置決めされて、上述のように、ハウジング６０２がマニホールド受容体５４から係合解除された場合の出口開口６１０からの流体の流出を防止するとともに、ハウジング６０２がマニホールド受容体５４と係合された場合に、マニホールド容積６０８と医療廃棄物収集アセンブリ５０の吸引入口５２との間に流体連通をもたらすようにしてもよい。
【００７９】
マニホールド６００は、ハウジング６０２内および吸引経路中に配設されたフィルタ要素６１６を具備していてもよい。フィルタ要素６１６は、吸引経路に沿って吸い取られる流れに取り込まれた半固形および固形物を捕獲するように構成された多孔質機構６１８を規定する。図３７および図３８を同時に参照して、キャップ部６０６は、キャップヘッド６４２および支持フレーム６４３を具備する。キャップヘッド６４２は、１つまたは複数の配向機構６５２（たとえば、環状内面から半径方向内方に延びた１つまたは複数対のレール）を具備していてもよい。レールは、フィルタ要素６１６のタブ６２７を受容して、キャップ部６０６に対するフィルタ要素６１６の回転を防止する。キャップヘッド６４２は、遠位方向に延びて遠位面６５６で終端する少なくとも１つの側壁６５４を具備する。後述する機能により、第１の開口部６５８および第２の開口部６５７が遠位面６５６を通って延びる。第１および第２の開口部６５７、６５８の上方に固定されたキャップヘッド６４２内に弁６４１が配設され、キャップヘッド６４２からの流体の逆流を防止するようにしてもよい。
【００８０】
支持フレーム６４３は、キャップヘッド６４２と一体的に形成されていてもよいし、キャップヘッド６４２に対して取り外し可能に結合されていてもよい。支持フレーム６４３は、対向側面６６１および上下面により分離された前面６６３を含む。ハウジング６０２は、補助スリーブ６１３に通じる補助開口６１１をさらに規定する。補助スリーブ６１３は、遠位面６５６を通って延びた第１および第２の開口部６５７、６５８を通じて、マニホールド容積６０８と流体連通している。補助スリーブ６１３は、キャップ部６０６の支持フレーム６４３内に配設されている。より詳細に、補助開口６１１は、補助スリーブ６１３が当該補助開口６１１から内方に延びた状態で、支持フレーム６４３の対向側部６６１の一方に存在する。補助スリーブ６１３は、後述する様態でトレー６７６を取り外し可能に受容するように、トレー６７６の側方プロファイルを補完するように成形されている。支持フレーム６４３の前面６６３は、第１の開口６６５および当該第１の開口６６５とは別個のバイパス開口６６７をさらに規定する。図３７に示すように、第１の開口６６５は、第１の開口部６５８と同軸かつ流体連通し、補助スリーブ６１３により分離されていてもよく、また、バイパス開口６６７は、第２の開口部６５７と同軸かつ流体連通して、バイパスチャネル６９２を規定していてもよい。
【００８１】
マニホールド６００は、支持フレーム６４３に対して摺動可能に結合された摺動部材６６９を具備する。摺動部材６６９は、支持フレーム６４３の上下面間に規定された支持フレーム６４３の厚さに合わせて略サイズ規定された隙間により分離された上下面６７１、６７３を含む。上下面６７１、６７３間の隙間は、支持フレーム６４３を摺動可能に受容する。支持フレーム６４３および摺動部材６６９はそれぞれ、支持フレーム６４３に対する摺動部材６６９の移動を１自由度で制限する相補追跡機構６７５を具備する。特に、支持フレーム６４３の追跡機構６７５は、前面６６３と平行に配向した細長スロットを含み、摺動部材６６９の追跡機構６７５は、スロットに係合するように配向した細長レールである。支持フレーム６４３に対する摺動部材６６９の移動は、マニホールド６００の前面視で側方移動と考えられる。
【００８２】
摺動部材６６９は、入口穿孔６１４を規定する入口継手６１２を具備する。図３９は、上下面６７１、６７３を分離する摺動部材６６９の前面６７２から遠位方向に延びた入口継手６１２を示している。入口継手６１２は、吸引ライン５２を受容するように構成されている。摺動部材６６９は、結果としての後述する機能のため、ユーザからの入力を受けるように構成された制御面６８８をさらに備える。制御面６８８は、ユーザの指で掴むか、または摘まむことにより、支持フレーム６４３に対する摺動部材６６９の摺動を伝えるように構成された上下面６７１、６７３を含んでいてもよい。
【００８３】
前述の通り、支持フレーム６４３の補助スリーブ６１３は、トレー６７６を取り外し可能に受容するように構成されている。図４０を参照して、トレー６７６は、大略ボックス形状であってもよいが、他の好適な形状も考えられる。トレー６７６は、スクリーン面６８４と、当該スクリーン面６８４から延びて組織収集キャビティ６８２を規定する一対の対向側部６８５とを含む。複数対の対向側部６８５のうちの１つが後壁と反対の前壁を規定していてもよい。トレー６７６のスクリーン面６８４は、多孔質機構６８６を規定する。スクリーン面６８４は、第１のスクリーン面６８４ａおよび当該第１のスクリーン面６８４ａに対して傾斜した第２のスクリーン面６８４ｂを含んでいてもよい。第２のスクリーン面６８４ｂは、後壁に向かって上方に傾斜している。吸引経路においてより効果的に位置決めされることに加えて、傾斜した第２のスクリーン面６８４ｂは、トレー６７６の側方プロファイルに対して台形状を与えることにより、補助スリーブ６１３に対するトレー６７６の挿入および取り外しを行う配向機構として機能する。言い換えると、トレー６７６および補助開口６１１の側方プロファイルの対応する形状では、トレー６７６が補助スリーブ６１３内に配設または固定されるように所定の配向とする必要がある。また、図４０は、前壁内の切り欠き６９９および側部６８５のうちの１つから延びた把持部６７４を含むトレー６７６を示している。切り欠き６９９は、トレー６７６が補助スリーブ６１３内に配設された場合に、入口継手６１２の入口穿孔６１４（および、第１の開口部６８８）と位置合わせされている。把持部６７４は、トレー６７６の確実な操作を容易化する把持機構６５３を具備していてもよい。
【００８４】
運用において、ユーザは、組織収集キャビティ６８２に組織サンプルを収集したい場合、入力を制御面６８８に与えて、摺動部材６６９を組織収集位置に移動させる。摺動部材６６９は、トレー６７６が補助スリーブ６１３内に配設された場合に、入口継手６１２の入口穿孔６１４が組織収集キャビティ６８２と流体連通して位置決めされるように移動する。吸引経路は、第１の開口６６５、組織収集キャビティ６８２、第１の開口部６５８、マニホールド容積６０８、フィルタ要素６１６、および出口開口６１０のそれぞれを通って、入口穿孔６１４から吸引入口５２まで確立される。トレー６７６の多孔質機構６８６は、吸引経路にあって、組織サンプルを収集する。一例において、組織収集キャビティ６８２と連通した入口穿孔６１４の移動には、第１の開口６６５との入口穿孔６１４の軸方向位置合わせを含む。組織収集キャビティ６８２が吸引経路にある場合は、バイパスチャネル６９２が吸引経路内に存在しないことが了解される。
【００８５】
所望の組織サンプルが収集された場合および／またはユーザが組織サンプルの収集なくマニホールド６００を動作させたい場合は、別の入力を制御面６８８に与えて、摺動部材６６９をバイパス位置まで移動させる。摺動部材６６９は、入口継手６１２の入口穿孔６１４がバイパスチャネル６９２と流体連通して位置決めされるように移動する。吸引経路は、バイパス開口６６７、バイパスチャネル６９２、第２の開口部６５７、マニホールド容積６０８、フィルタ要素６１６、および出口開口６１０のそれぞれを通って、入口穿孔６１４から吸引入口５２まで確立される。一例において、バイパスチャネル６９２と連通した入口穿孔６１４の移動には、バイパス開口６６７との入口穿孔６１４の軸方向位置合わせを含む。バイパスチャネル６９２が吸引経路にある場合は、組織収集キャビティ６８２が吸引経路内に存在しないことが了解される。
【００８６】
組織収集キャビティ６８２が吸引経路内に存在しないように摺動部材６６９がバイパス位置にある状態では、医療廃棄物収集アセンブリ５０の動作の中断なく、トレー６７６が補助スリーブ６１３から取り外されるようになっていてもよい。たとえば、ユーザがトレー６７６を取り外して、収集された組織サンプルを回収する一方、別のユーザは、医療廃棄物収集アセンブリ５０による吸引を要する外科手術の他の局面を継続するようにしてもよい。回収された組織サンプルが不十分な場合および／または別の組織サンプルが必要な場合は、吸引の喪失等の過度な中断なく、別のトレー６７６が迅速に、補助スリーブ６１３内に配設されるようになっていてもよい。
【００８７】
マニホールド６００は、視覚化によって、ユーザの組織収集体験を改善する。図３４および図３９を参照して、摺動部材６６９は、トレー６７６が補助スリーブ６１３内に存在し、当該摺動部材６６９が組織収集位置にある場合に、組織収集キャビティ６８２内で拡大をもたらすレンズ６９６を具備する。組織収集キャビティ６８２を照らす照明が設けられていてもよいと考えられる。
【００８８】
また、マニホールド６００によって組織サンプルを収集する例示的な方法も考えられる。マニホールド６００は、出口開口６１０が医療廃棄物収集アセンブリ５０の吸引入口５８と流体連通するように、医療廃棄物収集アセンブリ５０に結合される。吸引ライン５２は、マニホールド６００の入口継手６１２に結合される。医療廃棄物収集アセンブリ５０は、摺動部材６６９がバイパス位置にある状態で動作する。入口継手６１２の入口穿孔６１４は、トレー６７６が組織サンプルを収集することなく、流体が吸引経路を流通し得るように、バイパスチャネル６９２と流体連通する。ユーザは、入力を制御面６８８に適用して、摺動部材６６９をバイパス位置から組織収集位置まで移動させる。組織収集位置において、入口継手６１２の入口穿孔６１４は、多孔質機構６８６が吸引経路中となるように、組織収集キャビティ６８２と流体連通する。医療廃棄物収集アセンブリ５０は、摺動部材６６９が組織収集位置にある状態で動作して、組織サンプルを収集する。たとえば、組織収集キャビティ６８２内で組織サンプルを収集した後は、別の入力を制御面６８８に適用して、摺動部材６６９をバイパス位置に戻すようにしてもよい。前者の入力としては、第１の直線方向における制御面６８８への横力の印加が挙げられ、後者の入力としては、摺動部材６６９をバイパス位置に戻すため、第１の直線方向と反対の第２の直線方向における制御面６８８への別の横力の印加が挙げられる。組織収集キャビティは、摺動部材６６９が組織収集位置にある場合に、レンズ６９６を通じて観察可能である。トレー６７６は、摺動部材６６９がバイパス位置にある状態で、補助スリーブ６１３から取り外し可能である。摺動部材６６９がバイパス位置にある状態で、別のトレー（図示せず）が摺動部材６６９の補助スリーブ６１３内に設けられ、位置決めされていてもよい。
【００８９】
ここで図４１〜図４６を参照して、これらの図は、少なくとも一部の点で上述のものに類似する別のマニホールド７００を示している（特定の同じ構成要素は、同じ番号に１００を足して示している）。マニホールド７００は、マニホールド受容体５４と取り外し可能に係合されるように構成されたハウジング７０２を具備する。ハウジング７０２は、本体部７０４およびキャップ部７０６を具備する。上述の通り、キャップ部７０６が取り外し可能または永久的な連結手段によって本体部７０４に結合されていてもよいし、本体部およびキャップ部７０４、７０６が単一の一体構造として形成されていてもよい。一例において、本体部およびキャップ部７０４、７０６は、界面でのスピン溶接により、再利用を防止する。図４３に最も良く示すように、ハウジング７０２は、マニホールド容積７０８および当該マニホールド容積７０８と流体連通した出口開口７１０を規定する。本体部７０４は、近位基部７２６と、当該近位基部７２６から遠位方向に延びてマニホールド容積７０８の一部を含むキャビティ７３０を規定する側部７２８とを含んでいてもよい。ドリップ弁（図示せず）は、出口開口７１０内に位置決めされて、上述のように、ハウジング７０２がマニホールド受容体５４から係合解除された場合の出口開口７１０からの流体の流出を防止するとともに、ハウジング７０２がマニホールド受容体５４と係合された場合に、マニホールド容積７０８と医療廃棄物収集アセンブリ５０の吸引入口５８との間に流体連通をもたらすようにしてもよい。
【００９０】
マニホールド７００は、ハウジング７０２内および後述する吸引経路中に配設されたフィルタ要素７１６を具備していてもよい。フィルタ要素７１６は、吸引経路に沿って吸い取られる流れに取り込まれた半固形および固形物を捕獲するように構成された多孔質機構７１８を規定する。図４１を同時に参照して、キャップ部７０６は、キャップヘッド７４２および支持フレーム７４３を具備する。マニホールド７００の支持フレーム７４３は、ステータであり、以下ではそのように称する。キャップヘッド７４２は、本体部７０４と結合されている。キャップヘッド７４２は、遠位方向に延びて遠位面７５６で終端する少なくとも１つの側壁７５４を具備する。遠位面７５６を通って、開口部７５８が延びる。
【００９１】
ステータ７４３は、キャップヘッド７４２と一体的に形成されていてもよいし、好適な連結プロセスによってキャップヘッド７４２に結合されていてもよい。図４７は、喉状部材７２９によってキャップヘッド７４２に結合されたステータ７４３を示している。喉状部材７２９は、キャップヘッド７４２の遠位面７５６から遠位方向かつステータ７４３の一側面から近位方向に延びている。ステータ７４３は、喉状部材７２９により規定されたルーメンを通じて開口部７５８と連通した空隙７３１を規定する。図４２および図４７を参照して、ステータ７３４の空隙７３１は、基部７３３および当該基部７３３から延びた少なくとも１つの側壁７３５により規定されていてもよい。空隙７３１は、円筒として示すが、他の好適な形状も考えられる。ハウジング７０２のステータ７４３は、吸引ライン５２を受容するように構成された入口継手７１２を具備する。入口継手７１２は、空隙７３１と流体連通した入口穿孔７１４を規定する。
【００９２】
マニホールド７００は、ステータ７４３内に回転可能に配設されたロータ７３７を具備する。ロータ７３７は、空隙７３１内に配設された場合、ステータ７４３の基部７３３に支持される。図４８および図４９を参照して、ロータ７３７は、その環状内壁の内径に大略近似するが、それよりもわずかに小さい外径の環状外壁７３９を含む。ロータ７３７は、一対の第１の開口７６５ａ、７６５ｂおよび一対のバイパス開口７６７ａ、７６７ｂを規定する。一対の第１の開口７６５ａ、７６５ｂはそれぞれ、外壁７３９により規定され、相互に流体連通することにより、組織チャネル７９１を規定する。一対のバイパス開口７６７ａ、７６７ｂはそれぞれ、外壁７３９により規定され、相互に流体連通することにより、バイパスチャネル７９２を規定する（図４５および図４６参照）。第１の開口の一方７６５ａが組織チャネル７９１の入口と考えられ、第１の開口のもう一方７６５ｂが組織チャネル７９１の出口と考えられる。同様に、バイパス開口の一方７６７ａがバイパスチャネル７９２の入口と考えられ、バイパス開口のもう一方７６７ｂがバイパスチャネル７９２の出口と考えられる。バイパスチャネル７９２は、組織チャネル７９１および組織収集キャビティ７８２とは別個である。
【００９３】
ロータ７３７は、組織収集キャビティ７８２および当該組織収集キャビティ７８２内の多孔質機構７８６を規定する。多孔質機構７８６は、ロータ７３７に対して取り外し可能に結合されたスクリーン面７８４により規定されていてもよい。ロータ７３７の別の形態において、スクリーン面７８４は、ロータ７３７と一体的に形成されている。組織収集キャビティ７８２は、組織チャネル７９１の入口開口７６５ａが組織収集キャビティ７８２に通じるように、入口開口７６５ａと関連付けられている。
【００９４】
また、ロータ７３７は、ユーザからの入力を受けるように構成された制御面７８８を備えていてもよい。制御面７８８は、ロータ７３７の上面から延びたハンドル７８９と関連付けられている。制御面７８８は、入力を受けて、組織収集位置と後述するバイパス位置との間でマニホールド７００を切り替える。制御面は、結果としての信号がコントローラに送られてロータ７３７を作動させる電子的入力（たとえば、ボタン）であってもよいと考えられる。
【００９５】
運用において、ユーザは、トレー７７６の組織収集キャビティ７８２に組織サンプルを収集したい場合、入力を制御面７８８に与えて、ステータ７４３内のロータ７３７を組織収集位置へと回転させる。ロータ７３７は、組織収集キャビティ７８２が入口穿孔７１４と流体連通するように回転する。多孔質機構７８６は、吸引経路にあって、組織サンプルを収集する。図４３および図４４は、ロータ７３７が組織収集位置にあるマニホールド７００を示している。以下に特定される理由から、入口穿孔７１４と組織収集キャビティとの間の吸引経路が多少蛇行していることが見て取れる。図示の吸引経路を容易化するため、ロータ７３７は、外壁７３９内に凹部７９３を含む。図４８に最も良く示すように、凹部７９３は、設計距離にわたって、入口開口７６５ａから半径方向に延びる。設計距離は、ロータ７３７が組織収集位置まで回転した場合に、開口７６５ａと反対の凹部７９３の端部が入口穿孔７１４と実質的に位置合わせされるようにする。ロータ７３７が組織収集位置にある状態で、吸引経路は、入口開口７６５ａ、凹部７９３、組織収集キャビティ７８２、組織チャネル７９１、出口開口７６５ｂ、開口部７５８、マニホールド容積７０８、フィルタ要素７１６、および出口開口７１０のそれぞれを通って、入口穿孔７１４から吸引入口５２まで確立される。組織収集キャビティ７８２が吸引経路にある場合は、バイパスチャネル７９２が吸引経路内に存在しないことが了解される。
【００９６】
所望の組織サンプルが収集された場合および／またはユーザが組織サンプルの収集なくマニホールド７００を動作させたい場合は、別の入力を制御面７８８に与えて、ステータ７４３内のロータ７３７をバイパス位置まで回転させる。図４４および図４６は、ロータ７３７がバイパス位置にあるマニホールド７００を示している。ロータ７３７は、バイパスチャネル７９２が入口穿孔７１４と流体連通するように回転し、組織収集キャビティ７８２は吸引経路中に存在しない。吸引経路は、入口開口７６７ａ、バイパスチャネル７９２、出口開口７６７ｂ、開口部７５８、マニホールド容積７０８、フィルタ要素７１６、および出口開口７１０のそれぞれを通って、入口穿孔７１４から吸引入口５２まで確立される。
【００９７】
組織収集キャビティ６８２が吸引経路内に存在しないようにロータ７３７がバイパス位置にある状態では、医療廃棄物収集アセンブリ５０の動作の中断なく、マニホールド７００が収集された組織サンプルの回収を可能にするため都合が良い。図４１を参照して、ステータ７４３は、側壁７３５を通って延びるウィンドウ７１５を規定する。ウィンドウ７１５は、ステータ７４３の周りで円周方向に位置決めされて、ロータ７３７がバイパス位置にある場合に組織収集キャビティ７８２と位置合わせされるようになっていてもよい。さらに、ウィンドウ７１５は、組織収集キャビティ７８２を露出させて組織サンプルの回収を可能にする高さおよび幅を有する。たとえば、ユーザは、露出した組織収集キャビティ７８２の直下に容器（たとえば、ホルマリン瓶）を位置決めし、器具（たとえば、へら）を用いて、組織サンプルを多孔質機構７８６から容器へとこすり落とすようにしてもよい。組織収集キャビティ７８２の直下のロータ７３７内の切り欠き７９９によって、組織収集キャビティ７８２から容器へと真っ直ぐに落下する。組織サンプルが回収されている際に、別のユーザは、医療廃棄物収集アセンブリ５０による吸引を要する外科手術の他の局面を継続するようにしてもよい。回収された組織サンプルが不十分な場合および／または別の組織サンプルが必要な場合は、ロータ７３７が回転によって、組織収集位置へと迅速に戻されるようになっていてもよい。
【００９８】
マニホールド７００は、視覚化によって、ユーザの組織収集体験を改善する。ステータ７４３は、ロータ７３７が組織収集位置にある場合に、組織収集キャビティ７８２と位置合わせされるとともに組織収集キャビティ７８２内で拡大をもたらすように位置決めされたレンズ７９６を具備していてもよい。これは、前述の通り、入口穿孔７１４と組織収集キャビティとの間の多少蛇行する吸引経路によって一部実現される。入口継手７１２がオフセットされ、凹部７９３がロータ７３７内にある状態で、レンズ７９６は、ロータ７３７が組織収集位置にある場合に、組織収集キャビティ７８２と同軸に位置合わせされる。さらに、レンズ７９６がマニホールド７００の前部にある状態で、ユーザは、マニホールド７００の過度な操作なく、妥当な距離からマニホールド７００を見て、好適な組織サンプルが捕獲されたかを迅速に確認することができる。組織収集キャビティ７８２を照らす照明が設けられていてもよいと考えられる。
【００９９】
また、マニホールド７００によって組織サンプルを収集する例示的な方法も考えられる。マニホールド７００のハウジング７０２は、出口開口７１０が医療廃棄物収集アセンブリ５０の吸引入口５８と流体連通するように、医療廃棄物収集アセンブリ５０に結合される。吸引ライン５２が入口継手７１２に結合されて、入口継手７１２の入口穿孔７１４から吸引入口５８まで吸引経路を提供する。医療廃棄物収集アセンブリ５０は、マニホールド７００がバイパス位置にある状態で動作する。バイパスチャネル７９２が吸引経路にあり、組織収集キャビティ７８２が吸引経路内に存在しない。制御面７８８の作動によって、ステータ７４３内のロータ７３７がバイパス位置から組織収集位置まで回転する。たとえば、制御面７８８は、第１の回転方向に回転する。組織収集キャビティ７８２が吸引経路にあり、バイパスチャネル７９２が吸引経路から取り外される。医療廃棄物収集アセンブリ５０は、マニホールド７００が組織収集位置にある状態で動作して、組織収集キャビティ７８２の多孔質機構７８６により組織サンプルを収集する。組織収集キャビティ７８２は、ロータ７９７が組織収集位置にある場合に、レンズ７９６を通じて観察可能である。組織サンプルの収集後、制御面７８８の作動によって、ロータ７３７をバイパス位置まで戻すようにしてもよい。たとえば、制御面７８８は、第１の回転方向と反対の第２の回転方向に回転する。組織サンプルは、ロータ７３７がバイパス位置にある間に組織収集キャビティ７８２から回収されるようになっていてもよい。たとえば、組織サンプルは、多孔質機構７８６をこすって組織サンプルを排除する器具等により、ステータ７４３のウィンドウ７１５を通じて、露出した組織収集キャビティ７８２から回収されるようになっていてもよい。
【０１００】
マニホールド７００の前述の実施態様において、ロータ７３７は、ステータ７４３が本体部７０４に対して固定された状態で、回転可能に配設されている。逆の構成も実施可能であり、「ロータ」が本体部７０４に対して固定され、「ステータ」が「ロータ」の周りで回転または枢動することも考えられる。さらに、マニホールド７００の前述の実施態様では、ロータ７３７が垂直軸の周りに回転する。ロータ７３７およびステータ７４３がそれぞれ、水平軸の周りに配向していてもよいと考えられる。
【０１０１】
ここで図５０および図５１を参照して、これらの図は、少なくとも一部の点で上述のものに類似する別のマニホールド８００を示している（特定の同じ構成要素は、同じ番号に１００を足して示している）。マニホールド８００は、マニホールド受容体５４と取り外し可能に係合されるように構成されたハウジング８０２を具備する。ハウジング８０２は、キャップ部８０６および本体部（図示せず）を具備しており、本開示に記載したもののいずれかが挙げられる。上述の通り、キャップ部８０６が取り外し可能または永久的な連結手段によって本体部に結合されていてもよいし、本体部およびキャップ部８０６が単一の一体構造として形成されていてもよい（たとえば、界面でのスピン溶接により、再利用を防止する）。図５２に最も良く示すように、マニホールド容積８０８が規定され、出口開口（図示せず）がマニホールド容積８０８と流体連通している。ハウジング８０２は、マニホールド容積８０８と流体連通した第１の入口穿孔８１４ａを規定する第１の入口継手８１２ａを具備する。ハウジング８０２は、後述のようにマニホールド容積８０８と流体連通した第２の入口穿孔８１４ｂを規定する第２の入口継手８１２ｂを具備する。前述の通り、出口開口は、吸引経路が入口穿孔５１４から吸引入口５８まで設けられるように、ハウジング８０２がマニホールド受容体５４と係合された場合に、医療廃棄物収集アセンブリ５０の吸引入口５２と流体連通するように構成されている。ドリップ弁（図示せず）は、出口開口内に位置決めされて、上述のように、ハウジング８０２がマニホールド受容体５４から係合解除された場合の出口開口からの流体の流出を防止するとともに、ハウジング８０２がマニホールド受容体５４と係合された場合に、マニホールド容積８０８と医療廃棄物収集アセンブリ５０の吸引入口５８との間に流体連通をもたらすようにしてもよい。マニホールド８００は、ハウジング８０２内および後述する吸引経路中に配設されたフィルタ要素（図示せず）を具備していてもよい。フィルタ要素は、吸引経路に沿って吸い取られる流れに取り込まれた半固形および固形物を捕獲するように構成された多孔質機構を規定する。
【０１０２】
図５１は、キャップ面板８４０およびキャップヘッド８４２を含むキャップ部８０６を示している。キャップヘッド８４２は、遠位方向に延びて遠位面８５６で終端する少なくとも１つの側壁８５４を具備する。開口部８５８ａ、８５８ｂは、キャップヘッド８５２の遠位面８５６を通って延び、それぞれ、キャップヘッド８４２を通って延びた組織収集チャネル８９１に通じる。図５４を同時に参照して、キャップ面板８４０は、近位面８７０および当該近位面８７０と反対の遠位面８７２を含むディスク状であってもよい。図５１および図５４に示すように、結合機構８６４は、キャップ面板８４０の相補結合機構８６６とのバヨネットマウントをもたらすように構成された一対のスロットであってもよい。キャップ面板８４０の相補結合機構８６６は、スロット内に受容されるように円周方向に配置されたポストである。当然のことながら、他の結合機構も考えられる。管状部８６８が近位面８７０から近位方向に延びている。後述のようにマニホールド８００の操作を容易化するため、キャップ面板８４０は、ユーザが操作する（たとえば、摘まむ）ように構成された制御面８７４を備えていてもよい。
【０１０３】
キャップ部８０６のキャップ面板８４０は、第１の入口継手８１２ａを具備する。図５０および図５１に示すように、第１の入口継手８１２ａは、入口穿孔８１４ａがキャップ面板８４０を通って延びた状態で、キャップ面板８４０の遠位面８７２から遠位方向に延びている。結果として、マニホールド８００が組み立てられた状態では、本体部に対して第１の入口継手８１２ａが回転可能である。すなわち、ハウジングの長手方向軸の周りを回る。第１の入口継手は、他の方法でも移動可能と考えられる。第２の入口継手８１２ｂは、キャップヘッド８５２の遠位面８５６から遠位方向に延びていてもよい。第２の入口継手８１２ｂは、キャップ面板８４０に直接は接続されていない。第１の入口継手８１２ａが本体部に対して回転可能である一方、第２の入口継手８１２ｂは、キャップヘッド８５２および本体部に対して固定されている。第２の入口継手８１２ｂにより規定された第２の入口穿孔８１４ｂは、後述する第２の開口部８５７ｂと連通して、バイパスチャネル８９２のうちの１つを規定する。また、第２の入口継手は代替として、ハウジングの一部であってもよい。
【０１０４】
ハウジング８０２は、それぞれが補助スリーブ８１３に通じる補助開口８１１のうちの少なくとも１つをさらに規定する。補助スリーブ８１３は、マニホールド容積８０８と流体連通している。補助スリーブ８１３は、キャップ部８０６内に配設されている。図４０は、補助スリーブ８１３がマニホールド容積８０８へと半径方向内方に通じた状態でキャップヘッド８４２の側面に位置決めされた補助開口８１１のうちの１つを示している。キャップ部８０６に対して他方のアクセス開口８１１と直径方向反対に、別の補助開口８１１が位置決めされていてもよい。
【０１０５】
マニホールド８００は、補助スリーブ８１３内に取り外し可能に位置決めされるように構成された少なくとも１つのトレー８７６ａ、８７６ｂを具備する。図５１を参照して、トレー８７６ａ、８７６ｂは、組織収集キャビティ８８２および当該組織収集キャビティ８８２内の多孔質機構８８６を規定する。トレー８７６ａ、８７６ｂが補助スリーブ８１３内に位置決めされた状態では、多孔質機構５８２が吸引経路中に存在して、組織サンプルを収集するようにしてもよく、これは、後述のように第１の入口穿孔８１４ａの回転可能位置にさらに基づく。収集された組織サンプルの回収が望ましくなったら、組織サンプルが組織収集キャビティ８８２内に配設された状態で、補助スリーブ８１３からトレー８７６ａ、８７６ｂを摺動可能に取り出すことができる。トレー８７６ａ、８７６ｂは任意選択であることが了解され、マニホールド８００は、補助スリーブ８１３内のトレー８７６なく動作可能である。
【０１０６】
トレー８７６ａ、８７６ｂは、単一または複数の構成要素により形成されていてもよい。図５１を引き続き参照して、トレー８７６ａ、８８６ｂは、多孔質機構８８６を規定するスクリーン面８８４から延びた複数対の対向側部８８５を具備する。側部８８５およびスクリーン面８８４は、トレー８７６ａ、８７６ｂの組織収集キャビティ８８２を一体的に規定する。トレー８７６ａ、８７６ｂは、補助スリーブ８１３の相補配向機構（図示せず）に係合して、遠位障壁８０３に対する所定の配向にて当該トレー８７６ａ、８７６ｂを補助スリーブ８１３内に位置決めするように構成された配向機構（図示せず）をさらに具備していてもよい。トレー８７６は、ユーザからの入力を受けるように構成された制御面８８８を備える。制御面８８８は、ユーザの指で摘まむハンドルとして形成されていてもよい。トレー８７６ａ、８７６ｂは、補助スリーブ８１３内に収まった場合にハウジング８０２と封止係合するように構成された封止面８５５をさらに含む。特に、トレー８７６は、補助開口８１１の外周に接触するように構成された状態の封止面８５５を規定するフランジを具備していてもよい。トレー８７６ａ、８７６ｂが補助スリーブ８１３内にあり、封止面８５５が補助開口８１１を覆った状態では、医療廃棄物収集アセンブリ５０の動作中に、吸引経路を通る吸引が維持される。同様に、キャップ（図示せず）が設けられていてもよく、補助開口８１１を覆って、トレー８７６ａ、８７６ｂがない場合に吸引経路を通る吸引を維持するようにサイズ規定されている。さらに、トレー８７６ａ、８７６ｂは、当該トレー８７６ａ、８７６ｂが補助スリーブ８１３内に完全に配設または固定されたことをユーザが確信できるように、ハウジング８０２の相補保持機構に対して克服可能に係合するように構成された保持機構（図示せず）（たとえば、触覚および／または可聴フィードバックを与える戻り止め）を具備していてもよい。組織サンプルが組織収集キャビティ８８２に収集され、ユーザがトレー８７６ａ、８７６ｂを取り出したい場合は、十分な力の入力がトレー８７６ａ、８７６ｂの制御面８８８に与えられ、保持機構および相補保持機構が係合解除される（たとえば、戻り止めとハウジング８０２との間の干渉係合が克服される）。
【０１０７】
図５１を同時に参照して、ハウジング８０２のキャップヘッド８４２は、開口部８５８ａ、８５８ｂおよび第２の開口部８５７のうちの少なくとも１つを規定する。開口部８５８ａ、８５８ｂはそれぞれ、各組織収集チャネル８９１に通じていてもよい。組織収集チャネル８９１は、補助スリーブ８１３と同軸かつ流体連通していてもよい。バイパス開口８５７がバイパスチャネル８９２に通じていてもよい（図５１に示す）。第２の入口穿孔８１４ｂは、別のバイパスチャネル８９２と流体連通している。
【０１０８】
運用において、ユーザは、トレー８７６の組織収集キャビティ８８２の一方または両方に組織サンプルを収集したい場合、入力を制御面８７４に与えて、第１の入口継手８１２ａを回転させることにより、第１の入口穿孔８１４ａを開口部８５８ａ、８５８ｂの一方と位置合わせする。さらに、ユーザは、補助スリーブ８１３のうちの１つにおいて、トレー８７６ａ、８７６ｂの一方を位置決めする。第１の入口穿孔８１４ａが開口部８５８ａ、８５８ｂの一方と位置合わせされ、トレー８７６ａ、８７６ｂが補助スリーブ８１３内に位置決めされた状態で、組織収集キャビティ３８２はそれぞれ、吸引経路中に存在し、吸引経路を通じて吸い取られている組織サンプルは、組織収集キャビティ８８２内の多孔質機構８８６に遭遇する。マニホールド８００は、組織収集位置にあると考えられる。別の組織サンプルが望ましい場合、ユーザは単純に、別の入力を制御面８４４に与えて、第１の入口継手８１２ａを回転させることにより、第１の入口穿孔８１４ａを開口部８５８ａ、８５８ｂの一方と位置合わせするようにしてもよい。ユーザは、補助スリーブ８１３のうちの１つにおいて、トレー８７６ａ、８７６ｂのもう一方を位置決めする。第１の入口穿孔８１４ａが開口部８５８ａ、８５８ｂの他方と位置合わせされ、トレー８７６ａ、８７６ｂが他方の補助スリーブ８１３内に位置決めされた状態で、他方の組織収集キャビティ３８２は吸引経路中に存在し、吸引経路を通じて吸い取られている組織サンプルは、組織収集キャビティ８８２内の多孔質機構８８６に遭遇する。
【０１０９】
ユーザがマニホールド８００で組織サンプルを収集しない一方で吸引を維持したい場合、バイパスチャネル８９２は、医療廃棄物収集アセンブリ５０の動作中、組織サンプルの収集なく、流体がマニホールド８００を流れ得るようにする。２つのバイパスチャネル８９２を図示する。第１の入口穿孔８１２ａは、回転により、バイパス開口８５７と選択的に位置合わせされるように構成されている。特に、ユーザは、入力を制御面８４４に与えて、バイパス開口８５７と位置合わせされた第１の入口穿孔８１４ａを回転させる。マニホールド８００は、バイパス位置にあると考えられる。バイパスチャネル８９２が第１の入口穿孔８１４ａと流体連通している状態では、組織収集キャビティ８８２が入口穿孔８１４と流体連通しないと考えられる。この追加または代替として、第２の入口穿孔８１４ｂを規定する第２の入口継手８１２ｂに第２の吸引ラインが結合されていてもよい。このような例示的運用において、第２の入口穿孔８１４ｂに入った廃棄物は、他方のバイパスチャネル８９２を通って案内される。当然のことながら、別の入口継手も考えられ、３つまたは４つの入口継手等、上述の特定の特徴が複製される。
【０１１０】
組織収集キャビティ８８２が吸引経路内に存在しないようにマニホールド８００がバイパス位置にある状態では、医療廃棄物収集アセンブリ５０の動作の中断なく、マニホールド８００が収集された組織サンプルの回収を可能にするため都合が良い。バイパスチャネル８９２によれば、ユーザは、まずはマニホールド８００から組織サンプルを回収する必要なく、また、最初に収集される組織サンプルの品質を妥協することなく、手術部位の吸い取りを継続可能である。結果として、マニホールド８００は、外科手術の終了まで、医療廃棄物収集アセンブリ５０との係合を維持可能である。マニホールド８００がバイパス位置にある状態（または、マニホールド８００が他方のトレー８７６ａ、８７６ｂを利用する組織収集位置にある状態）で、ユーザは、入力をトレー８７６ａ、８７６ｂの制御面８８８に与えて、トレー８７６ａ、８７６ｂをそれぞれの補助スリーブ８１３から取り出す。医療廃棄物収集アセンブリ５０の動作の中断なく、交換するトレー８７６ａ、８７６ｂが補助スリーブ８１３内に位置決めされるようになっていてもよい。
【０１１１】
上述の通り、マニホールド８００は、視覚化によって、ユーザの組織収集体験を改善する。図５１および図５３を参照して、トレー８７６の組織収集キャビティ８８２は、マニホールド８００の上部に通じ、マニホールド８００は、トレーが補助スリーブ８１３内に収まった場合に、組織収集キャビティ内で拡大をもたらすレンズ８９６を具備する。さらに、マニホールド８００の上部にあるレンズ８９６が医療廃棄物収集アセンブリ５０内で水平に位置決めされた状態で、ユーザは、マニホールド８００の過度な操作なく、妥当な距離からマニホールド８００を見て、好適な組織サンプルが捕獲されたかを迅速に確認することができる。組織収集キャビティ８８２を照らす照明が設けられていてもよいと考えられる。
【０１１２】
ここで図５５〜図６１を参照して、これらの図は、少なくとも一部の点で上述のものに類似する別のマニホールド９００を示している（特定の同じ構成要素は、同じ番号に１００を足して示している）。マニホールド９００は、マニホールド受容体５４と取り外し可能に係合されるように構成されたハウジング９０２を具備する。ハウジング９０２は、キャップ部９０６および本体部９０４を具備する。上述の通り、キャップ部９０６が取り外し可能または永久的な連結手段によって本体部に結合されていてもよいし、本体部およびキャップ部９０４が単一の一体構造として形成されていてもよい（たとえば、界面でのスピン溶接により、再利用を防止する）。ハウジング９０２は、マニホールド容積（識別せず）を規定する。出口開口（図示せず）は、マニホールド容積と流体連通している。ハウジング９０２は、マニホールド容積と流体連通した第１の入口穿孔９１４ａを規定する第１の入口継手９１２ａと、マニホールド容積と流体連通した第２の入口穿孔９１４ｂを規定する第２の入口継手９１２ｂとを具備する。前述の通り、出口開口は、吸引経路が入口穿孔９１４ａ、９１４ｂから吸引入口５２まで設けられるように、ハウジング９０２がマニホールド受容体５４と係合された場合に、医療廃棄物収集アセンブリ５０の吸引入口５２と流体連通するように構成されている。ドリップ弁（図示せず）は、出口開口内に位置決めされて、上述のように、ハウジング９０２がマニホールド受容体５４から係合解除された場合の出口開口からの流体の流出を防止するとともに、ハウジング９０２がマニホールド受容体５４と係合された場合に、マニホールド容積と医療廃棄物収集アセンブリ５０の吸引入口５２との間に流体連通をもたらすようにしてもよい。マニホールド９００は、ハウジング９０２内および後述する吸引経路中に配設されたフィルタ要素（図示せず）を具備していてもよい。フィルタ要素は、吸引経路に沿って吸い取られる流れに取り込まれた半固形および固形物を捕獲するように構成された多孔質機構を規定する。
【０１１３】
図５５は、キャップ面板９４０およびキャップヘッド９４２を含むキャップ部９０６を示している。図５６を同時に参照して、キャップヘッド９４２は、遠位方向に延びて遠位面９５６で終端する少なくとも１つの側壁９５４を具備する。図５７を同時に参照して、キャップ面板９４０は、近位面９７０および当該近位面９７０と反対の遠位面９７２を含むディスク状であってもよい。結合機構９６４は、キャップ面板９４０の相補結合機構９６６とのバヨネットマウントをもたらすように構成されていてもよい。管状部９６８は、近位面９７０から近位方向に延びている。当然のことながら、他の結合機構が用いられるようになっていてもよい。後述のようにマニホールド９００の操作を容易化するため、キャップ面板９４０は、ユーザが操作するように構成された制御面９７４を備えていてもよい。
【０１１４】
キャップ部９０６のキャップ面板９４０は、第１の入口継手９１２ａを具備する。図５６に示すように、第１の入口継手９１２ａおよび第２の入口継手９１２ｂはそれぞれ、入口穿孔９１４ａ、９１４ｂがキャップ面板９４０を通って延びた状態で、キャップ面板９４０の遠位面９７２から遠位方向に延びている。結果として、マニホールド９００が組み立てられた状態では、本体部９０４に対して第１および第２の入口継手９１２ａ、９１２ｂが回転可能である。すなわち、本体部の長手方向軸の周りを回るとともに、組織収集位置とバイパス位置との間で回転するように構成されている。また、第１および第２の入口継手は、ハウジングに対して異なる様態で移動可能と考えられる。第１の入口継手９１２ａが組織収集のポートとして機能する場合には、第１の入口継手９１２ａを示す印９９４が設けられていてもよい。図５５および図５６に示す印９９４は、第１の入口継手９１２ａを取り囲んで、過度な手間なく、視覚的指示のほか触覚的指示を与えるリングを含む。タブまたは突起等、他種の印も考えられる。
【０１１５】
ハウジング９０２は、補助スリーブ９１３に通じる補助開口９１１をさらに規定する。補助スリーブ９１３は、マニホールド容積９０８と流体連通している。補助スリーブ９１３は、キャップ部９０６内に配設されている。図５６は、補助スリーブ９１３が後述のように上方傾斜した状態でキャップヘッド９４２の側面に位置決めされた補助開口９１１を示している。キャップ部８０６に対して直径方向反対に、別の補助スリーブ（図示せず）が位置決めされていてもよいと考えられる。
【０１１６】
マニホールド９００は、補助スリーブ９１３内に取り外し可能に位置決めされるように構成されたトレー９７６を具備する。図５６を参照して、トレー９７６は、組織収集キャビティ９８２および当該組織収集キャビティ９８２内の多孔質機構９８６を規定する。トレー９７６が補助スリーブ９１３内に位置決めされた状態では、多孔質機構９８６が吸引経路中に存在して、組織サンプルを収集するようにしてもよく、これは、後述のように第１の入口穿孔９１４ａの回転可能位置にさらに基づく。収集された組織サンプルの回収が望ましくなったら、組織サンプルが組織収集キャビティ９８２内に配設された状態で、補助スリーブ９１３からトレー９７６を摺動可能に取り出すことができる。トレー９７６は任意選択であることが了解され、マニホールド９００は、補助スリーブ９１３内のトレー９７６なく動作可能である。
【０１１７】
図５６に最も良く示すように、トレー９７６は、単一または複数の構成要素により形成されていてもよい。図５６を引き続き参照して、トレー９７６は、多孔質機構９８６を規定するスクリーン面９８４から延びた複数対の対向側部９８５を具備する。側部９８５およびスクリーン面９８４は、トレー９７６の組織収集キャビティ９８２を一体的に規定する。トレー９７６は、補助スリーブ９１３の相補配向機構（図示せず）に係合して、遠位障壁９０３に対する所定の配向にて当該トレー９７６を補助スリーブ９１３内に位置決めするように構成された配向機構（図示せず）をさらに具備していてもよい。トレー９７６は、ユーザからの入力を受けるように構成された制御面９８８を備える。制御面９８８は、ユーザの指で摘まむハンドルとして形成されていてもよい。トレー９７６は、補助スリーブ９１３内に収まった場合にハウジング９０２と封止係合するように構成された封止面９５５をさらに含む。特に、トレー９７６は、補助開口９１１の外周に接触するように構成された状態の封止面９５５を規定するフランジを具備していてもよい。トレー９７６が補助スリーブ９１３内にあり、封止面９５５が補助開口９１１を覆った状態では、医療廃棄物収集アセンブリ５０の動作中に、吸引経路を通る吸引が維持される。同様に、キャップ（たとえば、図２９参照）が設けられていてもよく、補助開口９１１を覆って、トレー９７６がない場合に吸引経路を通る吸引を維持するようにサイズ規定されている。さらに、トレー９７６は、当該トレー９７６が補助スリーブ９１３内に完全に配設または固定されたことをユーザが確信できるように、ハウジング９０２の相補保持機構に対して克服可能に係合するように構成された保持機構（図示せず）（たとえば、触覚および／または可聴フィードバックを与える戻り止め）を具備していてもよい。組織サンプルが組織収集キャビティ９８２に収集され、ユーザがトレー９７６を取り出したい場合は、十分な力の入力がトレー９７６の制御面９８８に与えられ、保持機構および相補保持機構が係合解除される（たとえば、戻り止めとハウジング９０２との間の干渉係合が克服される）。
【０１１８】
図５８および図６０を同時に参照して、ハウジング９０２のキャップヘッド９４２は、開口部９５８およびバイパス開口９５７のうちの少なくとも１つを規定していてもよい。開口部９５８は、組織収集チャネル９９１に通じる。組織収集チャネル９９１は、補助スリーブ９１３と流体連通している。図５８は、後述する様態で各バイパスチャネル９９２に通じる３つのバイパス開口９５７ａ、９５７ｂ、９５７ｃを示している。後述する一変形においては、マニホールド９００がバイパス位置にある場合に、吸引ライン５２への吸引を取り除くため、バイパス開口のうちの１つ９５７ａが除去されていてもよい。
【０１１９】
運用において、ユーザは、トレー９７６の組織収集キャビティ９８２に組織サンプルを収集したい場合、入力を制御面９７４に与えて、第１の入口継手９１２ａ（および、結果として第２の入口継手９１２ｂ）を図５９に示す組織収集位置へと回転させる。入力としては、第１の回転方向Ｄ１のトルクをキャップ面板９４０の制御面９７４に与えることが挙げられる。図５９に示す組織収集位置において、第１の入口穿孔９１４ａは、トレー９７６が補助スリーブ９１３内に位置決めされた場合に、組織収集キャビティ９８２が近接して位置合わせされた開口部９５８と連通している（たとえば、同軸に位置合わせされている）。同時に、第２の入口穿孔９１４ｂは、マニホールド容積９０８に通じるバイパス開口のうちの１つ９５７ｂと連通している（たとえば、同軸に位置合わせされている）。
【０１２０】
ユーザは、補助スリーブ９１３においてトレー９７６を位置決めする。第１の入口穿孔９１４ａが開口部９５８と位置合わせされ、トレー９７６が補助スリーブ９１３内に位置決めされた状態では、図４９に示すように吸引経路が確立される。特に、組織収集キャビティ９８２は吸引経路中に存在し、吸引経路を通じて吸い取られている組織サンプルは、組織収集キャビティ９８２内の多孔質機構９８６に遭遇する。マニホールド９００は、組織収集位置にあると考えられ、同時に、バイパス開口のうちの１つ９５７ｂと連通した第２の入口継手９１２ｂを通じて廃棄物を別個に吸い取れるようにする。
【０１２１】
ユーザは、トレー９７６に収集された組織サンプルを回収したい場合および／または吸引経路からトレー９７６を取り出したい場合、別の入力を制御面９７４に与えて、第１の入口継手９１２ａ（および、結果として第２の入口継手９１２ｂ）を図６０に示すバイパス位置へと回転させる。入力としては、第１の回転方向と反対の第２の回転方向Ｄ２の別のトルクを制御面９７４に与えることが挙げられる。図６０に示すバイパス位置において、第１の入口穿孔９１４ａは、バイパス開口のうちの１つ９５７ａと連通しており（たとえば、同軸に位置合わせされており）、第２の入口穿孔９１４ｂは、別のバイパス開口９５７ｃと連通している（たとえば、同軸に位置合わせされている）。
【０１２２】
前述の変形において、バイパス開口９５７ａは、バイパス位置において第１の入口穿孔９１４ａがキャップヘッド９４２の遠位面８５６の一部と位置合わせされるように除去される。第１の入口穿孔９１４ａを通る吸引が取り除かれることにより、別の組織サンプルまたは廃棄物が吸引ライン５２および第１の入口穿孔９１４ａを通じて引っ張られるリスクが取り除かれる。
【０１２３】
トレー９７６は、マニホールド９００が組織収集位置および／またはバイパス位置にある状態で、補助スリーブ９１３から取り外し可能である。その際、補助開口９１１がトレー９７６の封止面９５５と封止係合ではなくなるため、吸引の低下が発生し得る。マニホールド９００が組織収集位置および／またはバイパス位置にある状態で、ユーザは、入力をトレー９７６の制御面９８８に与えて、トレー９７６を補助スリーブ９１３から取り出す。別の組織サンプルが望ましい場合は、医療廃棄物収集アセンブリ５０の動作の中断なく、交換するトレー９７６が補助スリーブ９１３内に位置決めされるようになっていてもよい。
【０１２４】
マニホールド９００は、視覚化によって、ユーザの組織収集体験を改善する。トレー９７６の組織収集キャビティ９８２は、遠位障壁９０３に通じ、マニホールド９００は、トレーが補助スリーブ９１３内に収まった場合に、組織収集キャビティ内で拡大をもたらすレンズ９９６を具備する。補助スリーブ９１３の外部を規定する遠位障壁９０３等の障壁は、レンズ９９６を具備する遠位障壁９０３がマニホールド９００の長手方向軸に対して遠位方向かつ上方に配向するように、長手方向軸に対して「クロッキング」されている。医療廃棄物収集アセンブリ５０内のマニホールド９００の配向に基づいて、レンズ９９６は、マニホールド９００の上部に位置決めされる。ユーザは、マニホールド９００の過度な操作なく、妥当な距離からマニホールド９００を見て、好適な組織サンプルが捕獲されたかを迅速に確認することができる。組織収集キャビティ９８２を照らす照明が設けられていてもよいと考えられる。
【０１２５】
図６２〜図６４は、後述する特定の代替または追加特徴、特に、補助スリーブ９１３内のトレー９７６の配向および／または位置付けを対象とした特徴を有する、図５５〜図６１のマニホールド９００の一変形を示している。図５５〜図６１のマニホールド９００に対して説明を繰り返さないのは簡略化のためであり、援用されるものと考えるべきである。マニホールド９００は、ハウジング９０２を一体的に構成するキャップ部９０６および本体部９０４を具備する。ハウジング９０２は、マニホールド容積と流体連通した第１の入口穿孔９１４ａを規定する第１の入口継手９１２ａと、マニホールド容積と流体連通した第２の入口穿孔９１４ｂを規定する第２の入口継手９１２ｂとを具備する。マニホールド９００は、ハウジング９０２内および吸引経路中に配設されたフィルタ要素（図示せず）を具備していてもよい。
【０１２６】
図６２は、キャップ面板９４０およびキャップヘッド９４２’を含むキャップ部９０６を示している。キャップ部９０６のキャップ面板９４０は、本体部９０４に対して回転可能、すなわち、本体部の長手方向軸の周りを回るとともに、組織収集位置とバイパス位置との間で回転するように構成された第１の入口継手９１２ａおよび第２の入口継手９１２ｂを具備する。
【０１２７】
図６３を同時に参照して、キャップヘッド９４２’は、遠位方向に延びて遠位面（図示せず）で終端する少なくとも１つの側壁９５４を具備する。ハウジング９０２は、補助スリーブ９１３に通じる補助開口９１１をさらに規定する。補助スリーブ９１３は、マニホールド容積９０８と流体連通している。補助スリーブ９１３は、キャップ部９０６内に配設されている。図６３は、補助スリーブ９１３が後述のように上方傾斜した状態でキャップヘッド９４２’の側面に位置決めされた補助開口９１１を示している。
【０１２８】
マニホールド９００は、補助スリーブ９１３内に取り外し可能に位置決めされるように構成されたトレー９７６を具備する。図６４を参照して、トレー９７６は、組織収集キャビティ９８２および当該組織収集キャビティ９８２内の多孔質機構９８６を規定する。トレー９７６が補助スリーブ９１３内に位置決めされた状態では、多孔質機構９８６が吸引経路中に存在して、組織サンプルを収集するようにしてもよく、これは、上述のように第１の入口穿孔９１４ａの回転可能位置にさらに基づく。収集された組織サンプルの回収が望ましくなったら、組織サンプルが組織収集キャビティ９８２内に配設された状態で、補助スリーブ９１３からトレー９７６を摺動可能に取り出すことができる。
【０１２９】
図６４を引き続き参照して、トレー９７６は、多孔質機構９８６を規定するスクリーン面９８４から延びた複数対の対向側部９８５を具備していてもよい。側部９８５およびスクリーン面９８４は、トレー９７６の組織収集キャビティ９８２を一体的に規定する。トレー９７６は、ユーザからの入力を受けるように構成された制御面９８８を備える。制御面９８８は、ユーザの指で摘まむハンドルとして形成されていてもよい。トレー９７６は、補助スリーブ９１３内に収まった場合にハウジング９０２と封止係合するように構成された封止面９５５をさらに含む。特に、トレー９７６は、補助開口９１１の外周に接触するように構成された状態の封止面９５５を規定するフランジを具備していてもよい。トレー９７６が補助スリーブ９１３内にあり、封止面９５５が補助開口９１１を覆った状態では、医療廃棄物収集アセンブリ５０の動作中に、吸引経路を通る吸引が維持される。組織サンプルが組織収集キャビティ９８２に収集され、ユーザがトレー９７６を取り出したい場合は、十分な力の入力がトレー９７６の制御面９８８に与えられ、トレー９７６が補助スリーブ９１３から取り出される。
【０１３０】
図６４を参照して、トレー９７６は、（図６３に示す）補助スリーブ９１３の相補配向機構９８９に係合して、単一の相対配向、特に、上側障壁９０３に対する所定の配向にて当該トレー９７６を補助スリーブ９１３内に位置決めするように構成された配向機構９８７をさらに具備していてもよい。トレーの補助スリーブ９１３の配向機構９８９は、タブであってもよい。タブは、補助スリーブ９１３を少なくとも部分的に規定する対向障壁から内方に延び、補助スリーブ９１３の方向と大略平行（たとえば、上側障壁９０３と平行）に配向している。図６３は、補助開口９１１と、補助開口９１１と反対のキャップヘッド９４２’の側壁９５４内のインターフェース開口との間で一部だけが延びたタブを示している。配向機構９８９は、細長レールに近づくように、実質的に補助スリーブ９１３の全体に沿って延びていてもよいと考えられる。配向機構９８９は、上側障壁９０３と反対の補助スリーブ９１３を少なくとも部分的に規定する障壁よりも遠位障壁９０３に近く離隔するため、単一の配向においては、トレー９７６のハウジング９０２との結合が必要となる。
【０１３１】
トレー９７６の相補配向機構９８７は、補助スリーブ９１３のタブに移動可能に係合するように構成されたレールであってもよい。図６４は、封止面９５５から、封止面９５５と反対のトレー９７６の端部近くの位置まで外方に延びたレールを示している。より詳細に、配向機構９８７は、組織収集キャビティ９８２を少なくとも部分的に規定する対向側部９８５から横方向外方に延びている。配向機構９８７は、側部９８５の上側縁部、言い換えると、スクリーン面９８４と反対の側部９８５の縁部に位置決めされている。スクリーン面９８４に対する配向機構９８７の位置および上側障壁９０３に対する配向機構９８７の位置により、単一の配向にて、トレー９７６を補助スリーブ９１３に挿入する必要がある。組織収集キャビティ９８２が第１の入口穿孔９１４ａに通じるように、レールがタブに移動可能に係合する。
【０１３２】
また、配向機構９８７、９８９は、トレー９７６の直下に（すなわち、組織収集キャビティ９８２と反対のスクリーン面９８４に隣接して）第２の吸引経路を設ける位置付け機構としても機能し得る。補助開口９１１がトレー９７６の封止面９５５と封止係合ではなくなるため、第２の吸引経路の利用により、入口穿孔９１２ａ、９１２ｂと出口開口との間の吸引（「流出」）を少なくとも部分的に低減または遮断するようにしてもよい。位置付け機構および第２の吸引経路については、以下により詳しく説明する。要するに、補助スリーブ９１３からのトレー９７６の取り出しを開始すると、流体力学に基づいて、対応する流体の流れが最小抵抗の経路において補助スリーブ９１３中に発生する。補助スリーブ９１３からトレー９７６が取り出されている際に第２の吸引経路がトレー９７６の直下にある状態では、補助スリーブ９１３を通る流体の流れが組織収集キャビティ９８２に収集された組織サンプルを不用意かつ不必要に排出してしまう可能性が低下する。配向機構９８７、９８９は、補助スリーブ９１３を少なくとも部分的に規定する下側障壁の上方にスクリーン面９８４を浮かせて、隙間を規定するようにしてもよい。補助スリーブ９１３を少なくとも部分的に規定する上側障壁９０３に隣接して配向機構９８７（たとえば、レール）の上面が位置決めされた状態では、流体の大部分がトレー９７６の直下に案内され、組織収集キャビティ９８２に収集された組織サンプルに接触しないように、上記隙間が最小抵抗の経路であってもよい。無視できる流体の流れが組織収集キャビティ９８２に入る状態では、関連する力が最小であり、収集された組織サンプルが組織収集キャビティ９８２から抜き取られてマニホールド容積に移される可能性が低下または消滅する。
【０１３３】
マニホールド９００は、視覚化によって、ユーザの組織収集体験を改善する。図６３および図６４を参照して、トレー９７６の組織収集キャビティ９８２は、上側障壁９０３に通じ、マニホールド９００は、トレーが補助スリーブ９１３内に収まった場合に、組織収集キャビティ内で拡大をもたらすレンズ９９６を具備する。補助スリーブ９１３の外部を規定する上側障壁９０３等の障壁は、レンズ９９６を具備する上側障壁９０３がマニホールド９００の長手方向軸に対して遠位方向かつ上方に配向するように、長手方向軸に対して「クロッキング」されている。特に、図６３は、マニホールド９００の長手方向軸を含む平面に対して、レンズ９９６が配設された上側障壁９０３が角度γで位置決めされた様子を示している。角度γは、約１０〜４５°、より詳細には約２０〜３５°、さらに詳細には約２５°であってもよい。医療廃棄物収集アセンブリ５０内のマニホールド９００の配向に基づいて、レンズ９９６は、地面に対して大略水平に配向したマニホールド９００の上部に位置決めされる。ユーザは、マニホールド９００の過度な操作なく、妥当な距離からマニホールド９００を見て、好適な組織サンプルが捕獲されたかを迅速に確認することができる。組織収集キャビティ９８２を照らす照明が設けられていてもよいと考えられる。
【０１３４】
ここで図６５〜図６８を参照して、マニホールド１１００、１２００のキャップ部１１０６、１２０６は、キャップヘッド１１４２、１２４２および支持フレーム１１４３、１２４３を具備する。キャップ部１１０６、１２０６は、上側障壁１１０３、１２０３を規定する。ハウジングは、第１の入口継手１１１２ａ、１２１２ａおよび第２の入口継手１１１２ｂ、１２１２ｂを具備する。より詳細には、キャップ部１１０６、１２０６の支持フレーム１１４３、１２４３が第１の入口継手１１１２ａ、１２１２ａを含み、キャップヘッド１１４２、１２４２が第２の入口継手１１１２ｂ、１２１２ｂを含む。第１の入口継手１１１２ａ、１２１２ａは、第１の入口穿孔１１１４ａ、１２１４ａが第１の入口継手１１１２ａ、１２１２ａおよび上側障壁１１０３、１２０３を通って延びた状態で、上側障壁１１０３、１２０３から遠ざかるように上方に延びている。第２の入口継手１１１２ｂ、１２１２ｂは、第２の入口穿孔１１１４ｂ、１２１４ｂがキャップヘッド１１４２、１２４２を通って延びた状態で、キャップヘッド１１４２、１２４２から遠位方向に延びている。マニホールド１１００、１２００のハウジングは、補助スリーブ１１１３、１２１３に通じる補助開口１１１１、１２１１をさらに規定する。補助スリーブ１１１３、１２１３は、上側障壁１１０３、１２０３、下側障壁１１２２、１２２２、および上側障壁１１０３、１２０３と下側障壁１１２２、１２２２との間に延びた両側障壁１１２３、１２２３によって少なくとも部分的に規定されていてもよい。補助スリーブ１１１３、２１１３は、穿孔１１２５、１２２５を通じてマニホールド容積と流体連通している。
【０１３５】
マニホールド１１００、１２００は、補助スリーブ１１１３、１２１３内に取り外し可能に位置決めされるように構成されたトレー１１７６、１２７６を具備する。トレー１１７６、１２７６は、上述のものと同じであってもよい。封止構成と流出構成との間のマニホールド１１００、１２００の移動を含むマニホールド１１００、１２００の動作は、上述のものと同じである。
【０１３６】
図６５および図６６から至極当然のことながら、キャップ部１１０６が「側方載荷」と考えられる一方、キャップ部１２０６は、「前方載荷」と考えられる。すなわち、トレー１１７６、１２７６はそれぞれ、マニホールド１１００、１２００の前方および側方から載荷される。図６７および図６８は、前方載荷キャップ部１２０６の側面図である。キャップ部１１０６、１２０６は、キャップ面板１１４０、１２４０および当該キャップ面板１１４０、１２４０に結合されたキャップヘッド１１４２、１２４２を具備する。図６６および図６７に示すように、キャップ面板１１４０、１２４０は、第１の軸（Ａ１）上で配向する。キャップヘッド１１４２、１２４２は、上述の通り、補助スリーブ１１１３、１２１３を少なくとも部分的に規定する上側障壁１１０３、１２０３を備える。上側障壁１１０３、１２０３は、第１の軸（Ａ１）に対して角度が付いた第２の軸（Ａ２）上で配向する。図６２および図６３に示すように、第１の軸（Ａ１）に垂直な線が第２の軸（Ａ２）に対して角度α、βである。角度α、βは、約１０〜４５°、より詳細には約２０〜３５°、さらに詳細には約２５°であってもよい。その結果、マニホールド受容体５４の空隙５６がある角度、特に、角度α、βで配向した医療廃棄物収集アセンブリ５０の構成においては、（空隙５６に挿入された本体部１１０４、１２０４に結合された）キャップ面板１１４０、１２４０に対する上側障壁１１０３、１２０３の配向により、上側障壁１１０３、１２０３は大略水平となる。さらに、補助スリーブ１１１３、１２１３も同様に水平であって、補助スリーブ１１１３、１２１３それぞれに対するトレー１１７６、１２７６の挿入および取り出しの使い勝手を促進する。さらに、補助スリーブ１１１３、１２１３とマニホールド容積との間に延びた穿孔（図示せず）が水平に対して角度α、βで配向することにより、マニホールド容積から補助スリーブ１１１３、１２１３への廃棄物の逆流の防止が容易化される。言い換えると、廃棄物が重力に打ち勝ち、マニホールド容積から傾斜穿孔１１２５、１２２５を通って補助スリーブ１１１３、１２１３まで移動する可能性は低い。
【０１３７】
図６５の側方載荷キャップ部１１０６は、近位−遠位方向に継手軸（ＡＦ）上で配向した第１の入口継手１１１２ａを示している。より具体的に、第１の入口継手１１１２ａは、補助スリーブ１１１３を少なくとも部分的に規定する遠位の側部１１２５の近くで上側障壁１１０３から遠位方向に延びている。第１の入口継手１１１２ａは、マニホールド１１００の遠位端を規定していてもよい。補助スリーブ１１１３は、スリーブ軸（ＡＳ）上に規定されていてもよい（図６７に出入りする方向と考えられる）。スリーブ軸（ＡＳ）は、補助スリーブ１１１３が側方に配向するように、継手軸（ＡＦ）に直交していてもよい（すなわち、「側方載荷」キャップ部１１０６である）。キャップ部１１０６の前方視（図６５参照）において、補助開口１１１１は、右側に位置決めされていてもよく、マニホールド１１００の側端を規定する。このような構成は、マニホールド１１００の前方から近づく右利きのユーザにとって、より都合が良いと考えられる。当然のことながら、補助開口１１１１が左側に位置決めされた代替構成も考えられることが了解される。キャップ部１１０６は、キャップ面板１１４０に結合され、補助スリーブ１１１３を通過せずにマニホールド容積までバイパス吸引経路を与える第２の入口穿孔１１１４ｂを規定する第２の入口継手１１１２ｂをさらに具備していてもよい。
【０１３８】
図６７および図６８の前方載荷キャップ部１２０６は、垂直方向に継手軸（ＡＦ）上で配向した第１の入口継手１２１２ａを示している。より具体的に、第１の入口継手１２１２ａは、補助スリーブ１１１３を少なくとも部分的に規定する上側障壁１２０３から上方に延びている。補助スリーブ１２１３は、補助開口１２１１がマニホールド１２００の遠位端を規定した状態で、スリーブ軸（Ａｓ）上に規定されていてもよい。スリーブ軸（ＡＳ）は、補助スリーブ１２１３が近位−遠位方向に配向するように、継手軸（ＡＦ）に垂直であってもよい（すなわち、「前方載荷」キャップ部１２０６である）。キャップ部１２０６は、キャップ面板１２４０に結合され、補助スリーブ１２１３を通過せずにマニホールド容積までバイパス吸引経路を与える第２の入口穿孔１２１４ｂを規定する第２の入口継手１２１２ｂをさらに具備していてもよい。
【０１３９】
キャップ面板１１４０、１２４０に対する配向によって上側障壁１１０３、１２０３が動作中に大略水平となることの補完として、レンズ１１９６、１２９６が存在する。前述の通り、組織サンプルの収集時には、組織収集キャビティ１１８２、１２８２を視覚化するのが望ましい。ユーザは、組織サンプルが組織収集キャビティ１１８２、１２８２内となった際に迅速な視覚的確認を行えると、外科手術のその他任意の局面に移ることができる。マニホールド１１００、１２００は、視覚化によって、ユーザの組織収集体験を改善する。トレー１１７６、１２７６の組織収集キャビティ１１８２、１２８２は、トレー１１７６、１２７６が補助スリーブ１１１３、１２１３内にある場合に、上側障壁１１０３、１２０３に通じる。図５３〜図６３に示すように、レンズ１１９６、１２９６は、上側障壁１１０３、１２０３に配設されて、組織収集キャビティ１１８２、１２８２内で拡大をもたらす。レンズ１１９６、１２９６は、長円形状であるが、他の好適な形状も考えられる。レンズ１１９６、１２９６は、組織収集キャビティ１１８２、１２８２の視覚化を最大化するとともに、その拡大を与えるように成形されていてもよい。結果として、ユーザは、マニホールド１１００、１２００の過度な操作なく、妥当な距離からマニホールド１１００、１２００を見て、好適な組織サンプルが捕獲されたかを迅速に確認することができる。組織収集キャビティ１１８２、１２８２を照らす照明が設けられていてもよいと考えられる。
【０１４０】
前述にて説明した通り、たとえばトレー１７６〜６７６、８７６、９７６、１１７６、１２７６により組織サンプルが収集されているか否かに関わらず、マニホールド１００〜９００、１１００、１２００のフィルタ要素２１６〜７１６によって、流れのフィルタリングが行われる。さまざまな理由により、フィルタ要素２１６〜７１６にアクセスするのが望ましいと考えられる。一例において、マニホールド１００〜９００、１１００、１２００は、所望の組織サンプルが患者から吸い取られる場合に、「バイパスモード」にて不用意に動作していた。ここで図６９〜図７１を参照して、図６９は、上述のマニホールド５００の一実施態様を示している。図７０および図７１は、マニホールド５００のキャップ部５０６を示している。図６９〜図７１のマニホールドはそれぞれ、本体部１００４内のフィルタ要素１０１６へのアクセスを可能とするアクセス機構１０４０を具備する。後述する通り、アクセス機構１０４０は、ユーザの入力を受けて、マニホールドを永久に切断することにより、フィルタ要素１０１６へのアクセスを提供するように構成されている。アクセス機構１０４０は、マニホールド１００〜９００、１１００、１２００のいずれかの実施態様のほか、本明細書に記載のない互換性のあるマニホールドに備わっていてもよいことが了解されるものとする。
【０１４１】
図７２を参照して、本体部１００４は、近位基部１０２６と、当該近位基部１０２６から延びた少なくとも１つの側部１０２８とを含む。出口開口１０１０は、近位基部１０２６内に規定される。アクセス機構１０４０は、脆弱境界９４２を含んでいてもよい。図６７に示すアクセス機構１０４０の形態の脆弱境界９４２は、側部１０２８の横部と上部間の界面に配設されて、側部１０２６の少なくとも部分的に取り外し可能な部分１０４６を規定する薄型材料を含む。アクセス機構１０４０は、把持部１０４４をさらに具備する。図７２は、ユーザの少なくとも１本の指を受容するようにサイズ規定された隙間を規定するタブ状構造を含む把持部１０４４を示している。ユーザは、たとえば把持部１０４４を摘まみ、側部１０２６の部分１０４６を剥がして、脆弱境界９４２が裂けるようにする。部分１０４６の剥離により、本体部１００４内でフィルタ要素１０１６を露出させる。
【０１４２】
図７３は、上述のアクセス機構１０４０との併用に特に適したフィルタ要素１０１６を示している。フィルタ要素１０１６は、基壁１０２０から延びた少なくとも１つの側壁１０２２を含むことにより、キャビティ１０２５を規定するバスケットを構成する。図７３は、上壁１０２３および底壁１０２５により分離された対向側壁１０２２を示している。側壁１０２２が多孔質機構１０１８を規定していてもよく、他の形態においては、基壁１０２０が同様に多孔質機構１０１８を規定していてもよい。フィルタ要素１０１６は、側壁１０２２の少なくとも一方を通って延びたウィンドウ１０５０を規定する。図７３は、上壁１０２３のほぼ全体を使い果たすウィンドウ１０５０を示している。ウィンドウ１０５０は、フィルタ要素１０１６が本体部１００４内に配設された場合に、アクセス機構１０４０、より詳細には、取り外し可能な部分１０４６と位置合わせされている。その結果、アクセス機構１０４０を永久に切断した後（たとえば、部分１０４６を剥がしてフィルタ要素１０１６を露出させた後）、ウィンドウ１０５０は、フィルタ要素１０１６内からの組織サンプルの回収を可能にするようにサイズ規定される。一例においては、ウィンドウ１０５０を通じてフィルタ要素１０１６のキャビティ１０２５内で鉗子が案内されることにより、フィルタ要素１０１６を本体部１００４から取り外す必要なく、組織サンプルを回収可能である。
【０１４３】
ここで図７０を参照して、この図は、アクセス機構１０４０の別の形態を示している。アクセス機構１０４０は、把持部１０４４に結合された（リングとして示す）少なくとも部分的に取り外し可能な部分１０４６である脆弱境界１０４２を含む。ユーザは、たとえば把持部１０４４を摘まみ、本体部１００４の円周上の取り外し可能なリング１０４４を剥がすことによって、キャップ部１００６と本体部１００４との間の界面を裂く。キャップ部５０６が本体部１００４から分離することにより、キャビティ１０２５と連通したフィルタ要素１０１６の口部１０２４が露になる。一例においては、口部１０２４を通じてフィルタ要素１０１６のキャビティ１０２５内で鉗子が案内されることにより、フィルタ要素１０１６を本体部１００４から取り外す必要なく、組織サンプルを回収可能である。
【０１４４】
図７１は、アクセス機構１０４０のさらに別の形態を示している。図７１のアクセス機構１０４０は、取り外し可能な部分１０４６を規定する脆弱境界１０２４の閉じた外周を含む。閉じた外周は、本体部１００４の側壁１０２８のうちの１つに全体が存在していてもよい。アクセス機構１０４０は、取り外し可能な部分１０２６（たとえば、リング）に結合された把持部１０４４を具備する。ユーザは、把持部１０４４を操作し、側部１０２６の部分１０４６を剥がして、脆弱境界９４２が裂けるようにする。脆弱境界１０２４の閉じた外周は、取り外し可能な部分１０２６の完全な除去を可能にし得る。側壁１０２８内に配設された閉じた外周とウィンドウ１０５０が位置合わせされた状態で、図７３に類似するフィルタ要素が設けられていてもよい。当然のことながら、アクセス機構は、上述のものであろうとなかろうと、図６９〜図７１に示すような本体部１００４上とキャップ部１００６上との少なくとも一方であってもよい。
【０１４５】
例示的な条項
条項１  マニホールド受容体および吸引入口を具備する医療廃棄物収集アセンブリにより組織サンプルを収集するマニホールドであって、吸引ラインを受容するように構成され、入口穿孔を規定する入口継手と、マニホールド受容体と取り外し可能に係合されるように構成されたハウジングであり、マニホールド容積と、当該ハウジングがマニホールド受容体と係合された場合に医療廃棄物収集アセンブリの吸引入口と流体連通するように構成された出口開口とを規定することによって、入口穿孔からマニホールド容積を通って吸引入口に達する吸引経路を提供する、ハウジングと、吸引経路においてハウジング内に配設されたフィルタ要素と、組織収集キャビティおよび当該組織収集キャビティ内の多孔質機構ならびに組織収集キャビティとは別個のバイパスチャネルを規定する導流器であり、ユーザからの入力を受けて、多孔質機構が吸引経路内、バイパスチャネルが吸引経路外となるように組織収集キャビティが入口穿孔と流体連通する組織収集位置と、バイパスチャネルが吸引経路中の入口穿孔と流体連通し、組織収集キャビティが吸引経路外となるバイパス位置との間で当該導流器を移動させるように構成された制御面を備えた、導流器と、を備えた、マニホールド。
【０１４６】
条項２  マニホールド受容体および吸引入口を具備する医療廃棄物収集アセンブリにより組織サンプルを収集するマニホールドであって、マニホールド受容体と取り外し可能に係合されるように構成されるとともにマニホールド容積を規定するハウジングで、入口穿孔を規定するとともに吸引ラインを受容するように構成された入口継手を具備する、ハウジングであり、当該ハウジングがマニホールド受容体と係合された場合に医療廃棄物収集アセンブリの吸引入口と流体連通するように構成された出口開口を規定することによって、入口穿孔からマニホールド容積を通って吸引入口に達する吸引経路を提供する、ハウジングと、吸引経路においてハウジング内に配設されたフィルタ要素と、ハウジングに対して回転可能に結合され、複数の組織収集キャビティおよび当該各組織収集キャビティ内の多孔質機構を規定するトレーであり、ユーザからの入力を受けて、当該トレーを軸周りに回転させることにより、多孔質機構が吸引経路内となって組織サンプルを収集するように、組織収集キャビティのうちの１つを入口穿孔と選択的に位置合わせするように構成された制御面を備えた、トレーと、を備えた、マニホールド。
【０１４７】
条項３  トレーが、組織収集キャビティとは別個のバイパスチャネルをさらに規定し、軸周りに回転して、組織サンプルを収集することなく吸引経路を流体が流れ得るように、バイパスチャネルを入口穿孔と選択的に位置合わせするようにさらに構成された、条項２に記載のマニホールド。
【０１４８】
条項４  バイパスチャネルが、複数のバイパスチャネルを含み、組織収集キャビティおよびバイパスチャネルが軸周りで角度的に交互に配置された、条項３に記載のマニホールド。
【０１４９】
条項５  組織収集キャビティおよびバイパスチャネルが、軸周りで角度的に等しく離隔した、条項４に記載のマニホールド。
【０１５０】
条項６  トレーが、制御面周りで円周方向に配置された複数のレンズをさらに備え、レンズがそれぞれ、組織収集キャビティのうちの１つと位置合わせされるとともに、組織収集キャビティのうちの１つにおいて拡大をもたらすように成形された、条項２に記載のマニホールド。
【０１５１】
条項７  ハウジングが、組織収集キャビティのうちの１つにおいて拡大をもたらすように位置決めされたレンズをさらに備えた、条項２に記載のマニホールド。
【０１５２】
条項８  ハウジングが、キャップ部および当該キャップ部に結合された本体部をさらに備え、トレーが、キャップ部の面板に近接して位置決めされた、条項２に記載のマニホールド。
【０１５３】
条項９  キャップ部および本体部の一方が、本体部に対してキャップ部を回転可能に固定するように構成された配向機構を備えた、条項８に記載のマニホールド。
【０１５４】
条項１０  キャップ部が、開口を含み、当該開口を通じて、制御面が操作されるように構成された、条項８に記載のマニホールド。
【０１５５】
条項１１  トレーを取り外し可能に受容するようにサイズ規定された空隙を規定する担体であり、ハウジングに対して取り外し可能に結合された、担体をさらに備えた、条項２に記載のマニホールド。
【０１５６】
条項１２  ハウジングが、吸引ラインを取り外し可能に受容するように構成されたバイパス入口継手であり、組織収集キャビティとの流体連通なく、トレーを迂回する流体チャネルを規定する、バイパス入口継手をさらに備えた、条項２に記載のマニホールド。
【０１５７】
条項１３  ハウジングが、入口継手を具備するキャップ部および当該キャップ部に結合された本体部をさらに備えた、条項１に記載のマニホールド。
【０１５８】
条項１４  マニホールド受容体および吸引入口を具備する医療廃棄物収集アセンブリにより組織サンプルを収集するマニホールドであって、キャップ面板を含むキャップ部および吸引ラインを受容するように構成され、入口穿孔を規定する入口継手と、キャップ部に結合され、キャップ部に対して回転可能に固定されてマニホールド容積を一体的に規定する本体部であり、マニホールド受容体と取り外し可能に係合されるように構成され、マニホールド受容体と係合された場合に医療廃棄物収集アセンブリの吸引入口と流体連通するように構成された出口開口を規定することによって、入口穿孔からマニホールド容積を通って吸引入口に達する吸引経路を提供する、本体部と、吸引経路において本体部内に少なくとも一部が配設されたフィルタ要素と、キャップ部のキャップ面板に近接して配設され、複数の組織収集キャビティおよび当該組織収集キャビティそれぞれの多孔質機構を規定するトレーならびに組織収集キャビティとは別個のバイパスチャネルと、を備え、多孔質機構が吸引経路内となって組織サンプルを収集するように、組織収集キャビティのうちの１つが入口穿孔と流体連通する組織収集位置と、トレーが組織サンプルを収集することなく吸引経路を流体が流れ得るように、吸引経路においてバイパスチャネルが入口穿孔と流体連通するバイパス位置とにおいて動作するように構成された、マニホールド。
【０１５９】
条項１５  トレーが、ハウジングに対して回転可能に結合され、ユーザからの入力を受けて、キャップ部および本体部に対して軸周りに回転することにより、組織収集位置とバイパス位置との間で当該マニホールドを選択的に切り替えるように構成された、条項１４に記載のマニホールド。
【０１６０】
条項１６  キャップ部が、トレーに対して取り外し可能に結合されることにより、組織収集キャビティへのアクセスを可能とする、条項１４に記載のマニホールド。
【０１６１】
条項１７  マニホールド受容体および吸引入口を具備する医療廃棄物収集アセンブリにより組織サンプルを収集するマニホールドであり、前部および後部を具備する、マニホールドであって、マニホールド容積を規定し、当該ハウジングの前部に入口継手を含むとともに、入口継手が吸引ラインを取り外し可能に受容するように構成された状態でマニホールド容積と流体連通した入口穿孔を規定し、当該ハウジングの後部に出口開口をさらに規定するとともに、当該ハウジングがマニホールド受容体と係合された場合に医療廃棄物収集アセンブリの吸引入口と流体連通して、入口穿孔からマニホールド容積を通って吸引入口に達する吸引経路を提供するように構成されたハウジングと、吸引経路においてハウジング内に配設されたフィルタ要素であり、ハウジングが、マニホールド容積と流体連通するとともに、当該ハウジングの長手方向軸から離れる方向に角度が付いた軸上で配向した補助スリーブをさらに規定する、フィルタ要素と、補助スリーブ内で取り外し可能に位置決めされるように構成され、組織収集キャビティおよび当該組織収集キャビティ内の多孔質機構を規定するトレーであり、多孔質機構が吸引経路内となって組織サンプルを収集するように当該トレーが補助スリーブ内に収まった場合に、組織収集キャビティが当該マニホールドの前部に通じる、トレーと、を備えた、マニホールド。
【０１６２】
条項１８  ハウジングが、補助スリーブを少なくとも部分的に規定する遠位障壁であり、トレーが補助スリーブ内に収まった場合に、組織収集キャビティ内で拡大をもたらすように構成されたレンズを具備する、遠位障壁をさらに備えた、条項１７に記載にマニホールド。
【０１６３】
条項１９  トレーが、ユーザからの入力を受けるように構成された制御面と、トレーが補助スリーブ内に収まった場合に、ハウジングと封止係合するように構成された封止面とをさらに備えた、条項１７に記載のマニホールド。
【０１６４】
条項２０  補助スリーブが、ハウジングの前部から近位方向に離れる方向に角度が付いた軸上で配向した、条項１７に記載のマニホールド。
【０１６５】
条項２１  入口穿孔が、ハウジングの長手方向軸に対して遠位方向上方に角度が付いた軸上で配向した、条項１７に記載のマニホールド。
【０１６６】
条項２２  ハウジングに結合され、補助スリーブ内で位置決めされた弁をさらに備えた、条項１７に記載のマニホールド。
【０１６７】
条項２３  トレーが、ハウジングの相補保持機構に対して克服可能に係合することにより、補助スリーブ内での当該トレーの保持を容易化するように構成された保持機構をさらに備えた、条項１７に記載のマニホールド。
【０１６８】
条項２４  ハウジングが、内部にフィルタ要素が少なくとも部分的に配設された本体部と、当該本体部に結合され、入口継手を具備するキャップ部と、ユーザの入力を受けて、マニホールドを永久に切断することにより、本体部内のフィルタ要素にアクセスするように構成されたアクセス機構とをさらに備えた、条項１７に記載のマニホールド。
【０１６９】
条項２５  アクセス機構が、脆弱境界と、当該脆弱境界に結合され、ユーザの入力を受けて、脆弱境界を裂くことにより、本体部内のフィルタ要素にアクセスするように構成された把持部と、をさらに備えた、条項２４に記載のマニホールド。
【０１７０】
条項２６  フィルタ要素が、基壁から延びた少なくとも１つの側壁と、側壁を通って延びた多孔質機構と、側壁を通って延び、アクセス機構と位置合わせされ、マニホールドを永久に切断して当該フィルタ要素にアクセスした後、当該フィルタ要素内からの組織サンプルの回収を可能にするようにサイズ規定されたウィンドウと、を備えた、条項２５に記載のマニホールド。
【０１７１】
条項２７  マニホールド受容体および吸引入口を具備する医療廃棄物収集アセンブリにより組織サンプルを収集するマニホールドであり、前部および後部を具備する、マニホールドであって、マニホールド容積を規定し、当該ハウジングの前部に入口継手を含むとともに、入口継手が吸引ラインを取り外し可能に受容するように構成された状態でマニホールド容積と流体連通した入口穿孔を規定し、当該ハウジングの後部に出口開口をさらに規定するとともに、当該ハウジングがマニホールド受容体と係合された場合に医療廃棄物収集アセンブリの吸引入口と流体連通して、入口穿孔からマニホールド容積を通って吸引入口に達する吸引経路を提供するように構成されたハウジングと、吸引経路においてハウジング内に配設されたフィルタ要素であり、ハウジングが、マニホールド容積と流体連通した補助スリーブを規定する遠位障壁をさらに備えた、フィルタ要素と、組織収集キャビティおよび当該組織収集キャビティ内の多孔質機構を規定し、補助スリーブ内に取り出し可能に配設されるように構成されたトレーであり、遠位障壁が、多孔質機構が吸引経路内となって組織サンプルを収集するように当該トレーが補助スリーブ内に配設された場合に組織収集キャビティ内で拡大をもたらすように成形されたレンズを具備する、トレーと、を備えた、マニホールド。
【０１７２】
条項２８  補助スリーブが、トレーの相補配向機構に係合して、遠位障壁に対する所定の配向にてトレーを補助スリーブ内に位置決めするように構成された配向機構をさらに備えた、条項２７に記載のマニホールド。
【０１７３】
条項２９  マニホールド受容体および吸引入口を具備する医療廃棄物収集アセンブリにより組織サンプルを収集するマニホールドであって、吸引ラインを受容するように構成された入口継手を具備するキャップ部と、キャップ部に結合されてマニホールド容積を一体的に規定する本体部であり、マニホールド受容体と取り外し可能に係合されるように構成され、マニホールド受容体と係合された場合に医療廃棄物収集アセンブリの吸引入口と流体連通するように構成された出口開口を規定することによって、入口継手からマニホールド容積を通って吸引入口に達する吸引経路を提供する、本体部と、吸引経路において本体部内に少なくとも一部が配設されたフィルタ要素と、を備え、本体部およびキャップ部の少なくとも一方が、ユーザの入力を受けて、マニホールドを永久に切断することにより、フィルタ要素へのアクセスを可能にするように構成されたアクセス機構を備えた、マニホールド。
【０１７４】
条項３０  アクセス機構が、脆弱境界と、当該脆弱境界に結合され、ユーザの入力を受けて、脆弱境界を裂くように構成された把持部と、をさらに備えた、条項２９に記載のマニホールド。
【０１７５】
条項３１  脆弱境界が、本体部およびキャップ部の一方に結合され、キャップ部と本体部との間の界面を裂くように構成された取り外し可能なリングである、条項３０に記載のマニホールド。
【０１７６】
条項３２  脆弱境界が、本体部内に閉じた外周をさらに含み、閉じた外周に沿って裂けるように薄型材料で形成された、条項３０に記載のマニホールド。
【０１７７】
条項３３  フィルタ要素が、基壁から延びた少なくとも１つの側壁と、少なくとも１つの側壁を通って延びた多孔質機構と、側壁を通って延び、アクセス機構と位置合わせされ、マニホールドを永久に切断して当該フィルタ要素にアクセスした後、当該フィルタ要素内からの組織サンプルの回収を可能にするようにサイズ規定されたウィンドウと、備えた、条項２９に記載のマニホールド。
【０１７８】
条項３４  当該マニホールドに対して取り外し可能に結合されるように構成され、組織収集キャビティおよび当該組織収集キャビティ内の多孔質機構を規定し、吸引経路内に位置決めされた場合に組織サンプルを収集するように構成されたトレーをさらに備えた、条項２９に記載のマニホールド。
【０１７９】
条項３５  マニホールド受容体および吸引入口を具備する医療廃棄物収集アセンブリにより組織サンプルを収集するマニホールドであって、マニホールド受容体と取り外し可能に係合されるように構成されたハウジングであり、マニホールド受容体と、当該ハウジングがマニホールド受容体内に係合された場合に医療廃棄物収集アセンブリの吸引入口と流体連通するように構成された出口開口と、バイパスチャネルとを規定し、バイパスチャネルと別個の補助スリーブを規定する支持フレームを具備する、ハウジングと、ハウジング内に配設されたフィルタ要素と、組織収集キャビティおよび当該組織収集キャビティ内の多孔質機構を規定するトレーであり、支持フレームの補助スリーブ内に取り出し可能に配設されるようにサイズ規定されたトレーと、支持フレームに対して摺動可能に結合され、入口穿孔を規定するとともに吸引ラインを取り外し可能に受容するように構成された入口継手を具備する摺動部材であり、ユーザからの入力を受けて、多孔質機構が吸引経路内となって組織サンプルを収集するようにトレーが補助スリーブ内に配設された場合に、入口継手の入口穿孔が組織収集キャビティと流体連通する組織収集位置と、トレーが組織サンプルを収集することなく吸引経路を流体が流れ得るように入口継手の入口穿孔が流体連通するバイパス位置との間で当該摺動部材を移動させるように構成された制御面を備えた、摺動部材と、を備えた、マニホールド。
【０１８０】
条項３６  摺動部材が、トレーが補助スリーブ内に配設され、当該摺動部材が組織収集位置にある場合に、トレーの組織収集キャビティ内で拡大をもたらすように成形されたレンズをさらに備えた、条項３５に記載のマニホールド。
【０１８１】
条項３７  支持フレームが、前面により分離された対向側部をさらに備え、補助スリーブが対向側部の一方から内方の延び、バイパスチャネルが前面から内方に延びた、条項３５に記載のマニホールド。
【０１８２】
条項３８  摺動部材が、支持フレームの相補追跡機構に係合して、支持フレームに対する当該摺動部材の移動を１自由度で制限するように構成された追跡機構をさらに備えた、条項３５に記載のマニホールド。
【０１８３】
条項３９  トレーが、後壁と反対で対向側壁により分離された前壁と、多孔質機構を具備する基部とをさらに備え、前壁が、摺動部材が組織収集位置にある場合に入口継手の入口穿孔と位置合わせされるように構成された切り欠きを含む、条項３５に記載のマニホールド。
【０１８４】
条項４０  トレーの基部が、後壁に向かって上方に傾斜した傾斜面をさらに備えた、条項３９に記載のマニホールド。
【０１８５】
条項４１  医療廃棄物収集アセンブリ用マニホールドにより組織サンプルを収集する方法であり、マニホールドが、マニホールド容積を規定するハウジングと、出口開口と、補助スリーブおよび当該補助スリーブとは別個のバイパスチャネルを規定する支持フレームと、を備え、マニホールドが、ハウジング内に配設されたフィルタ要素と、支持フレームに対して摺動可能に結合され、入口穿孔を規定する入口継手を具備する摺動部材と、組織収集キャビティ内に位置決め可能で、組織収集キャビティおよび当該組織収集キャビティ内の多孔質機構を規定するトレーと、をさらに備えた、方法であって、出口開口が医療廃棄物収集アセンブリの吸引入口と流体連通するようにマニホールドを医療廃棄物収集アセンブリに結合するステップと、吸引ラインを入口継手に結合するステップと、摺動部材が、トレーが組織サンプルを収集することなく吸引経路を流体が流れ得るように入口継手の入口穿孔がバイパスチャネルと流体連通するバイパス位置にある状態で医療廃棄物収集アセンブリを動作させるステップと、入力を制御面に適用して、バイパス位置から、多孔質機構が吸引経路内となるように入口継手の入口穿孔が組織収集キャビティと流体連通する組織収集位置まで摺動部材を移動させるステップと、摺動部材が組織収集位置にある状態で医療廃棄物収集アセンブリを動作させて、組織サンプルを収集するステップと、を含む、方法。
【０１８６】
条項４２  別の入力を制御面に適用して、摺動部材をバイパス位置に戻すステップをさらに含む、条項４１に記載の方法。
【０１８７】
条項４３  摺動部材が、拡大をもたらすように成形されたレンズをさらに備え、摺動部材が組織収集位置にある場合にレンズを通じて組織収集キャビティを観察するステップをさらに含む、条項４１に記載の方法。
【０１８８】
条項４４  摺動部材がバイパス位置にある状態で補助スリーブからトレーを取り出すステップをさらに含む、条項４１に記載の方法。
【０１８９】
条項４５  摺動部材がバイパス位置にある状態で摺動部材の補助スリーブ内で別のトレーに交換するステップをさらに含む、条項４４に記載の方法。
【０１９０】
条項４６  入力を制御面に適用して摺動部材を組織収集位置まで移動させるステップが、第１の直線方向において横力を制御面に適用することをさらに含む、条項４１に記載の方法。
【０１９１】
条項４７  第１の直線方向と反対の第２の直線方向において別の横力を制御面に適用して、摺動部材をバイパス位置に戻すステップをさらに含む、条項４５に記載の方法。
【０１９２】
条項４８  マニホールド受容体および吸引入口を具備する医療廃棄物収集アセンブリにより組織サンプルを収集するマニホールドであって、マニホールド受容体と取り外し可能に係合されるように構成されるとともにマニホールド容積を規定するハウジングで、吸引ラインを受容するように構成された入口継手を具備するとともに入口穿孔を規定するステータを具備する、ハウジングであり、当該ハウジングがマニホールド受容体と係合された場合に医療廃棄物収集アセンブリの吸引入口と流体連通するように構成された出口開口を規定することによって、入口穿孔からマニホールド容積を通って吸引入口に達する吸引経路を提供する、ハウジングと、吸引経路においてハウジング内に配設されたフィルタ要素と、ステータ内に回転可能に配設されるとともに組織収集キャビティおよび当該組織収集キャビティ内の多孔質を規定するロータであり、ユーザからの入力を受けて、ステータ内で回転することにより、多孔質機構が吸引経路内となって組織サンプルを収集するように入口穿孔と組織収集キャビティとの間の流体連通を選択的に確立するように構成された制御面を備えた、ロータと、を備えた、マニホールド。
【０１９３】
条項４９  ロータが、組織収集キャビティとは別個のバイパスチャネルをさらに規定し、制御面が、ユーザからの入力を受けて、ロータをステータ内で回転させることにより、組織サンプルの収集なく吸引経路を流体が流れ得るように入口穿孔とバイパスチャネルとの間の流体連通を選択的に確立するようにさらに構成された、条項４８に記載のマニホールド。
【０１９４】
条項５０  ステータが、ロータのバイパスチャネルが吸引経路にある場合に、組織収集キャビティが位置合わせされるように位置決めされたウィンドウを規定する側壁をさらに備えた、条項４８に記載のマニホールド。
【０１９５】
条項５１  ステータの側壁が、拡大をもたらすように成形されたレンズをさらに備え、組織収集キャビティが吸引経路にある場合に、レンズと位置合わせされるように位置決めされた、条項５０に記載のマニホールド。
【０１９６】
条項５２  ロータが、円筒状外壁をさらに備え、組織収集キャビティおよびバイパスチャネルがそれぞれ、外壁内の２つの開口間に規定された、条項４８に記載のマニホールド。
【０１９７】
条項５３  マニホールド受容体および吸引入口を具備する医療廃棄物収集アセンブリにより組織サンプルを収集するマニホールドであって、マニホールド受容体と取り外し可能に係合されるように構成されるとともにマニホールド容積を規定するハウジングで、吸引ラインを受容するように構成された入口継手を具備するとともに内部を通って延びた入口穿孔を規定するステータを具備する、ハウジングであり、当該ハウジングがマニホールド受容体と係合された場合に医療廃棄物収集アセンブリの吸引入口と流体連通するように構成された出口開口を規定する、ハウジングと、ステータ内に回転可能に配設されるとともに組織収集キャビティおよび当該組織収集キャビティ内の多孔質を規定して組織サンプルを収集するように構成され、組織収集キャビティとは別個のバイパスチャネルを規定するロータと、を備え、多孔質機構が吸引経路内となって組織サンプルを収集するように組織収集キャビティが入口穿孔と流体連通する組織収集位置と、組織サンプルの収集なく吸引経路を流体が流れ得るようにバイパスチャネルが入口穿孔と流体連通するバイパス位置との一方において動作するように構成された、マニホールド。
【０１９８】
条項５４  ロータが、外壁を備え、組織収集キャビティおよびバイパスチャネルがそれぞれ、側壁内の２つの開口間に規定された、条項５３に記載のマニホールド。
【０１９９】
条項５５  ロータが、ユーザからの入力を受けて、組織収集位置とバイパス位置との間で動作するように当該マニホールドを切り替えるように構成された制御面とをさらに備えた、条項５３に記載のマニホールド。
【０２００】
条項５６  ステータが、当該マニホールドがバイパス位置で動作して組織サンプルの回収を可能にする場合に、組織収集キャビティと位置合わせされるとともに組織収集キャビティを露出させるように位置決めされたウィンドウを規定する側壁をさらに備えた、条項５３に記載のマニホールド。
【０２０１】
条項５７  ステータが、拡大をもたらすように成形されたレンズをさらに備え、当該マニホールドが組織収集位置で動作する場合に、組織収集キャビティと位置合わせされるように位置決めされた、条項５３に記載のマニホールド。
【０２０２】
条項５８  医療廃棄物収集アセンブリ用マニホールドにより組織サンプルを収集する方法であり、マニホールドが、マニホールド容積、出口開口、およびステータを規定するハウジングならびに入口継手を備え、マニホールドが、ハウジング内に配設されたフィルタ要素と、ステータ内に回転可能に配設されるとともに制御面を備えたロータと、をさらに備えた、方法であって、出口開口が医療廃棄物収集アセンブリの吸引入口と流体連通するようにハウジングを医療廃棄物収集アセンブリに結合するステップと、吸引ラインを入口継手に結合して、入口継手の入口穿孔から吸引入口に達する吸引経路を提供するステップと、マニホールドが、ロータ内に規定されたバイパスチャネルが吸引経路にあり、ロータ内に規定された組織収集キャビティが吸引経路にないバイパス位置にある状態で医療廃棄物収集アセンブリを動作させるステップと、制御面を作動させて、バイパス位置から、組織収集キャビティが吸引経路にあり、バイパスチャネルが吸引経路から除去された組織収集位置まで、ステータ内のロータを回転させるステップと、マニホールドが組織収集位置にある状態で医療廃棄物収集アセンブリを動作させて、組織収集キャビティの多孔質機構により組織サンプルを収集するステップと、を含む、方法。
【０２０３】
条項５９  組織サンプルの収集後、制御面を作動させて、ロータをバイパス位置まで戻すステップをさらに含む、条項５８に記載の方法。
【０２０４】
条項６０  ロータがバイパス位置にある間に、組織収集キャビティから組織サンプルを回収するステップをさらに含む、条項５９に記載の方法。
【０２０５】
条項６１  ステータが、ウィンドウを規定する側壁を備え、制御面を作動させてロータをバイパス位置に戻すステップが、組織収集キャビティをステータのウィンドウと位置合わせすることにより、組織収集キャビティを露出させることと、ステータのウィンドウを通じて、露出した組織収集キャビティから組織サンプルを回収することと、をさらに含む、条項５９に記載の方法。
【０２０６】
条項６２  ステータが、拡大をもたらすように成形されたレンズをさらに備え、ロータが組織収集位置にある場合にレンズを通じて組織収集キャビティを観察するステップをさらに含む、条項５８に記載の方法。
【０２０７】
条項６３  組織収集キャビティから組織サンプルを回収するステップが、器具により多孔質機構をこすって組織サンプルを排除することをさらに含む、条項６０に記載の方法。
【０２０８】
条項６４  制御面を作動させてロータをバイパス位置から組織収集位置まで移動させるステップが、第１の回転方向に制御面を回転させることをさらに含む、条項５９に記載の方法。
【０２０９】
条項６５  制御面を作動させてロータをバイパス位置に戻すステップが、第１の回転方向と反対の第２の回転方向に制御面を回転させることをさらに含む、条項６４に記載の方法。
【０２１０】
条項６６  マニホールド受容体および吸引入口を具備する医療廃棄物収集アセンブリにより組織サンプルを収集するマニホールドであって、マニホールド受容体と取り外し可能に係合されるように構成されたハウジングであり、マニホールド容積と、マニホールド容積と流体連通した補助スリーブと、組織収集チャネルと、組織収集チャネルとは別個のバイパスチャネルと、当該ハウジングがマニホールド受容体と係合された場合に医療廃棄物収集アセンブリの吸引入口と流体連通するように構成された出口開口とを規定する、ハウジングと、ハウジング内に配設されたフィルタ要素と、ハウジングに対して回転可能であり、吸引ラインを受容するように構成され、入口穿孔を規定する入口継手と、補助スリーブ内に取り外し可能に位置決めされるように構成されたトレーであり、当該トレーが補助スリーブ内に位置決めされた場合に組織収集通路と連通する組織収集キャビティおよび多孔質機構を規定する、トレーと、ユーザからの入力を受けて、トレーが補助スリーブ内に位置決めされた場合に入口穿孔が組織収集チャネルおよび多孔質機構と連通する組織収集構成と、入口穿孔がバイパスチャネルと連通するバイパス構成との間で入口継手を回転させるように構成された制御面と、を備えた、マニホールド。
【０２１１】
条項６７  ハウジングが、組織収集キャビティ内で拡大をもたらすように位置決めされたレンズをさらに備えた、条項６６に記載のマニホールド。
【０２１２】
条項６８  ハウジングが、マニホールド容積と流体連通した第２の補助スリーブをさらに規定し、当該マニホールドが、第２の補助スリーブ内に取り外し可能に位置決めされ、第２の組織収集キャビティおよび第２の多孔質機構を規定する第２のトレーをさらに備えた、条項６６に記載のマニホールド。
【０２１３】
条項６９  第１の補助スリーブおよび第２の補助スリーブが、ハウジングの直径方向反対に位置決めされた、条項６８に記載のマニホールド。
【０２１４】
条項７０  ハウジングが、別の吸引ラインを取り外し可能に受容するように構成されたバイパス入口継手であり、組織収集キャビティとの流体連通なく、トレーを迂回する流体チャネルを規定する、バイパス入口継手をさらに備えた、条項６６に記載のマニホールド。
【０２１５】
条項７１  マニホールド受容体および吸引入口を具備する医療廃棄物収集アセンブリにより組織サンプルを収集するマニホールドであって、マニホールド受容体と取り外し可能に係合されるように構成されたハウジングであり、マニホールド容積と、当該ハウジングがマニホールド受容体と係合された場合に医療廃棄物収集アセンブリの吸引入口と流体連通するように構成された出口開口とを規定する、ハウジングと、ハウジング内に配設されたフィルタ要素と、ハウジングに対して移動可能であり、第１の吸引ラインを受容するように構成され、第１の入口穿孔を規定する第１の入口継手と、ハウジングに対して固定され、第１の吸引ラインを受容するように構成され、第１の入口穿孔を規定する第２の入口継手であり、第１および入口穿孔がそれぞれマニホールド容積と流体連通した、第２の入口継手と、ハウジングに対して取り外し可能に結合されるように構成されたトレーであり、当該トレーが補助スリーブ内に位置決めされた場合に組織収集通路と連通する組織収集キャビティおよび多孔質機構を規定する、トレーと、ユーザからの入力を受けて、トレーが補助スリーブ内に位置決めされた場合に第１の入口穿孔が多孔質機構と連通する組織収集構成と、第１の入口穿孔が多孔質機構と連通しないバイパス構成との間で第１の入口継手を移動させるように構成された制御面と、を備えた、マニホールド。
【０２１６】
条項７２  第２の入口穿孔が、組織収集構成において、組織収集キャビティと流体連通しない、条項７１に記載のマニホールド。
【０２１７】
条項７３  ハウジングが、マニホールド容積と流体連通した補助スリーブをさらに規定し、トレーが、補助スリーブ内に取り外し可能に位置決めされるように構成された、条項７１に記載のマニホールド。
【０２１８】
条項７４  マニホールド受容体および吸引入口を具備する医療廃棄物収集アセンブリにより組織サンプルを収集するマニホールドであって、マニホールド受容体と取り外し可能に係合されるように構成されたハウジングであり、マニホールド容積と、開口部と、開口部とは別個のバイパス開口と、当該ハウジングがマニホールド受容体と係合された場合に医療廃棄物収集アセンブリの吸引入口と流体連通するように構成された出口開口とを規定する、ハウジングと、ハウジング内に配設されたフィルタ要素と、ハウジングに対して回転可能であり、第１の吸引ラインを受容するように構成され、第１の入口穿孔を規定する第１の入口継手と、ハウジングに対して回転可能であり、第２の吸引ラインを受容するように構成され、第２の入口穿孔を規定する第２の入口継手と、ユーザからの入力を受けて、第１の入口穿孔が開口部と連通し、第２の入口穿孔がバイパス開口のうちの１つと連通する組織収集構成と、第１の入口穿孔および第２の入口穿孔がそれぞれ別個のバイパス開口と連通するバイパス構成との間で第１の入口継手および第２の入口継手を回転させるように構成された制御面と、を備えた、マニホールド。
【０２１９】
条項７５  ハウジングが、マニホールド容積と連通した補助スリーブをさらに規定し、トレーが、補助スリーブ内に取り外し可能に位置決めされるように構成された、条項７４に記載のマニホールド。
【０２２０】
条項７６  トレーの組織収集キャビティが、開口部と連通した、条項７５に記載のマニホールド。
【０２２１】
条項７７  ハウジングが、補助スリーブ内の配向機構をさらに備え、トレーが、配向機構と取り外し可能に係合して、単一の配向にて当該トレーのハウジングとの結合を可能にするように構成された相補配向機構をさらに備えた、条項６６に記載のマニホールド。
【０２２２】
条項７８  ハウジングの配向機構が、タブであり、トレーの相補配向機構が、側部から延びてタブと移動可能に係合するように構成されたレールである、条項７７に記載のマニホールド。
【０２２３】
条項７９  吸引ラインを通じて組織サンプルを収集するマニホールドであって、マニホールド容積と、当該マニホールド容積と流体連通し、吸引ラインと流体連通するように構成された入口穿孔と、マニホールド容積と流体連通した補助スリーブと、吸引源と流体連通して、吸引ラインから補助スリーブおよびマニホールド容積を通って達する吸引経路を設けるように構成された出口開口と、を規定するハウジングと、吸引経路においてハウジング内に配設されたフィルタ要素と、組織収集キャビティおよび当該組織収集キャビティ内の多孔質機構を規定するトレーであり、多孔質機構が吸引経路にあって組織サンプルを収集する状態で補助スリーブ内に取り外し可能に位置決めされるように構成された、トレーと、当該トレーとフィルタ要素との間の吸引経路内の逆流防止弁と、を備えた、マニホールド。
【０２２４】
条項８０  ハウジングが、補助スリーブに通じる第１の端部およびマニホールド容積に通じる第２の端部を有する移行穿孔をさらに規定し、逆流防止弁が、移行穿孔の第２の端部を選択的に覆って、補助開口からマニホールド容積まで廃棄物が流れ得るようにする、条項７９に記載のマニホールド。
【０２２５】
条項８１  ハウジングが、補助スリーブを迂回する出口開口と流体連通したバイパス穿孔をさらに規定することによって、バイパス穿孔からマニホールド容積を通って出口開口に達するバイパス吸引経路を提供し、逆流防止弁が、移行穿孔の第２の端部およびバイパス穿孔の端部を選択的に覆う、条項８０に記載のマニホールド。
【０２２６】
条項８２  逆流防止弁が、フラッパ弁ユニットである、条項８１に記載のマニホールド。
【０２２７】
条項８３  フラッパ弁ユニットが、移行穿孔の第２の端部を選択的に覆う第１のフラッパおよびバイパス穿孔の端部を選択的に覆う第２のフラッパを備えた、条項８２に記載のマニホールド。
【０２２８】
条項８４  ハウジングが、キャップ部および当該キャップ部に結合された本体部をさらに備え、キャップ部が、本体部とともにマニホールド容積を少なくとも部分的に規定するキャップ面板を含み、移行穿孔が、キャップ面板を通って延び、逆流防止弁が、キャップ面板に結合された、条項８１に記載のマニホールド。
【０２２９】
条項８５  ハウジングが、バイパス穿孔を規定するとともに別の吸引ラインを受容するように構成されたバイパス継手であり、キャップ面板に結合された、バイパス継手をさらに備えた、条項８４に記載のマニホールド。
【０２３０】
条項８６  吸引ラインを通じて組織サンプルを収集するマニホールドであって、マニホールド容積と、当該マニホールド容積と流体連通し、吸引ラインと流体連通するように構成された入口穿孔と、マニホールド容積と流体連通した補助スリーブと、吸引源と流体連通して、吸引ラインから補助スリーブおよびマニホールド容積を通って達する吸引経路を設けるように構成された出口開口と、を規定するハウジングであり、本体部と、当該本体部に結合され、マニホールド容積を少なくとも部分的に規定するキャップ部であり、第１の軸上で配向したキャップ面板を含む、キャップ部と、キャップ面板に結合され、補助スリーブを少なくとも部分的に規定する上側障壁であり、第１の軸に対して角度が付いた第２の軸上で配向した、上側障壁とを備えた、ハウジングと、組織収集キャビティおよび当該組織収集キャビティ内の多孔質機構を規定するトレーであり、多孔質機構が吸引経路にあって組織サンプルを収集する状態で補助スリーブ内に取り外し可能に位置決めされるように構成された、トレーと、を備えた、マニホールド。
【０２３１】
条項８７  上側障壁に結合され、補助スリーブ内で拡大をもたらすように成形されたレンズをさらに備えた、条項８６に記載のマニホールド。
【０２３２】
条項８８  マニホールド容積内および吸引経路中に配設されたフィルタ要素をさらに備えた、条項８６に記載のマニホールド。
【０２３３】
条項８９  ハウジングが、補助スリーブに通じる補助開口であり、補助スリーブが近位−遠位方向に配向するように当該マニホールドの遠位端を規定する、補助開口をさらに規定する、条項８６に記載のマニホールド。
【０２３４】
条項９０  ハウジングが、入口穿孔を規定する入口継手であり、吸引ラインを受容するようにサイズ規定された、入口継手をさらに備え、入口継手が、上側障壁に結合されるとともに上側障壁から上方に延びた、条項８９に記載のマニホールド。
【０２３５】
条項９１  ハウジングが、補助スリーブに通じる補助開口であり、補助スリーブが側方に配向するように当該マニホールドの側端を規定する、補助開口をさらに規定する、条項８６に記載のマニホールド。
【０２３６】
条項９２  ハウジングが、入口穿孔を規定する入口継手であり、吸引ラインを受容するようにサイズ規定された、入口継手をさらに備え、入口継手が、上側障壁に結合されるとともに上側障壁から遠位方向に延びて、当該マニホールドの遠位端を規定する、条項９１に記載のマニホールド。
【０２３７】
条項９３  ハウジングが、キャップ面板に結合され、補助スリーブを迂回する出口開口と流体連通したバイパス穿孔を規定するバイパス継手をさらに規定することによって、バイパス穿孔からマニホールド容積を通って出口開口に達するバイパス吸引経路を提供する、条項８６に記載のマニホールド。
【０２３８】
条項９４  吸引ラインを通じて組織サンプルを収集するマニホールドであって、マニホールド容積と、当該マニホールド容積と流体連通し、吸引ラインと流体連通するように構成された入口穿孔と、マニホールド容積と流体連通した補助スリーブと、吸引源と流体連通して、吸引ラインから補助スリーブおよびマニホールド容積を通って達する吸引経路を設けるように構成された出口開口と、を規定するハウジングであり、入口穿孔を規定する入口継手であり、近位−遠位方向に第１の軸上で配向した、入口継手を備え、補助スリーブが、側方に配向するように第１の軸と直交する第２の軸周りに配設された、ハウジングと、組織収集キャビティおよび当該組織収集キャビティ内の多孔質機構を規定するトレーであり、多孔質機構が吸引経路にあって組織サンプルを収集する状態で補助スリーブ内に取り外し可能に位置決めされるように構成された、トレーと、を備えた、マニホールド。
【０２３９】
条項９５  吸引経路においてハウジング内に配設されたフィルタ要素をさらに備えた、条項９４に記載のマニホールド。
【０２４０】
条項９６  吸引ラインを通じて組織サンプルを収集するマニホールドであって、マニホールド容積と、当該マニホールド容積と流体連通し、吸引ラインと流体連通するように構成された入口穿孔と、吸引源と流体連通して、吸引ラインからマニホールド容積を通って達する吸引経路を設けるように構成された出口開口と、を規定するハウジングと、組織収集キャビティおよび当該組織収集キャビティと連通した多孔質機構を規定するトレーであり、ハウジングと取り外し可能に結合されるように構成された、トレーと、吸引経路においてハウジング内に配設されたフィルタ要素と、を備え、ハウジングが、フィルタ要素にアクセスして組織サンプルを回収できるように相互に取り外し可能に結合されたキャップ部および本体部を備えた、マニホールド。
【０２４１】
条項９７  キャップ部および本体部がそれぞれ、キャップ部および本体部を取り外し可能に結合する相補結合機構を備えた、条項９６に記載のマニホールド。
【０２４２】
条項９８  相補結合機構が、干渉係合によって相互に取り外し可能に係合するように構成された少なくとも１つのキーおよび少なくとも１つのキー溝を備えた、条項９７に記載のマニホールド。
【０２４３】
条項９９  少なくとも１つのキーおよび少なくとも１つのキー溝が、３つのキーおよび３つのキー溝を含む、条項９８に記載のマニホールド。
【０２４４】
条項１００  少なくとも１つのキー溝が、挿入部および当該挿入部と連通した係止部を備え、挿入部が、係止部よりも広い、条項９８に記載のマニホールド。
【０２４５】
条項１０１  吸引ラインを通じて組織サンプルを収集するマニホールドであって、マニホールド容積と、当該マニホールド容積と流体連通し、吸引ラインと流体連通するように構成された入口穿孔と、マニホールド容積と流体連通した補助スリーブに通じる補助開口と、吸引源と流体連通して、吸引ラインから補助スリーブおよびマニホールド容積を通って達する第１の吸引経路を設けるように構成された出口開口と、を規定するハウジングであり、補助スリーブ内に配設された位置付け機構を備えた、ハウジングと、制御面、当該制御面に結合された封止面、基部、および当該基部に結合された側部を備えたトレーであり、基部および側部が、封止面から延びるとともに、組織収集キャビティおよび基部内の多孔質機構を規定する、トレーと、を備え、トレーの制御面が、ユーザからの入力を受けて、下側障壁に近い補助開口の部分から封止面を遠ざけることにより、トレーの基部と補助スリーブを規定するハウジングの下側障壁との間の隙間を通って補助開口から出口開口に達する第２の吸引経路を設けて位置付けるように構成された、マニホールド。
【０２４６】
条項１０２  吸引ラインを通じて組織サンプルを収集するマニホールドであって、マニホールド容積と、当該マニホールド容積と流体連通し、吸引ラインと流体連通するように構成された入口穿孔と、マニホールド容積と流体連通した補助スリーブに通じる補助開口と、吸引源と流体連通して、吸引ラインから補助スリーブおよびマニホールド容積を通って達する第１の吸引経路を設けるように構成された出口開口と、を規定するハウジングであり、補助スリーブ内に配設された位置付け機構を備えた、ハウジングと、封止面、基部、および当該基部に結合された側部を備えたトレーであり、基部および側部が、封止面から延びるとともに、組織収集キャビティおよび基部内の多孔質機構を規定する、トレーと、を備え、トレーが、（ｉ）封止面が補助開口を封止し、（ｉｉ）組織収集キャビティが補助スリーブ内に位置決めされるとともに入口穿孔側に通じ、（ｉｉｉ）基部および／または側部が補助スリーブ内の位置付け機構に係合して、当該トレーの基部と補助スリーブを規定するハウジングの下側障壁との間に隙間を設けるように、ハウジングと取り外し可能に結合されるように構成された、マニホールド。
【０２４７】
上記説明は、何ら網羅的でもなければ、本発明を如何なる特定の形態に限定する意図もない。使用した専門用語は、本質的に、限定ではなく説明の用語の範疇に入るものである。上記教示内容に照らして、多くの改良および変形が可能であり、本発明は、具体的な説明と異なる実施がなされ得る。
【図１】
2021524289.tif 000003
【図２】
2021524289.tif 000004
【図３】
2021524289.tif 000005
【図４】
2021524289.tif 000006
【図５】
2021524289.tif 000007
【図６】
2021524289.tif 000008
【図７】
2021524289.tif 000009
【図８】
2021524289.tif 000010
【図９】
2021524289.tif 000011
【図１０】
2021524289.tif 000012
【図１１】
2021524289.tif 000013
【図１２】
2021524289.tif 000014
【図１３】
2021524289.tif 000015
【図１４】
2021524289.tif 000016
【図１５】
2021524289.tif 000017
【図１６】
2021524289.tif 000018
【図１７】
2021524289.tif 000019
【図１８】
2021524289.tif 000020
【図１９】
2021524289.tif 000021
【図２０】
2021524289.tif 000022
【図２１】
2021524289.tif 000023
【図２２】
2021524289.tif 000024
【図２３】
2021524289.tif 000025
【図２４】
2021524289.tif 000026
【図２５】
2021524289.tif 000027
【図２６】
2021524289.tif 000028
【図２７】
2021524289.tif 000029
【図２８】
2021524289.tif 000030
【図２９】
2021524289.tif 000031
【図３０】
2021524289.tif 000032
【図３１】
2021524289.tif 000033
【図３２】
2021524289.tif 000034
【図３３】
2021524289.tif 000035
【図３４】
2021524289.tif 000036
【図３５】
2021524289.tif 000037
【図３６】
2021524289.tif 000038
【図３７】
2021524289.tif 000039
【図３８】
2021524289.tif 000040
【図３９】
2021524289.tif 000041
【図４０】
2021524289.tif 000042
【図４１】
2021524289.tif 000043
【図４２】
2021524289.tif 000044
【図４３】
2021524289.tif 000045
【図４４】
2021524289.tif 000046
【図４５】
2021524289.tif 000047
【図４６】
2021524289.tif 000048
【図４７】
2021524289.tif 000049
【図４８】
2021524289.tif 000050
【図４９】
2021524289.tif 000051
【図５０】
2021524289.tif 000052
【図５１】
2021524289.tif 000053
【図５２】
2021524289.tif 000054
【図５３】
2021524289.tif 000055
【図５４】
2021524289.tif 000056
【図５５】
2021524289.tif 000057
【図５６】
2021524289.tif 000058
【図５７】
2021524289.tif 000059
【図５８】
2021524289.tif 000060
【図５９】
2021524289.tif 000061
【図６０】
2021524289.tif 000062
【図６１】
2021524289.tif 000063
【図６２】
2021524289.tif 000064
【図６３】
2021524289.tif 000065
【図６４】
2021524289.tif 000066
【図６５】
2021524289.tif 000067
【図６６】
2021524289.tif 000068
【図６７】
2021524289.tif 000069
【図６８】
2021524289.tif 000070
【図６９】
2021524289.tif 000071
【図７０】
2021524289.tif 000072
【図７１】
2021524289.tif 000073
【図７２】
2021524289.tif 000074
【図７３】
2021524289.tif 000075
【国際調査報告】
2021524289.tif 000076
2021524289.tif 000077
2021524289.tif 000078
2021524289.tif 000079